(57)【要約】【課題】通信システムに含まれる制御装置や端末装置に、好適なセッションの継続に関わるモードに対応したセッションアンカーリロケーション手続き、通信制御手段、及び管理手段を提供すること。【解決手段】通信システムに含まれる制御装置や端末装置に、セッション管理に好適な手段や、セッション継続モードに対応したセッションを確立するための好適な通信制御手段や、セッションを制御するための好適な通信制御手段を提供する。【選択図】図1
2020113808.tif 000002
【特許請求の範囲】
【請求項１】
端末装置であって、
SSC(Session and Service Continuity) mode 2のPDU(Packet Data Unit)セッションのアンカー装置をリロケーションするPDUセッションアンカーリロケーション手続きにおいて、
第1の識別情報は、PDUセッションの再確立が必要であることを示す情報であり、
第2の識別情報は、前記SSC mode 2のPDUセッションに対応付けられたPDUセッション識別情報であり、
前記第1の識別情報と前記第2の識別情報を含むPDUセッションリリースコマンドをコアネットワークから受信する送受信部を有し、
前記PDUセッションリリースコマンドの受信に基づいて、前記第1の識別情報を含むPDUセッション確立要求メッセージを前記コアネットワークに送信してPDUセッション確立手続きを開始する制御部を有することを特徴とする端末装置。
【請求項２】
SSC mode 3のPDUセッションのアンカー装置をリロケーションするPDUセッションアンカーリロケーション手続きにおいて、
前記送受信部は、
ルートプリファレンスの送信を要求することを示す情報を含むPDUセッション確立要求メッセージを前記コアネットワーク送信し、
IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを前記コアネットワークから受信することを特徴とする請求項１に記載の端末装置。
【請求項３】
AMF(Access and Mobility Management Function)であって、
SSC(Session and Service Continuity) mode 2のPDU(Packet Data Unit)セッションのアンカー装置をリロケーションするPDUセッションアンカーリロケーション手続きにおいて、
第1の識別情報は、PDUセッションの再確立が必要であることを示す情報であり、
第2の識別情報は、前記SSC mode 2のPDUセッションに対応付けられたPDUセッション識別情報であり、
前記第1の識別情報と前記第2の識別情報を含むPDUセッションリリースコマンドを端末装置に送信する送受信部を有し、
前記第2の識別情報を記憶し、タイマを用いて前記第2の識別情報の有効時間をカウントする制御部を有することを特徴とするAMF。
【請求項４】
SMF(Session Management Function)であって、
SSC(Session and Service Continuity) mode 2のPDU(Packet Data Unit)セッションのアンカー装置をリロケーションするPDUセッションアンカーリロケーション手続きにおいて、
第1の識別情報は、PDUセッションの再確立が必要であることを示す情報であり、
第2の識別情報は、前記SSC mode 2のPDUセッションに対応付けられたPDUセッション識別情報であり、
前記第1の識別情報と前記第2の識別情報を含むPDUセッションリリースコマンドをAMF(Access and Mobility Management Function)を介して端末装置に送信する送受信部を有し、
前記第2の識別情報を記憶し、タイマを用いて前記第2の識別情報の有効時間をカウントする制御部を有することを特徴とするSMF。
【請求項５】
SSC mode 3のPDUセッションのアンカー装置をリロケーションするPDUセッションアンカーリロケーション手続きにおいて、
前記送受信部は、
ルートプリファレンスの送信を要求することを示す情報を含むPDUセッション確立要求メッセージをAMF(Access and Mobility Management Function)を介して端末装置から受信し、
IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを、前記AMFを介して前記端末装置に送信することを特徴とする請求項4に記載のSMF。
【請求項６】
端末装置の通信制御方法であって、
SSC(Session and Service Continuity) mode 2のPDU(Packet Data Unit)セッションのアンカー装置をリロケーションするPDUセッションアンカーリロケーション手続きにおいて、
第1の識別情報は、PDUセッションの再確立が必要であることを示す情報であり、
第2の識別情報は、前記SSC mode 2のPDUセッションに対応付けられたPDUセッション識別情報であり、
前記第1の識別情報と前記第2の識別情報を含むPDUセッションリリースコマンドをコアネットワークから受信するステップと、
前記PDUセッションリリースコマンドの受信に基づいて、前記第1の識別情報を含むPDUセッション確立要求メッセージを前記コアネットワークに送信してPDUセッション確立手続きを開始するステップとを有することを特徴とする端末装置の通信制御方法。
【請求項７】
SSC mode 3のPDUセッションのアンカー装置をリロケーションするPDUセッションアンカーリロケーション手続きにおいて、
ルートプリファレンスの送信を要求することを示す情報を含むPDUセッション確立要求メッセージを前記コアネットワーク送信するステップと、
IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを前記コアネットワークから受信するステップとを有することを特徴とする請求項6に記載の端末装置の通信制御方法。
【請求項８】
AMF(Access and Mobility Management Function)の通信制御方法であって、
SSC(Session and Service Continuity) mode 2のPDU(Packet Data Unit)セッションのアンカー装置をリロケーションするPDUセッションアンカーリロケーション手続きにおいて、
第1の識別情報は、PDUセッションの再確立が必要であることを示す情報であり、
第2の識別情報は、前記SSC mode 2のPDUセッションに対応付けられたPDUセッション識別情報であり、
前記第1の識別情報と前記第2の識別情報を含むPDUセッションリリースコマンドを端末装置に送信するステップ、
前記第2の識別情報を記憶し、タイマを用いて前記第2の識別情報の有効時間をカウントするステップとを有することを特徴とするAMFの通信制御方法。
【請求項９】
SMF(Session Management Function)の通信制御方法であって、
SSC(Session and Service Continuity) mode 2のPDU(Packet Data Unit)セッションのアンカー装置をリロケーションするPDUセッションアンカーリロケーション手続きにおいて、
第1の識別情報は、PDUセッションの再確立が必要であることを示す情報であり、
第2の識別情報は、前記SSC mode 2のPDUセッションに対応付けられたPDUセッション識別情報であり、
前記第1の識別情報と前記第2の識別情報を含むPDUセッションリリースコマンドをAMF(Access and Mobility Management Function)を介して端末装置に送信するステップと、
前記第2の識別情報を記憶し、タイマを用いて前記第2の識別情報の有効時間をカウントするステップとを有することを特徴とするSMFの通信制御方法。
【請求項１０】
SSC mode 3のPDUセッションのアンカー装置をリロケーションするPDUセッションアンカーリロケーション手続きにおいて、
ルートプリファレンスの送信を要求することを示す情報を含むPDUセッション確立要求メッセージをAMF(Access and Mobility Management Function)を介して端末装置から受信するステップと、
IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを、前記AMFを介して前記端末装置に送信するステップとを有することを特徴とする請求項9に記載のSMFの通信制御方法。
【請求項１１】
コアネットワークの通信制御方法であって、
SSC(Session and Service Continuity) mode 2のPDU(Packet Data Unit)セッションのアンカー装置をリロケーションするPDUセッションアンカーリロケーション手続きにおいて、
第1の識別情報は、PDUセッションの再確立が必要であることを示す情報であり、
第2の識別情報は、前記SSC mode 2のPDUセッションに対応付けられたPDUセッション識別情報であり、
前記第1の識別情報と前記第2の識別情報を含むPDUセッションリリースコマンドを端末装置に送信するステップと、
前記第2の識別情報を記憶し、タイマを用いて前記第2の識別情報の有効時間をカウントするステップとを有することを特徴とするコアネットワークの通信制御方法。
【請求項１２】
SSC mode 3のPDUセッションのアンカー装置をリロケーションするPDUセッションアンカーリロケーション手続きにおいて、
ルートプリファレンスの送信を要求することを示す情報を含むPDUセッション確立要求メッセージを端末装置から受信するステップと、
IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを、前記端末装置に送信するステップとを有することを特徴とする請求項11に記載のコアネットワークの通信制御方法。
【請求項１３】
コアネットワーク装置であって、
SSC(Session and Service Continuity) mode 2のPDU(Packet Data Unit)セッションのアンカー装置をリロケーションするPDUセッションアンカーリロケーション手続きにおいて、
第1の識別情報は、PDUセッションの再確立が必要であることを示す情報であり、
第2の識別情報は、前記SSC mode 2のPDUセッションに対応付けられたPDUセッション識別情報であり、
前記第1の識別情報と前記第2の識別情報を含むPDUセッションリリースコマンドを端末装置に送信し、
前記第2の識別情報を記憶し、タイマを用いて前記第2の識別情報の有効時間をカウントすることを特徴とするコアネットワーク装置。
【請求項１４】
SSC mode 3のPDUセッションのアンカー装置をリロケーションするPDUセッションアンカーリロケーション手続きにおいて、
ルートプリファレンスの送信を要求することを示す情報を含むPDUセッション確立要求メッセージを端末装置から受信し、
IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを、前記端末装置に送信することを特徴とする請求項13に記載のコアネットワーク装置。
【発明の詳細な説明】
【技術分野】
【０００１】
本発明は、端末装置、AMF、SMF、コアネットワーク装置、及び通信制御方法に関する。
【背景技術】
【０００２】
近年の移動通信システムの標準化活動を行う3GPP(3rd Generation Partnership Project)は、LTE(Long Term Evolution)のシステムアーキテクチャであるSAE(System Architecture Evolution)の検討を行っている。3GPPは、オールIP(Internet Protocol)化を実現する通信システムとしてEPS(Evolved Packet System)の仕様化を行っている。なお、EPSを構成するコアネットワークはEPC(Evolved Packet Core)と呼ばれる。
【０００３】
また、近年3GPPでは、次世代移動通信システムである5G(5th Generation)移動通信システムの次世代通信技術やシステムアーキテクチャの検討も行っており、次世代通信技術として、NextGen(Architecture and Security for Next Generation System)の検討を行っている。さらに、3GPPでは、5G移動通信システムを実現するシステムとして、5GS(5G System)の仕様化を行っている。5GSでは、多種多様な端末をセルラーネットワークに接続する為の技術課題を抽出し、解決策を仕様化している。
【０００４】
例えば、多種多様なアクセスネットワークをサポートする端末に応じた、継続的な移動通信サービスをサポートする為の通信手続きの最適化及び多様化や、通信手続きの最適化及び多様化に合わせたシステムアーキテクチャの最適化等も要求条件として挙げられている。
【先行技術文献】
【非特許文献】
【０００５】
【非特許文献１】3GPP TR 23.799; Technical Specification Group Services and System Aspects; Study on Architecture for Next Generation System; (Release 14)
【非特許文献２】3GPP TS 23.501; Technical Specification Group Services and System Aspects; System Architecture for the 5G System; Stage 2; (Release 15)
【非特許文献３】3GPP TS 23.502; Technical Specification Group Services and System Aspects; Procedures for the 5G System; Stage 2; (Release 15)
【発明の概要】
【発明が解決しようとする課題】
【０００６】
5GSでは、端末、ネットワーク装置間の移動通信サービスにおけるセッション管理の為の検討が行われている。より具体的には、セッションの継続のために、セッションの接続先であるDN(Data Network)の種類を変えず、DNへのゲートウェイであるアンカーポイントを切り替える、PDUセッションアンカーリロケーション手続きや、複数のアンカーポイントに対する接続を確立するための手続きの検討が行われている。
【０００７】
しかし、セッション継続のための手続き、及びアンカーポイントを切り替える為の手続きの詳細な手段は明らかになっていない。
【０００８】
本発明は、このような事情を鑑みてなされたもので、その目的は、多様なセッション継続を実現する手段や、通信手続き手段等を提供することである。
【課題を解決するための手段】
【０００９】
本発明の端末装置は、SSC(Session and Service Continuity) mode 2のPDU(Packet Data Unit)セッションのアンカー装置をリロケーションするPDUセッションアンカーリロケーション手続きにおいて、第1の識別情報は、PDUセッションの再確立が必要であることを示す情報であり、第2の識別情報は、前記SSC mode 2のPDUセッションに対応付けられたPDUセッション識別情報であり、前記第1の識別情報と前記第2の識別情報を含むPDUセッションリリースコマンドをコアネットワークから受信する送受信部を有し、前記PDUセッションリリースコマンドの受信に基づいて、前記第1の識別情報を含むPDUセッション確立要求メッセージを前記コアネットワークに送信してPDUセッション確立手続きを開始する制御部を有する。
【００１０】
また、本発明の端末装置は、SSC mode 3のPDUセッションのアンカー装置をリロケーションするPDUセッションアンカーリロケーション手続きにおいて、前記送受信部は、ルートプリファレンスの送信を要求することを示す情報を含むPDUセッション確立要求メッセージを前記コアネットワーク送信し、IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを前記コアネットワークから受信する。
【００１１】
また、本発明のAMF(Access and Mobility Management Function)は、SSC(Session and Service Continuity) mode 2のPDU(Packet Data Unit)セッションのアンカー装置をリロケーションするPDUセッションアンカーリロケーション手続きにおいて、第1の識別情報は、PDUセッションの再確立が必要であることを示す情報であり、第2の識別情報は、前記SSC mode 2のPDUセッションに対応付けられたPDUセッション識別情報であり、前記第1の識別情報と前記第2の識別情報を含むPDUセッションリリースコマンドを端末装置に送信する送受信部を有し、前記第2の識別情報を記憶し、タイマを用いて前記第2の識別情報の有効時間をカウントする制御部を有する。
【００１２】
また、本発明のSMF(Session Management Function)は、SSC(Session and Service Continuity) mode 2のPDU(Packet Data Unit)セッションのアンカー装置をリロケーションするPDUセッションアンカーリロケーション手続きにおいて、第1の識別情報は、PDUセッションの再確立が必要であることを示す情報であり、第2の識別情報は、前記SSC mode 2のPDUセッションに対応付けられたPDUセッション識別情報であり、前記第1の識別情報と前記第2の識別情報を含むPDUセッションリリースコマンドをAMF(Access and Mobility Management Function)を介して端末装置に送信する送受信部を有し、前記第2の識別情報を記憶し、タイマを用いて前記第2の識別情報の有効時間をカウントする制御部を有する。
【００１３】
また、本発明のSMFは、SSC mode 3のPDUセッションのアンカー装置をリロケーションするPDUセッションアンカーリロケーション手続きにおいて、前記送受信部は、ルートプリファレンスの送信を要求することを示す情報を含むPDUセッション確立要求メッセージをAMF(Access and Mobility Management Function)を介して端末装置から受信し、IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを、前記AMFを介して前記端末装置に送信する。
【００１４】
また、本発明の端末装置の通信制御方法は、SSC(Session and Service Continuity) mode 2のPDU(Packet Data Unit)セッションのアンカー装置をリロケーションするPDUセッションアンカーリロケーション手続きにおいて、第1の識別情報は、PDUセッションの再確立が必要であることを示す情報であり、第2の識別情報は、前記SSC mode 2のPDUセッションに対応付けられたPDUセッション識別情報であり、前記第1の識別情報と前記第2の識別情報を含むPDUセッションリリースコマンドをコアネットワークから受信するステップと、前記PDUセッションリリースコマンドの受信に基づいて、前記第1の識別情報を含むPDUセッション確立要求メッセージを前記コアネットワークに送信してPDUセッション確立手続きを開始するステップとを有する。
【００１５】
また、本発明の端末装置の通信制御方法は、SSC mode 3のPDUセッションのアンカー装置をリロケーションするPDUセッションアンカーリロケーション手続きにおいて、ルートプリファレンスの送信を要求することを示す情報を含むPDUセッション確立要求メッセージを前記コアネットワーク送信するステップと、IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを前記コアネットワークから受信するステップとを有する。
【００１６】
また、本発明のAMF(Access and Mobility Management Function)の通信制御方法は、SSC(Session and Service Continuity) mode 2のPDU(Packet Data Unit)セッションのアンカー装置をリロケーションするPDUセッションアンカーリロケーション手続きにおいて、第1の識別情報は、PDUセッションの再確立が必要であることを示す情報であり、第2の識別情報は、前記SSC mode 2のPDUセッションに対応付けられたPDUセッション識別情報であり、前記第1の識別情報と前記第2の識別情報を含むPDUセッションリリースコマンドを端末装置に送信するステップ、前記第2の識別情報を記憶し、タイマを用いて前記第2の識別情報の有効時間をカウントするステップとを有する。
【００１７】
また、本発明のSMF(Session Management Function)の通信制御方法は、SSC(Session and Service Continuity) mode 2のPDU(Packet Data Unit)セッションのアンカー装置をリロケーションするPDUセッションアンカーリロケーション手続きにおいて、第1の識別情報は、PDUセッションの再確立が必要であることを示す情報であり、第2の識別情報は、前記SSC mode 2のPDUセッションに対応付けられたPDUセッション識別情報であり、前記第1の識別情報と前記第2の識別情報を含むPDUセッションリリースコマンドをAMF(Access and Mobility Management Function)を介して端末装置に送信するステップと、前記第2の識別情報を記憶し、タイマを用いて前記第2の識別情報の有効時間をカウントするステップとを有する。
【００１８】
また、本発明のSMFの通信制御方法は、SSC mode 3のPDUセッションのアンカー装置をリロケーションするPDUセッションアンカーリロケーション手続きにおいて、ルートプリファレンスの送信を要求することを示す情報を含むPDUセッション確立要求メッセージをAMF(Access and Mobility Management Function)を介して端末装置から受信するステップと、IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを、前記AMFを介して前記端末装置に送信するステップとを有する。
【００１９】
また、本発明のコアネットワークの通信制御方法は、SSC(Session and Service Continuity) mode 2のPDU(Packet Data Unit)セッションのアンカー装置をリロケーションするPDUセッションアンカーリロケーション手続きにおいて、第1の識別情報は、PDUセッションの再確立が必要であることを示す情報であり、第2の識別情報は、前記SSC mode 2のPDUセッションに対応付けられたPDUセッション識別情報であり、前記第1の識別情報と前記第2の識別情報を含むPDUセッションリリースコマンドを端末装置に送信するステップと、前記第2の識別情報を記憶し、タイマを用いて前記第2の識別情報の有効時間をカウントするステップとを有する。
【００２０】
また、本発明のコアネットワークの通信制御方法は、SSC mode 3のPDUセッションのアンカー装置をリロケーションするPDUセッションアンカーリロケーション手続きにおいて、ルートプリファレンスの送信を要求することを示す情報を含むPDUセッション確立要求メッセージを端末装置から受信するステップと、IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを、前記端末装置に送信するステップとを有する。
【００２１】
また、本発明のコアネットワーク装置は、SSC(Session and Service Continuity) mode 2のPDU(Packet Data Unit)セッションのアンカー装置をリロケーションするPDUセッションアンカーリロケーション手続きにおいて、第1の識別情報は、PDUセッションの再確立が必要であることを示す情報であり、第2の識別情報は、前記SSC mode 2のPDUセッションに対応付けられたPDUセッション識別情報であり、前記第1の識別情報と前記第2の識別情報を含むPDUセッションリリースコマンドを端末装置に送信し、前記第2の識別情報を記憶し、タイマを用いて前記第2の識別情報の有効時間をカウントする。
【００２２】
また、本発明のコアネットワーク装置は、SSC mode 3のPDUセッションのアンカー装置をリロケーションするPDUセッションアンカーリロケーション手続きにおいて、ルートプリファレンスの送信を要求することを示す情報を含むPDUセッション確立要求メッセージを端末装置から受信し、IPv6ネットワークプレフィックスと、前記IPv6ネットワークプレフィックスに対応づけられたルートプリファレンスの識別情報とを含む、RA(Router Advertizement)メッセージ又はPDUセッション確立受諾メッセージを、前記端末装置に送信する。
【発明の効果】
【００２３】
本発明によれば、端末装置及びコアネットワーク内の各装置は、多様なセッション継続のモードをサポートし、セッション継続モードに対応した通信制御手続きを実現する事ができる。
【図面の簡単な説明】
【００２４】
【図１】移動通信システムの概略を説明する為の図である。
【図２】移動通信システムにおけるコアネットワーク及びアクセスネットワークの構成等の1例を説明する為の図である。
【図３】PDUセッションアンカーリロケーション時の移動通信システムの概略を説明する為の図である。
【図４】UEの装置構成を説明する為の図である。
【図５】UEの記憶部を説明する為の図である。
【図６】eNB/AN nodeの装置構成を説明する為の図である。
【図７】AMF/MME/CPFの装置構成を説明する為の図である。
【図８】AMF/MME/CPFの記憶部を説明する為の図である。
【図９】AMF/MME/CPFの記憶部を説明する為の図である。
【図１０】UPF/SGW/PGWの装置構成を説明する為の図である。
【図１１】SGWの記憶部を説明する為の図である。
【図１２】UPF/PGWの記憶部を説明する為の図である。
【図１３】初期手続きを説明する為の図である。
【図１４】PDUセッション変更手続きを説明する為の図である。
【図１５】PDUセッション確立手続きを説明する為の図である。
【図１６】第1のPDUセッションアンカーリロケーション確立手続きを説明する為の図である。
【図１７】第1のPDUセッション解放手続きを説明する為の図である。
【図１８】第2のPDUセッションアンカーリロケーション確立手続きを説明する為の図である。
【図１９】第2のPDUセッション解放手続きを説明する為の図である。
【発明を実施するための形態】
【００２５】
以下、図面を参照して本発明を実施する為に最良の形態について説明する。なお、本実施形態では1例として、本発明を適用した場合の移動通信システムの実施形態について説明する。
【００２６】
[1.システム概要]
図1は、本実施形態における移動通信システムの概略を説明する為の図である。本図に示すように、移動通信システム1は、移動端末装置UE_A10とアクセスネットワーク_Bとコアネットワーク_B190とDN(Data Network)_A5により構成されている。なお、DN_A5はPDN(Packet Data Network)であってもよい。ここで、UE_A10は無線接続可能な端末装置であればよく、UE(User Equipment)、ME(Mobile Equipment)、MS(Mobile Station)、又はCIoT(Cellular Internet of Things)端末(CIoT UE)等でもよい。さらに、コアネットワークは、コアネットワーク_B190であってもよく、アクセスネットワークは、アクセスネットワーク_Bであってもよい。さらに、コアネットワークは、コアネットワーク装置であってもよい。もしくは、本実施形態において、コアネットワーク装置とは、コアネットワーク_B190に含まれる各装置及び/又は各装置の処理又は機能の一部又は全てを実行する装置であってよい。アクセスネットワーク_Bは、5GRAN_A120及び/又は、E-UTRAN_A80及び/又は、WLAN ANc125であってよい。
【００２７】
また、UE_A10は、アクセスネットワーク及び/又はコアネットワークと接続する事ができる。さらに、UE_A10は、アクセスネットワーク及び/又はコアネットワークを介してDN_A5と接続する事ができ、さらにDN_A5との間でユーザデータを送受信する。なお、ユーザデータとは、UE_A10とDN_A5との間で送受信するデータでよい。さらに、ユーザデータの送受信(通信)はPDU(Protocol Data Unit、又はPacket Data Unit)セッションを用いて実施されてもよいし、PDNコネクション(Packet Data Network Connection)を用いて実施されてもよい。さらに、ユーザデータの通信は、IP(Internet Protocol)通信に限らず、non-IP通信でもよい。
【００２８】
ここで、PDUセッション又はPDNコネクション(以下、PDN接続とも称する)は、UE_A10とDN_A5との間のユーザデータの送受信等を行うPDU接続サービスを提供する為、UE_A10とDN_A5との間で確立される接続性である。より具体的には、PDUセッション又はPDNコネクションは、UE_A10と外部ゲートウェイとの間で確立する接続性でよい。ここで、外部ゲートウェイは、UPF(User plane function)_A235やPGW(Packet Data Network Gateway)やUPGW(User Plane Gateway)やSCEF(Service Capability Exposure Function)_等のコアネットワークとDN_A5を接続する装置でよい。
【００２９】
また、PDUセッション又はPDNコネクションは、UE_A10と、コアネットワーク及び/又はDN_A5との間でユーザデータを送受信する為に確立される通信路でもよく、PDUを送受信する為の通信路でもよい。さらに、PDUセッション又はPDNコネクションは、UE_A10と、コアネットワーク及び/又はDN_A5との間で確立されるセッションでもよく、移動通信システム1内の各装置間の1又は複数のベアラ等の転送路で構成される論理的な通信路でもよい。より具体的には、PDUセッションは、UE_A10が、コアネットワーク_B190、及び/又は外部ゲートウェイとの間に確立するコネクションでもよく、UE_A10と、UPGW又はUPF_A235との間に確立するコネクションでもよいし、PDNコネクション(Packet Data Network Connection)等のコネクションでもよい。
【００３０】
なお、PDNコネクションは、eNB(evolved Node B)_A45及び/又はSGW(Serving Gateway)を介したUE_A10とPGWとの間の接続性及び/又はコネクションでもよいし、eNB_A45及び/又はMME(Mobility Management Entity)を介したUE_A10とSCEFとの間の接続性及び/又はコネクションでもよい。さらに、PDUセッションは、AN node_A122を介したUE_A10とUPGW又はUPF_A235との間の接続性及び/又はコネクションでもよい。なお、UE_A10とUPF_A235間の接続性は、1つ以上のUPFを構成されてもよい。さらに、PDNコネクションはPDNコネクションIDで識別されてよく、PDUセッションはPDUセッションIDで識別されてもよい。さらに、PDNコネクション及びPDUセッションは、EPSベアラIDで識別されてもよい。
【００３１】
なお、UE_A10は、DN_A5に配置するアプリケーションサーバー等の装置と、PDUセッション又はPDNコネクションを用いてユーザデータの送受信を実行する事ができる。言い換えると、PDUセッション又はPDNコネクションは、UE_A10とDN_A5に配置するアプリケーションサーバー等の装置との間で送受信されるユーザデータを転送する事ができる。さらに、各装置(UE_A10、アクセスネットワーク内の装置、及び/又はコアネットワーク内の装置)は、PDUセッション又はPDNコネクションに対して、1又は複数の識別情報を対応づけて管理してもよい。なお、これらの識別情報には、DNN(Data Network Name)、APN(Access Point Name)、TFT(Traffic Flow Template)、セッションタイプ、アプリケーション識別情報、DN_A5の識別情報、NSI(Network Slice Instance)識別情報、及びDCN(Dedicated Core Network)識別情報、及びアクセスネットワーク識別情報のうち、少なくとも1つが含まれてもよいし、その他の情報がさらに含まれてもよい。さらに、PDUセッション又はPDNコネクションを複数確立する場合には、PDUセッション又はPDNコネクションに対応づけられる各識別情報は、同じ内容でもよいし、異なる内容でもよい。さらに、NSI識別情報は、NSIを識別する情報であり、以下NSI ID又はSlice Instance IDであってもよいし、NSSAI(Network Slice Selection Assistance information)であってもよいし、S-NSSAI (Single Network Slice Selection Assistance information)であってもよい。
【００３２】
また、IP通信とは、IPを用いたデータの通信の事であり、IPヘッダが付与されたIPパケットの送受信によって実現されるデータ通信の事である。なお、IPパケットを構成するペイロード部にはUE_A10が送受信するユーザデータが含まれてよい。また、non-IP通信とは、IPを用いないデータの通信の事であり、IPヘッダが付与されていないデータの送受信によって実現されるデータ通信の事である。例えば、non-IP通信は、IPパケットが付与されていないアプリケーションデータの送受信によって実現されるデータ通信でもよいし、マックヘッダやEthernet(登録商標)フレームヘッダ等の別のヘッダを付与してUE_A10が送受信するユーザデータを送受信してもよい。
【００３３】
さらに、DN_A5は、UE_A10に通信サービスを提供するDN(Data Network;データネットワーク)であってよい。なお、DNは、パケットデータサービス網として構成されてもよいし、サービス毎に構成されてもよい。さらに、DN_A5は、接続された通信端末を含んでもよい。従って、DN_A5と接続する事は、DN_A5に配置された通信端末やサーバ装置と接続する事であってもよい。さらに、DN_A5との間でユーザデータを送受信する事は、DN_A5に配置された通信端末やサーバ装置とユーザデータを送受信する事であってもよい。
【００３４】
さらに、アクセスネットワークは、UE_A10及び/又はコアネットワークと接続した無線ネットワークの事である。アクセスネットワークは、3GPPアクセスネットワークでもよく、non-3GPPアクセスネットワークでもよい。なお、3GPPアクセスネットワークは、E-UTRAN(Evolved Universal Terrestrial Radio Access Network)_A80、5GRAN(Next Generation Radio Access Network)_A120でもよく、non-3GPPアクセスネットワークは、WLAN ANc125でもよい。なお、UE_A10はコアネットワークに接続する為に、アクセスネットワークに接続してもよく、アクセスネットワークを介してコアネットワークに接続してもよい。
【００３５】
さらに、コアネットワークは、アクセスネットワーク及び/又はDN_A5と接続した移動体通信事業者(Mobile Network Operator)が運用するIP移動通信ネットワークの事である。コアネットワークは、移動通信システム1を運用、管理する移動通信事業者の為のコアネットワークでもよいし、MVNO(Mobile Virtual Network Operator)、MVNE(Mobile Virtual Network Enabler)等の仮想移動通信事業者や仮想移動体通信サービス提供者の為のコアネットワークでもよい。なお、コアネットワーク_B190は、EPS(Evolved Packet System)を構成するEPC(Evolved Packet Core)でもよく、5GC(5G Core Network)を構成する5GC(5G Core Network)でもよい。さらに、コアネットワーク_B190は、5G通信サービスを提供するシステムのコアネットワークでもよい。なお、コアネットワーク_B190は、これに限らず、モバイル通信サービスを提供するためのネットワークでもよい。
【００３６】
次に、コアネットワーク_B190の構成例を説明する。コアネットワーク_B190の構成の1例を説明する。図2にコアネットワーク_B190の構成の1例を示す。図2(a)のコアネットワーク_B190は、UDM_A50、PCF_A60、SMF(Session Management Function)_A230、UPF_A235、AMF(Access and Mobility Management Function)_A240、により構成される。
【００３７】
なお、SMF_A230、及び/又はAMF_A240は、CPF(Control Plane Function)であってもよく、UPF_A235は、PGW(User Plane Gateway)であってもよい。
【００３８】
また、コアネットワーク_B190は、複数の無線アクセスネットワーク(E-UTRAN_A80、5G RAN_A120、WLAN ANc125)に接続する事ができる。無線アクセスネットワークは、複数の異なるアクセスネットワークに接続した構成でもよいし、いずれか1つのアクセスネットワークに接続した構成でもよい。さらに、UE_A10は無線アクセスネットワークに無線接続する事ができる。
【００３９】
さらに、3GPPアクセスシステムで接続可能なアクセスネットワークは、E-UTRAN_A80と5G RAN_A120とが構成可能である。さらに、WLANアクセスシステムで接続可能なアクセスネットワークは、CPF又はAMF_A240とUPF_A235とに接続するWLANアクセスネットワークc(WLAN ANc125)とが構成可能である。以下、各装置の簡単な説明をする。
【００４０】
UPF_A235は、DN_A5とSMF_A230とE-UTRAN80と5G RAN_A120とWLAN ANc125とに接続される装置であり、DN_A5とコアネットワーク_B190とのゲートウェイとしてユーザデータの転送を行う中継装置である。言い換えると、UPF_A235は、UE_A10がユーザデータを配送するために確立するPDUセッションのアンカーポイント、又はアンカー装置とである。なお、UPF_A235は、IP通信及び/又はnon-IP通信の為のゲートウェイでもよい。さらに、UPF_A235は、IP通信を転送する機能を持っていてもよく、non-IP通信とIP通信を変換する機能を持っていてもよい。なお、こうしたゲートウェイはコアネットワーク_B190に複数配置されてよい。さらに複数配置されるゲートウェイは、コアネットワーク_B190と単一のDNを接続するゲートウェイでもよい。なお、UPF_A235は、他のNFとの接続性を備えてもよく、他のNFを介して各装置に接続してもよい。なお、UPF_A235は、はSGW及び/又はPGW及び/又はUPGWであってもよい。
【００４１】
PGWは、DN_A5とSGWとPCF_A60とに接続されており、DN_A5とコアネットワーク_B190とのゲートウェイとしてユーザデータの転送を行う中継装置である。なお、PGWは、IP通信及び/又はnon-IP通信の為のゲートウェイでもよい。
【００４２】
さらに、PGWは、IP通信を転送する機能を持っていてもよく、non-IP通信とIP通信を変換する機能を持っていてもよい。なお、こうしたゲートウェイはコアネットワーク_B190に複数配置されてよい。さらに複数配置されるゲートウェイは、コアネットワーク_B190と単一のDNを接続するゲートウェイでもよい。
【００４３】
なお、U-Plane(User Plane)とは、ユーザデータを送受信する為の通信路でもよく、複数のベアラで構成されてもよい。さらに、C-Plane(Control Plane)とは、制御メッセージを送受信する為の通信路でもよく、複数のベアラで構成されてもよい。
【００４４】
さらに、PGWは、UPファンクションとPolicyファンクションとに接続されてもよいし、U-Planeを介してUE_A10と接続されてもよい。さらに、PGWは、UPF_A235と一緒に構成されてもよい。
【００４５】
SGWは、PGWとMMEとE-UTRAN_A80とに接続されており、コアネットワーク_B190と3GPPのアクセスネットワーク(E-UTRAN_A80、5G RAN_A120)とのゲートウェイとしてユーザデータの転送を行う中継装置である。
【００４６】
さらに、SGWは、アクセスネットワークとの接点を持ったユーザデータの転送を行うUPファンクションでもよく、アクセスネットワークとコアネットワークとの間でユーザデータを転送する為のゲートウェイであるUPGW(User Plane Gateway)でもよい。
【００４７】
さらに、CPFは、UPF_A235とE-UTRAN_A80と5G RAN_A120とWLAN ANc125とUDM_A50に接続される装置である。CPFは、UE_A10等のモビリティ管理の役割を担うNFでもよく、PDUセッション等のセッション管理の役割を担うNFでもよく、1又は複数のNSIを管理するNFでもよい。また、CPFは、これらの1又は複数の役割を担うNFでよい。なお、NFは、コアネットワーク_B190内に1又は複数配置される装置でもよく、制御情報及び/又は制御メッセージの為のCPファンクション(Control Plane Function、又はControl Plane Network Function)でもよく、複数のNSI間で共有される共有CPファンクション(CCNF; Common CPNF(Control Plane Network Function))でもよい。なお、CPFは、他のNFとの接続性を備えてもよく、他のNFを介して各装置に接続してもよい。なお、CPFは、MMEであってもよいし、AMF_A240とSMF_A230との機能をもつNFであってもよいし、AMF_A240であってもよいし、SMF_A230であってもよい。
【００４８】
さらに、AMF_A240は、SMF_A230とE-UTRAN_A80と5G RAN_A120とWLAN ANc125とUDM_A50に接続される装置である。AMF_A240は、UE_A10等のモビリティ管理の役割を担うNFでもよく、1又は複数のNSIを管理するNFでもよい。また、AMF_A240は、これらの1又は複数の役割を担うNFでよい。なお、NFは、コアネットワーク_B190内に1又は複数配置される装置でもよく、制御情報及び/又は制御メッセージの為のCPファンクション(Control Plane Function、又はControl Plane Network Function)でもよく、複数のNSI間で共有される共有CPファンクション(CCNF; Common CPNF(Control Plane Network Function))でもよい。なお、AMF_A240は、他のNFとの接続性を備えてもよく、他のNFを介して各装置に接続してもよい。なお、AMF_A240は、CPFの機能の内、一部の機能をもつNFであってもよい。
【００４９】
さらに、SMF_A230は、AMF_A240とUPF_A235とUDM_A50とPCF_A60に接続される装置である。SMF_A230は、PDUセッション等のセッション管理の役割を担うNFでもよい。なお、NFは、コアネットワーク_B190内に1又は複数配置される装置でもよく、制御情報及び/又は制御メッセージの為のCPファンクション(Control Plane Function、又はControl Plane Network Function)でもよく、複数のNSI間で共有される共有CPファンクション(CCNF; Common CPNF(Control Plane Network Function))でもよい。なお、SMF_A230は、他のNFとの接続性を備えてもよく、他のNFを介して各装置に接続してもよい。なお、SMF_A230はCPFの機能の内、一部の機能をもつNFであってもよい。
【００５０】
MMEは、SGWとアクセスネットワークとHSSとSCEFとに接続されており、アクセスネットワークを経由してUE_A10のモビリティ管理を含む位置情報管理と、アクセス制御を行う制御装置である。さらに、MMEは、UE_A10が確立するセッションを管理するセッション管理装置としての機能を含んでもよい。
【００５１】
また、コアネットワーク_B190には、こうした制御装置を複数配置してもよく、例えば、MMEとは異なる位置管理装置が構成されてもよい。MMEとは異なる位置管理装置は、MMEと同様に、SGWとアクセスネットワークとSCEFとHSSと接続されてよい。
【００５２】
また、コアネットワーク_B190内に複数のMMEが含まれている場合、MME同士が接続されてもよい。これにより、MME間で、UE_A10のコンテキストの送受信が行われてもよい。このように、MMEは、UE_A10とモビリティ管理やセッション管理に関連する制御情報を送受信する管理装置であり、言い換えるとコントロールプレーン(Control Plane；C-Plane；CP)の制御装置であればよい。
【００５３】
さらに、MMEはコアネットワーク_B190に含まれて構成される例を説明したが、MMEは1又は複数のコアネットワーク又はDCN又はNSIに構成される管理装置でもよいし、1又は複数のコアネットワーク又はDCN又はNSIに接続される管理装置でもよい。ここで、複数のDCN又はNSIは単一の通信事業者によって運用されてもよいし、それぞれ異なる通信事業者によって運用されてもよい。
【００５４】
また、MMEは、コアネットワーク_B190とアクセスネットワークとの間のゲートウェイとしてユーザデータの転送を行う中継装置でもよい。なお、MMEがゲートウェイとなって送受信されるユーザデータは、スモールデータでもよい。
【００５５】
さらに、MMEは、UE_A10等のモビリティ管理の役割を担うNFでもよく、PDUセッション等のセッション管理の役割を担うNFでもよく、1又は複数のNSIを管理するNFでもよい。また、MMEは、これらの1又は複数の役割を担うNFでよい。なお、NFは、コアネットワーク_B190内に1又は複数配置される装置でもよく、制御情報及び/又は制御メッセージの為のCPファンクション(以下、CPF（Control Plane Function）、又はControl Plane Network Functionとしても称される)でもよく、複数のNSI間で共有される共有CPファンクションでもよい。
【００５６】
ここで、NFとは、ネットワーク内に構成される処理機能である。つまり、NFは、MMEやSGWやPGWやCPFやUPGWやAMF_A240やUPF_A235やSMF_A230やPCF_A60等の機能装置でもよいし、MM(Mobility Management)やSM(Session Management)等の機能や能力capability情報でもよい。また、NFは、単一の機能を実現する為の機能装置でもよいし、複数の機能を実現する為の機能装置でもよい。例えば、MM機能を実現する為のNFと、SM機能を実現する為のNFとが別々に存在してもよいし、MM機能とSM機能との両方の機能を実現する為のNFが存在してもよい。
【００５７】
SCEFは、DN_A5とCPF又はAMF_A240又はMMEとUDM_A50とに接続されており、DN_A5及び/又はDNとコアネットワーク_B190とを繋ぐゲートウェイとしてユーザデータの転送を行う中継装置である。なお、SCEFは、non-IP通信の為のゲートウェイでもよい。さらに、SCEFは、non-IP通信とIP通信を変換する機能を持っていてもよい。また、こうしたゲートウェイはコアネットワーク_B190に複数配置されてよい。さらに、コアネットワーク_B190と単一のDN_A5及び/又はDNを接続するゲートウェイも複数配置されてよい。なお、SCEFはコアネットワークの外側に構成されてもよいし、内側に構成されてもよい。
【００５８】
UDM_A50は、MME又はAMF_A240又はSMF_A230とSCEFとに接続されており、加入者情報の管理を行う管理ノードである。UDM_A50の加入者情報は、例えばMMEのアクセス制御の際に参照される。さらに、UDM_A50は、MMEとは異なる位置管理装置と接続されていてもよい。例えば、UDM_A50は、CPF又はAMF_A240又はSMF_A230と接続されていてもよい。
【００５９】
PCF_A60は、UPGW又はSMF_A230又はPGWとDN_A5とに接続されており、データ配送に対するQoS管理を行う。例えば、UE_A10とDN_A5間の通信路のQoSの管理を行う。さらに、PCF_A60は、各装置がユーザデータを送受信する際に用いるPCC(Policy and Charging Control)ルール、及び/又はルーティングルールを作成、及び/又は管理する装置でもよい。
【００６０】
また、PCF_A60は、ポリシーを作成及び/又は管理するPolicyファンクションでもよい。より詳細には、PCF_A60は、UPファンクションに接続されていてもよい。
【００６１】
また、図2(b)に示すように、各無線アクセスネットワークには、UE_A10が実際に接続される装置(例えば、基地局装置やアクセスポイント装置)等が含まれている。接続に用いられる装置は、無線アクセスネットワークに適応した装置が考えられる。
【００６２】
本実施形態においては、E-UTRAN_A80は、LTE(Long Term Evolution)のアクセスネットワークであり、eNB_A45を含んで構成される。eNB_A45はE-UTRA(Evolved Universal Terrestrial Radio Access)でUE_A10が接続する無線基地局であり、E-UTRAN_A80には1又は複数のeNB_A45が含まれて構成されてよい。また、複数のeNBは互いに接続してよい。
【００６３】
さらに、5G RAN_A120は、5Gのアクセスネットワークであり、AN node(New Radio Access Technology node)_A122を含んで構成される。AN node_A122はNextGen RA(Next Generation Radio Access)でUE_A10が接続する無線基地局であり、5G RAN_A120には1又は複数のAN node_A122が含まれて構成されてよい。なお、5G RAN_A120に複数のAN node_A122が含まれる場合、5G RAN_A120には、AN node_A122とAN node_B123とが含まれてもよい。この場合、AN node_B123はAN node_A122と同じ構成であってよい。
【００６４】
さらに、5G RAN_A120は、E-UTRA及び/又はNextGen RAで構成されるアクセスネットワークでもよい。言い換えると、5G RAN_A120には、eNB_A45が含まれてもよいし、AN node_A122が含まれてもよいし、その両方が含まれてもよい。この場合、eNB_A45とAN node_A122とは同様の装置であってもよい。従って、AN node_A122は、eNB_A45と置き換えことができる。
【００６５】
なお、5G RAN_A120は、5G-RAN(5G Radio Access Network)であってもよいし、5G-AN(5G Access Network)であってもよい。言い換えると、5G RAN_A120のことをNextGen RAN 及び/又は5G-ANと表現してもよいし、NextGen RAN及び/又は5GN-ANのことを5G RAN_A120と表現してもよい。
【００６６】
WLAN ANc125は、無線LANアクセスネットワークであり、WAG_A126が含まれて構成される。WAG(WLAN Access Gateway)_A126は、無線LANアクセスでUE_A10が接続する無線基地局であり、WLAN ANc125には1又は複数のWAG_A126が含まれて構成されてよい。さらに、WAG_A126はコアネットワーク_B190とWLAN ANc125のゲートウェイでもよい。また、WAG_A126は、無線基地局の機能部とゲートウェイの機能部とが別の装置で構成されてもよい。
【００６７】
なお、本明細書において、UE_A10が各無線アクセスネットワークに接続されるという事は、各無線アクセスネットワークに含まれる基地局装置やアクセスポイント等に接続される事であり、送受信されるデータや信号等も、基地局装置やアクセスポイントを経由するという事である。なお、UE_A10とコアネットワーク_B190間で送受信する制御メッセージは、アクセスネットワークの種類によらず、同じ制御メッセージでもよい。従って、UE_A10とコアネットワーク_B190とがAN node_A122を介してメッセージを送受信するということは、UE_A10とコアネットワーク_B190とがeNB_A45、及び/又はWAG_A126を介してメッセージを送信することと同じであってよい。
【００６８】
次に、本実施形態における、PDUセッションアンカーリロケーション時のシステムの概要を、図3をもちいて説明をする。コアネットワーク_B190には、少なくとも2つのUPF(UPF_A235、UPF_B236)とSMF_A230とAMF_A240とが含まれている。このとき、UPF_A235とUPF_B236が接続するDNは等しい。更に、UPF_A235とUPF_B236はSMF_A230により管理されるゲートウェイ装置である。
【００６９】
UE_A10はアクセスネットワーク_Bを介してUPF_A235及び/又はUPF_B236とユーザデータの送受信をすることが出来る。
【００７０】
[1.2.装置の構成]
まず、各装置で記憶される識別情報について説明する。SUPI(Subscriber Permanent Identifier)は、5GSにおいて、5Gの加入者に割り当てる永久的な識別情報であり、加入者(ユーザ)の永久的な識別情報であり、UEを使用するユーザに割り当てられる識別情報である。SUPIは、IMSI(International Mobile Subscriber Identity)であってもよいし、NAI(Network Access Identifier)であってもよい。UDM_A50が記憶するSUPIとHSSが記憶するIMSIは等しくてもよいし、少なくともいずれかのNFでUDM_A50が記憶するSUPIとHSSが記憶するIMSIの紐づけを記憶してもよい。UE_A10及びAMF_A240が記憶するIMSIは、UDM_A50又はHSSが記憶するIMSIと等しくてよい。
【００７１】
IMSIは、加入者(ユーザ)の永久的な識別情報であり、UEを使用するユーザに割り当てられる識別情報である。UE_A10及びMME/CPF/AMF_A240及びSGWが記憶するIMSIは、UDM_A50又はHSSが記憶するIMSIと等しくてよい。
【００７２】
RM State/MM Stateは、UE_A10又はAMF_A240の移動管理(Mobility management)状態を示す。例えば、RM State/MM Stateは、UE_A10がネットワークに登録されているRM-REGISTERED状態(登録状態)、及び/又はUE_A10がネットワークに登録されていないRM-DEREGISTERD状態(非登録状態)でもよい。また、RM State/MM Stateは、UE_A10とコアネットワーク間の接続が維持されているECM-CONNECTED状態、及び/又は接続が解放されているECM-IDLE状態でもよい。なお、RM State/MM Stateは、UE_A10がEPCに登録されている状態と、5GCに登録されている状態とを、区別できる情報であってもよい。
【００７３】
GUTI(Globally Unique Temporary Identity)は、UE_A10の一時的な識別情報である。GUTIは、MME/CPF/AMF_A240の識別情報(GUMMEI(Globally Unique MME Identifier))と特定MME/CPF/AMF_A240内でのUE_A10の識別情報(M-TMSI(M-Temporary Mobile Subscriber Identity))とにより構成される。ME Identityは、UE_A10又はMEのIDであり、例えば、PEI(Permanent Equipment Identifier)やIMEI(International Mobile Equipment Identity)やIMEISV(IMEI Software Version)でもよい。MSISDNは、UE_A10の基本的な電話番号を表す。MME/CPF/AMF_A240が記憶するMSISDNはUDM_A50の記憶部により示された情報でよい。なお、GUTIには、CPFを識別する情報が含まれてもよい。
【００７４】
MME F-TEIDは、MME/CPF/AMF_A240を識別する情報である。MME F-TEIDには、MME/CPF/AMF_A240のIPアドレスが含まれてもよいし、MME/CPF/AMF_A240のTEID(Tunnel Endpoint Identifier)が含まれてもよいし、これらの両方が含まれてもよい。また、MME/CPF/AMF_A240のIPアドレスとMME/CPF/AMF_A240のTEIDは独立して記憶されてもよい。また、MME F-TEIDは、ユーザデータ用の識別情報でもよいし、制御情報用の識別情報でもよい。MME F-TEIDは、AMF IDであってもよい。
【００７５】
SGW F-TEIDは、SGWを識別する情報である。SGW F-TEIDには、SGWのIPアドレスが含まれてもよいし、SGWのTEIDが含まれてもよいし、これら両方が含まれてもよい。また、SGWのIPアドレスとSGWのTEIDとは、独立して記憶されてもよい。また、SGW F-TEIDは、ユーザデータ用の識別情報でもよいし、制御情報用の識別情報でもよい。SGW F-TEIDはUPG IDであってもよい。
【００７６】
PGW F-TEIDは、PGW/UPGW/SMF_A230/UPF_A235を識別する情報である。PGW F-TEIDには、PGW/UPGW/SMF_A230/UPF_A235のIPアドレスが含まれてもよいし、PGW/UPGW/SMF_A230/UPF_A235のTEIDが含まれてもよいし、これらの両方が含まれてもよい。また、PGW/UPGW/SMF_A230/UPF_A235のIPアドレスとPGW/UPGW/SMF_A230/UPF_A235のTEIDは独立して記憶されてもよい。また、PGW F-TEIDは、ユーザデータ用の識別情報でもよいし、制御情報用の識別情報でもよい。PGW F-TEIDは、UPGW IDであってよい。
【００７７】
eNB F-TEIDはeNB_A45を識別する情報である。eNB F-TEIDには、eNB_A45のIPアドレスが含まれてもよいし、eNB_A45のTEIDが含まれてもよいし、これら両方が含まれてもよい。また、eNB_A45のIPアドレスとSGWのTEIDとは、独立して記憶されてもよい。また、eNB F-TEIDは、ユーザデータ用の識別情報でもよいし、制御情報用の識別情報でもよい。
【００７８】
DNN(Data Network Name)は、コアネットワークとDN等の外部ネットワークとを識別する識別情報でよい。さらに、DNNは、コアネットワークを接続するPGW/UPGW/UPF_A235等のゲートウェイを選択する情報として用いる事もできる。なお、DNNは、APN(Access Point Name)であってもよい。従って、APNのことをDNNと表現してもよいし、DNNのことをAPNと表現してもよい。
【００７９】
なお、DNNは、こうしたゲートウェイを識別する識別情報でもよいし、DN等の外部ネットワークを識別する識別情報でもよい。なお、コアネットワークとDNとを接続するゲートウェイが複数配置される場合には、DNNによって選択可能なゲートウェイは複数あってもよい。さらに、DNN以外の識別情報を用いた別の手法によって、こうした複数のゲートウェイの中から1つのゲートウェイを選択してもよい。
【００８０】
なお、DNNは、こうしたゲートウェイを識別する識別情報でもよいし、DN等の外部ネットワークを識別する識別情報でもよい。なお、コアネットワーク_B190とDNとを接続するゲートウェイが複数配置される場合には、DNNによって選択可能なゲートウェイは複数あってもよい。さらに、DN ID以外の識別情報を用いた別の手法によって、こうした複数のゲートウェイの中から1つのゲートウェイを選択してもよい。
【００８１】
さらに、DNNは、APNと等しい情報でもよいし、APNとは異なる情報でもよい。なお、DNNとAPNが異なる情報である場合、各装置は、DNNとAPNとの対応関係を示す情報を管理してもよいし、DNNを用いてAPNを問い合わせる手続きを実施してもよいし、APNを用いてDNNを問い合わせる手続きを実施してもよい。
【００８２】
UE Radio Access Capabilityは、UE_A10の無線アクセス能力を示す識別情報である。UE Network Capabilityは、UE_A10にサポートされるセキュリティーのアルゴリズムと鍵派生関数を含める。MS Network Capabilityは、GERAN_A25及び/又はUTRAN_A20機能をもつUE_A10に対して、SGSN_A42に必要な1又は複数の情報を含める情報である。Access Restrictionは、アクセス制限の登録情報である。eNB Addressは、eNB_A45のIPアドレスである。MME UE S1AP IDは、MME/CPF/AMF_A240内でUE_A10を識別する情報である。eNB UE S1AP IDは、eNB_A45内でUE_A10を識別する情報である。
【００８３】
APN in Useは、最近使用されたAPNである。APN in UseはData Network Identifierでもよい。このAPNは、ネットワークの識別情報と、デフォルトのオペレータの識別情報とで構成されてよい。さらに、APN in Useは、PDUセッションの確立先のDNを識別する情報でもよい。
【００８４】
Assigned Session Typeは、PDUセッションのタイプを示す情報である。Assigned Session TypeはAssigned PDN Typeでもよい。PDUセッションのタイプは、IPでもよいし、non-IPでもよい。さらに、PDUセッションのタイプがIPである場合、ネットワークから割り当てられたPDNのタイプを示す情報をさらに含んでもよい。なお、Assigned Session Typeは、IPv4、IPv6、又はIPv4v6でよい。
【００８５】
また、特に記載がない場合には、IP Addressは、UEに割り当てられたIPアドレスである。IPアドレスは、IPv4アドレスでもよいし、IPv6アドレスでもよいし、IPv6プレフィックスでもよい。なお、Assigned Session Typeがnon-IPを示す場合、IP Addressの要素を含まなくてもよい。
【００８６】
EPS Bearer IDは、EPSベアラの識別情報である。また、EPS Bearer IDは、SRB(Signalling Radio Bearer)及び/又はCRB(Control-plane Radio bearer)を識別する識別情報でもよいし、DRB(Data Radio Bearer)を識別する識別情報でもよい。TI(Transaction Identifier)は、双方向のメッセージフロー(Transaction)を識別する識別情報である。なお、EPS Bearer IDは、デディケイテッドベアラ(dedicated bearer)を識別するEPSベアラ識別情報でよい。したがって、デフォルトベアラとは異なるEPSベアラを識別する識別情報でよい。TFTは、EPSベアラと関連づけられた全てのパケットフィルターを示す。TFTは送受信するユーザデータの一部を識別する情報であり、UE_A10は、TFTによって識別されたユーザデータを、TFTに関連付けたEPSベアラを用いて送受信する。さらに言い換えると、UE_A10は、TFTによって識別されたユーザデータを、TFTに関連づけたRB(Radio Bearer)を用いて送受信する。また、TFTは、送受信するアプリケーションデータ等のユーザデータを適切な転送路に対応づけるものでもよく、アプリケーションデータを識別する識別情報でもよい。また、UE_A10は、TFTで識別できないユーザデータを、デフォルトベアラを用いて送受信してもよい。また、UE_A10は、デフォルトベアラに関連付けられたTFTを予め記憶しておいてもよい。EPS Bearer IDはルートIDであってもよい。
【００８７】
Default Bearerは、PDUセッションに対応づけられたデフォルトベアラを識別するEPSベアラ識別情報である。なお、EPSベアラとは、UE_A10とPGW/UPGW/UPF_A235との間で確立する論理的な通信路でもよく、PDNコネクション/PDUセッションを構成する通信路でもよい。さらに、EPSベアラは、デフォルトベアラでもよく、デディケイテッドベアラでもよい。さらに、EPSベアラは、UE_A10とアクセスネットワーク内の基地局及び/又はアクセスポイントとの間で確立するRBを含んで構成されてよい。さらに、RBとEPSベアラとは1対1に対応づけられてよい。その為、RBの識別情報は、EPSベアラの識別情報と1対1に対応づけられてもよいし、同じ識別情報でもよい。なお、RBは、SRB及び/又はCRBでもよいし、DRBでもよい。また、Default Bearerは、PDUセッション確立時にUE_A10及び/又はSGW及び/又はPGW/UPGW/SMF_A230/UPF_A235がコアネットワークから取得する情報でよい。なお、デフォルトベアラとは、PDNコネクション/PDUセッション中で最初に確立されるEPSベアラであり、1つのPDNコネクション/PDUセッション中に、1つしか確立することができないEPSベアラである。デフォルトベアラは、TFTに対応付けられていないユーザデータの通信に用いることができるEPSベアラであってもよい。また、デディケイテッドベアラとは、PDNコネクション/PDUセッション中でデフォルトベアラが確立された後に確立されるEPSベアラであり、1つのPDNコネクション/PDUセッション中に、複数確立することができるEPSベアラである。デディケイテッドベアラは、TFTに対応付けられたユーザデータの通信に用いることができるEPSベアラである。Default BearerはデフォルトルートIDであってもよいし、1または複数のデフォルトルートを示す情報であってよい。
【００８８】
User Identityは、加入者を識別する情報である。User Identityは、SUPIでもよいし、IMSIでもよいし、MSISDNでもよい。さらに、User Identityは、SUPI、IMSI、MSISDN以外の識別情報でもよい。Serving Node Informationは、PDUセッションで用いられているMME/CPF/AMF_A240を識別する情報であり、MME/CPF/AMF_A240のIPアドレスでよい。
【００８９】
eNB Addressは、eNB_A45のIPアドレスである。eNB IDは、eNB_A45内でUEを識別する情報である。MME Addressは、MME/CPF/AMF_A240のIPアドレスである。MME IDは、MME/CPF/AMF_A240を識別する情報である。AN node Addressは、AN node_A122のIPアドレスである。AN node IDは、AN node_A122を識別する情報である。WAG Addressは、WAG_A126のIPアドレスである。WAG IDは、WAG_A126を識別する情報である。
【００９０】
以下、各装置の構成について説明する。なお、下記各装置及び各装置の各部の機能の一部又は全部は、物理的なハードウェアの上で動作するものでもよいし、仮想的に汎用的なハードウェア上に構成された論理的なハードウェア上動作するものでもよい。
【００９１】
[1.2.1.UEの構成]
図4にUE_A10の装置構成を示す。図に示すように、UE_A10は、送受信部_A420と制御部_A400と記憶部_A440とで構成されている。送受信部_A420と記憶部_A440は、制御部_A400とバスを介して接続されている。制御部_A400はUE_A10を制御する為の機能部である。制御部_A400は、記憶部_A440に記憶されている各種プログラムを読みだして実行する事により各種処理を実現する。
【００９２】
送受信部_A420は、UE_A10がアクセスネットワーク内の基地局及び/又はアクセスポイントに接続し、アクセスネットワークへ接続する為の機能部である。また、送受信部_A420には、外部アンテナ_A410が接続されている。言い換えると、送受信部_A420は、UE_A10がアクセスネットワーク内の基地局及び/又はアクセスポイントと接続する為の機能部である。さらに、送受信部_A420は、UE_A10が、アクセスネットワーク内の基地局及び/又はアクセスポイントから、ユーザデータ及び/又は制御情報を送受信する送受信機能部である。
【００９３】
記憶部_A440は、UE_A10の各動作に必要なプログラムやデータ等を記憶する機能部である。記憶部_A440は、例えば、半導体メモリや、HDD(Hard Disk Drive)等により構成されている。記憶部_A440は、少なくとも、後述する通信手続き内で送受信する制御メッセージに含まれる識別情報、及び/又は制御情報、及び/又はフラグ、及び/又はパラメータを記憶してもよい。記憶部_A440は、図に示すように、UEコンテキスト442を記憶する。以下、記憶部_A440で記憶される情報要素について説明する。なお、UEコンテキスト442は、コアネットワーク_B190に接続する際に用いるUEコンテキストと、コアネットワーク_B190に接続する際に用いるUEコンテキストとがあってもよい。さらに、コアネットワーク_B190に接続する際に用いるUEコンテキストと、コアネットワーク_B190に接続する際に用いるUEコンテキストとは、一緒に記憶されてもよいし、別々に記憶されてもよい。
【００９４】
まず、図5(b)にUEごとに記憶されるUEコンテキストに含まれる情報要素を示す。図に示すように、UEごとに記憶されるUEコンテキストは、SUPI、RM State、GUTI、ME Identityを含む。次に、図5(c)にPDUセッション又はPDNコネクションごとに記憶されるPDUセッション又はPDNコネクションごとのUEコンテキストを示す。図に示すように、PDUセッションごとのUEコンテキストは、DNN、Assigned Session Type、IP Address(es)、Default Bearerを含む。
【００９５】
図5(d)は、UEの記憶部で記憶されるベアラごとのUEコンテキストを示す。図に示すように、ベアラごとのUEコンテキストは、EPS Bearer ID、TI、TFTを含む。
【００９６】
[1.2.2.eNB/AN node/WAGの構成]
以下、eNB_A45、AN node_A122、及びWAG_A126の構成について説明する。図6にeNB_A45、AN node_A122、及びWAG_A126の装置構成を示す。図に示すように、eNB_A45、AN node_A122、及びWAG_A126は、ネットワーク接続部_B620と送受信部_B630と制御部_B600と記憶部_B640で構成されている。ネットワーク接続部_B620と送受信部_B630と記憶部_B640は、制御部_B600とバスを介して接続されている。
【００９７】
制御部_B600はeNB_A45を制御する為の機能部である。制御部_B600は、記憶部_B640に記憶されている各種プログラムを読みだして実行する事により各種処理を実現する。
【００９８】
ネットワーク接続部_B620は、eNB_A45、AN node_A122、及びWAG_A126が、MME及び/又はSGWと接続する為の機能部である。さらに、ネットワーク接続部_B620は、eNB_A45、AN node_A122、及びWAG_A126が、MME及び/又はSGWから、ユーザデータ及び/又は制御情報を送受信する送受信部である。
【００９９】
送受信部_B630は、eNB_A45、AN node_A122、及びWAG_A126がUE_A10と接続する為の機能部である。さらに、送受信部_B630は、UE_A10からユーザデータ及び/又は制御情報を送受信する送受信機能部である。また、送受信部_B630には、外部アンテナ_B610が接続されている。
【０１００】
記憶部_B640は、eNB_A45、AN node_A122、及びWAG_A126の各動作に必要なプログラムやデータ等を記憶する機能部である。記憶部_B640は、例えば、半導体メモリや、HDD等により構成されている。記憶部_B640は、少なくとも、後述する通信手続き内で送受信する制御メッセージに含まれる識別情報及び/又は制御情報及び/又はフラグ及び/又はパラメータを記憶してもよい。記憶部_B640は、これらの情報をコンテキストとしてUE_A10毎に記憶してもよい。
【０１０１】
[1.2.3.MME/CPF/AMFの構成]
以下、MME及びCPF及びAMF_A240の構成について説明する。図7にMME及びCPF及びAMF_A240の装置構成を示す。図に示すように、MME及びCPF及びAMF_A240は、ネットワーク接続部_C720と制御部_C700と記憶部_C740で構成されている。ネットワーク接続部_C720と記憶部_C740は、制御部_C700とバスを介して接続されている。なお、これらの各部の機能は、物理的なハードウェア上で動作するものでもよいし、仮想的に汎用的なハードウェア上に構成された論理的なハードウェア上で動作するものでもよい。
【０１０２】
制御部_C700はMME及びCPF及びAMF_A240を制御する為の機能部である。制御部_C700は、記憶部_C740に記憶されている各種プログラムを読みだして実行する事により各種処理を実現する。
【０１０３】
ネットワーク接続部_C720は、MMEが、アクセスネットワーク内の基地局、及び/又はアクセスネットワーク内のアクセスポイント、及び/又はSCEF、及び/又はUDM_A50及び/又はSGWと接続する為の機能部である。さらに、ネットワーク接続部_C720は、MMEが、アクセスネットワーク内の基地局、及び/又はアクセスネットワーク内のアクセスポイント、及び/又はSCEF、及び/又はUDM_A50、及び/又はSGWと、ユーザデータ及び/又は制御情報を送受信する送受信部である。
【０１０４】
さらに、ネットワーク接続部_C720は、CPFが、アクセスネットワーク内の基地局、及び/又はアクセスネットワーク内のアクセスポイント、及び/又はSCEF、及び/又はUDM_A50及び/又はUPGW、及び/又はUPF_A235、及び/又はSMF_A230と接続する為の機能部である。さらに、ネットワーク接続部_C720は、MMEが、アクセスネットワーク内の基地局、及び/又はアクセスネットワーク内のアクセスポイント、及び/又はSCEF、及び/又はUDM_A50、及び/又はUPGW、及び/又はUPF_A235と、ユーザデータ及び/又は制御情報を送受信する送受信部である。
【０１０５】
記憶部_C740は、MME及びCPF及びAMF_A240の各動作に必要なプログラムや、データ等を記憶する機能部である。記憶部_C740は、例えば、半導体メモリやHDD等により構成されている。記憶部_C740は、少なくとも、後述する通信手続き内で送受信する制御メッセージに含まれる識別情報、及び/又は制御情報、及び/又はフラグ、及び/又はパラメータを記憶してもよい。
【０１０６】
記憶部_C740は、図に示すように、MMEコンテキスト742を記憶する。以下、記憶部_C740で記憶される情報要素について説明する。なお、MMEコンテキストは、CPFが記憶コンテキストでもよい。まず、図8(b)にUEごとに記憶されるUEコンテキストに含まれる情報要素を示す。図に示すように、UEごとに記憶されるMMEコンテキストは、SUPI、MSISDN、RM State、GUTI、ME Identity、UE Radio Access Capability、UE Network Capability、MS Network Capability、Access Restriction、MME F-TEID、SGW F-TEID、eNB Address、MME UE S1AP ID、eNB UE S1AP ID、AN node Address、AN node ID、WAG Address、WAG IDのうち1又は複数を含む。
【０１０７】
次に、図9(c)にPDUセッション又はPDNコネクションごとに記憶されるPDUセッション又はPDNコネクションごとのMMEコンテキストを示す。図に示すように、PDUセッションごとのMMEコンテキストは、DNN、Assigned Session Type、IP Address(es)、PGW F-TEID、Default bearerを含む。
【０１０８】
図9(d)は、ベアラごとに記憶されるベアラごとのMMEコンテキストを示す。図が示すように、ベアラごとに記憶されるMMEコンテキストは、EPS Bearer ID、TI、TFT、SGW F-TEID、PGW F-TEID、MME F-TEID、eNB Address、AN node Address、WAG Address、eNB ID、AN node ID、WAG IDのうち1又は複数を含む。ここで、図8と図9に示すMMEコンテキストに含まれる情報要素は、MMコンテキスト又はEPSベアラコンテキストのいずれかに含まれ、記憶されてもよい。
【０１０９】
[1.2.4.SGW/UPFの構成]
図10にSGW/UPF_A235の装置構成を示す。図に示すように、SGW/UPF_A235はネットワーク接続部_D1020と制御部_D1000と記憶部_D1040とで構成されている。ネットワーク接続部_D1020と記憶部_D1040は、制御部_D1000とバスを介して接続されている。
【０１１０】
制御部_D1000はSGW/UPF_A235を制御する為の機能部である。制御部_D1000は、記憶部_D1040に記憶されている各種プログラムを読みだして実行する事により各種処理を実現する。
【０１１１】
ネットワーク接続部_D1020は、SGW/UPF_A235が、アクセスネットワーク内の基地局及び/又はアクセスポイント、及び/又はMME、及び/又はPGW、及び/又はSGSN_A42と接続する為の機能部である。さらに、ネットワーク接続部_D1020は、SGW/UPF_A235が、アクセスネットワーク内の基地局及び/又はアクセスポイント、及び/又はMME、及び/又はPGW、及び/又はSGSN_A42から、ユーザデータ及び/又は制御情報を送受信する送受信部である。
【０１１２】
記憶部_D1040は、SGW/UPF_A235の各動作に必要なプログラムや、データ等を記憶する機能部である。記憶部_D1040は、例えば、半導体メモリやHDD等により構成されている。記憶部_D1040は、少なくとも、後述する通信手続き内で送受信する制御メッセージに含まれる識別情報、及び/又は制御情報、及び/又はフラグ、及び/又はパラメータを記憶してもよい。
【０１１３】
記憶部_D1040は、図に示すように、EPSベアラコンテキスト1042を記憶する。なお、EPSベアラコンテキスト1042の中には、UEごとに記憶されるものと、PDUセッションごとに記憶されるものと、ベアラごとに記憶されるものが含まれる。
【０１１４】
まず、図11(b)にUEごとに記憶されるEPSベアラコンテキストの情報要素を示す。図に示すように、UEごとに記憶されるEPSベアラコンテキストは、SUPI、ME Identity、MSISDN、MME F-TEID、SGW F-TEIDを含む。
【０１１５】
さらに、EPSベアラコンテキストには、PDUセッションごとに記憶されるPDUセッションごとのEPSベアラコンテキストが含まれる。図11(c)に、PDUセッションごとのEPSベアラコンテキストを示す。図に示すように、PDUセッションごとのEPSベアラコンテキストは、DNN、Assigned Session Type、SGW F-TEID、PGW F-TEID、Default Bearer、IP Address(es)を含む。
【０１１６】
さらに、EPSベアラコンテキストには、ベアラごとのEPSベアラコンテキストが含まれる。図11(d)は、ベアラごとのEPSベアラコンテキストを示す。図に示すように、ベアラごとのEPSベアラコンテキストは、EPS Bearer ID、TFT、PGW F-TEID、SGW F-TEID、eNB F-TEID、MME Address、AN node Address、WAG Address、MME ID、AN node ID、WAG IDのうち1又は複数を含む。
【０１１７】
[1.2.5.PGW/UPGW/SMF/UPFの構成]
図10にPGW及びUPGW及びSMF_A230及びUPF_A235の装置構成を示す。図に示すように、PGW及びUPGW及びSMF_A230及びUPF_A235はネットワーク接続部_D1020と制御部_D1000と記憶部_D1040とで構成されている。ネットワーク接続部_D1020と記憶部_D1040は、制御部_D1000とバスを介して接続されている。なお、これらの各部の機能は、物理的なハードウェア上で動作するものでもよいし、仮想的に汎用的なハードウェア上に構成された論理的なハードウェア上で動作するものでもよい。
【０１１８】
制御部_D1000はPGWを制御する為の機能部である。制御部_D1000は、記憶部_D1040に記憶されている各種プログラムを読みだして実行する事により各種処理を実現する。
【０１１９】
ネットワーク接続部_D1020は、PGWが、SGW、及び/又はPCF_A60、及び/又はePDG_A65、及び/又はAAA_A55、及び/又はTWAG_A74、及び/又はDN_A5と接続する為の機能部である。また、ネットワーク接続部_D1020は、PGWが、SGW、及び/又はPCF_A60、及び/又はePDG_A65、及び/又はAAA_A55、及び/又はTWAG_A74、及び/又はDN_A5から、ユーザデータ及び/又は制御情報を送受信する送受信部である。
【０１２０】
さらに、ネットワーク接続部_D1020は、UPGWが、PCF_A60、及び/又はAN node_A122、及び/又はDN_A5と接続する為の機能部である。また、ネットワーク接続部_D1020は、PGWが、SGW、及び/又はPCF_A60、及び/又はePDG_A65、及び/又はAAA_A55、及び/又はTWAG_A74、及び/又はDN_A5から、ユーザデータ及び/又は制御情報を送受信する送受信部である。
【０１２１】
また、ネットワーク接続部_D1020は、SMF_A230が、AMF_A240、及び/又はUPF_A235、及び/又はUDM_A50、及び/又はPCF_A60と接続する為の機能部である。また、ネットワーク接続部_D1020は、SMF_A230が、AMF_A240、及び/又はUPF_A235、及び/又はUDM_A50に対して、制御情報を送受信する送受信部である。
【０１２２】
また、ネットワーク接続部_D1020は、UPF_A235が、AN node_A122、及び/又はSMF_A230、及び/又はDN_A5、及び/又はDN_B105と接続する為の機能部である。また、ネットワーク接続部_D1020は、UPF_A235が、AN node_A122、及び/又はSMF_A230、及び/又はDN_A5、及び/又はDN_B105に対して、ユーザデータ及び/又は制御情報を送受信する送受信部である。
【０１２３】
記憶部_D1040は、PGWの各動作に必要なプログラムやデータ等を記憶する機能部である。記憶部_D1040は、例えば、半導体メモリやHDD等により構成されている。記憶部_D1040は、少なくとも、後述する通信手続き内で送受信する制御メッセージに含まれる識別情報、及び/又は制御情報、及び/又はフラグ、及び/又はパラメータを記憶してもよい。
【０１２４】
記憶部_D1040は、図に示すように、EPSベアラコンテキスト1042を記憶する。なお、EPSベアラコンテキスト1042の中には、UEごとに記憶されるものと、APNごとに記憶されるものと、PDUセッション又はPDNコネクションごとに記憶されるものと、ベアラごとに記憶されるものとが分かれて記憶されてもよい。さらに、EPSベアラコンテキストは、UPGW、及び/又はSMF_A230、及び/又はUPF_A235に記憶されるコンテキストであってもよい。
【０１２５】
図12(b)は、UEごとに記憶されるEPSベアラコンテキストに含まれる情報要素を示す。図に示すように、UEごとに記憶されるEPSベアラコンテキストは、SUPI、ME Identity、MSISDN、RAT typeを含む。
【０１２６】
次に、図12(c)にAPNごとに記憶されるEPSベアラコンテキストを示す。図に示すように、PGW記憶部のAPNごとに記憶されるEPSベアラコンテキストは、APN in useを含む。なお、APNごとに記憶されるEPSベアラコンテキストは、Data Network Identifierごとに記憶されてもよい。
【０１２７】
また、図12(d)にPDUセッション又はPDNコネクションごとに記憶されるPDUセッション又はPDNコネクションごとのEPSベアラコンテキストを示す。図に示すように、PDUセッション又はPDNコネクションごとのEPSベアラコンテキストは、Assigned Session Type、IP Address(es)、SGW F-TEID、PGW F-TEID、Default Bearerを含む。
【０１２８】
さらに、図12(e)に、EPSベアラごとに記憶されるEPSベアラコンテキストを示す。図に示すように、EPSベアラコンテキストは、EPS Bearer ID、TFT、SGW F-TEID、PGW F-TEIDを含む。
【０１２９】
[1.3.初期手続きの説明]
次に、本実施形態における初期手続きの詳細手順を説明する前に、重複説明を避ける為、本実施形態特有の用語や、各手続きに用いる主要な識別情報を予め説明する。
【０１３０】
SUPI(Subscriber Permanent Identifier)は、登録者に割り当てられる識別情報である。SUPIは、IMSI(International Mobile Subscriber Identity)であってもよいし、NAI(Network Access Identifier)であってもよい。
【０１３１】
CM stateとは、UEとAMF間のNAS信号の接続の状態を管理するために用いる情報である。CM stateには、UEとAMF間の接続がないCM-IDLE状態と、UEとAMF間の接続が確立されているCM-CONNECTEDが含まれる。
【０１３２】
CM-IDLE状態のUEは、AMFとNAS信号の接続がない状態、及びアクセスネットワークと接続が解放された状態である。CM-IDLEのUEが上り信号またはユーザデータを送信する場合に、サービス要求手続きを開始して、CM-CONNECTEDに遷移を要求してもよい。CM-IDLE状態のAMFは、UEにページングを送信することで、サービス要求手続きを開始させ、CM-IDLE状態への遷移を開始してもよい。
【０１３３】
一方で、CM-CONNECTED状態のUEは、AMFとのNAS信号の接続が確立された状態、及びアクセスネットワークと接続が確立された状態であってよい。
【０１３４】
DNN(Data Network Name)は、DN(Data Network)を識別する情報である。DNNはAPN(Access Point Name)であってもよい。
【０１３５】
第1のPDUセッションは、UPF_A235をアンカーポイントとしたルートを構成するPDUセッションである。言い換えれば、第1のPDUセッションのアンカーポイントはUPF_A235である。
【０１３６】
第2のPDUセッションは、UPF_B236をアンカーポイントとしたルートを構成するPDUセッションである。言い換えれば、第1のPDUセッションのアンカーポイントはUPF_B236である。
【０１３７】
第1の状態とは、第1のPDUセッションが確立された状態であり、更に第2のPDUセッションが確立されていない状態である。更に、第１の状態は、REGISTERD状態である。
【０１３８】
ここで、REGISTERD状態は、UEがネットワークに登録された状態であり、AMFがUEに関するコンテキストを記憶している状態であってよい。
【０１３９】
第2の状態とは、第1のPDUセッションが確立されていない状態であり、更に第2のPDUセッションが確立されていない状態である。更に、第2の状態では、ネットワークは第1のPDUセッションに関する情報を記憶している状態であってよい。言い換えれば、第2の状態は、AMF_A240は、第1のPDUセッションで選択されたSMFを識別するSMF IDを記憶する状態であり、及び/又はSMF_A230が第1のPDUセッションで選択されたUPFを識別するUPF IDを記憶する状態であってよい。更に、第2の状態は、REGISTERD状態であってよい。
【０１４０】
なお、SMF_A230は、第1のPDUセッションで選択されたUPFを識別するUPF IDを、PDUセッション再確立手続き時に禁止するUPFとして記憶してもよいし、代わりにリロケーション先のUPFを選択し、記憶してもよい。
【０１４１】
第3の状態とは、第1のPDUセッションが確立されていない状態であり、更に第2のPDUセッションが確立された状態である。言い換えれば、第3の状態とは、第1のPDUセッションが解放された状態であり、第2のPDUセッションが確立された状態である。更に、第3の状態は、REGISTERD状態である。
【０１４２】
第4の状態とは、第1のPDUセッションが確立された状態であり、更に第2のPDUセッションが確立された状態である。言い換えれば、第4の状態は、第1のPDUセッションと第2のPDUセッションが同時に確立されている状態である。更に、第4の状態は、REGISTERD状態であってよい。
【０１４３】
SSC(Session and Service Continuity) modeは、5GCにおいて、システム、及び/又は各装置がサポートするサービスセッション継続(Session and Service Continuity)のモードを示すものである。より詳細には、UE_A10とアンカーポイントとの間で確立されたPDUセッションがサポートするサービスセッション継続の種類を示すモードであってもよい。ここで、アンカーポイントは、UPGWであってもよいし、UPF_A235であってもよい。なお、SSC modeはPDUセッション毎に設定されるサービスセッション継続の種類を示すモードであってもよい。さらに、SSC modeは、SSC mode 1、SSC mode 2、SSC mode 3の3つのモードから構成されていてもよい。SSC modeはアンカーポイントに関連付けられており、PDUセッションが確立されている状態の間変更されることはできない。
【０１４４】
さらに、本実施形態におけるSSC mode 1は、UE_A10がネットワークに接続する際に用いるRAT(Radio Access Technology)やセル等のアクセステクノロジーに関わらず、同じUPFがアンカーポイントとして維持され続けるサービスセッション継続のモードである。より詳細には、SSC mode 1は、UE_A10のモビリティが発生しても、確立しているPDUセッションが用いるアンカーポイントを変更せずに、サービスセッション継続を実現するモードであってもよい。
【０１４５】
さらに、本実施形態におけるSSC mode 2は、PDUセッション内に1つのSSC mode 2に関連付けられたアンカーポイントを含む場合、先にPDUセッションを解放してから、続けてPDUセッションを確立するサービスセッション継続のモードである。より詳細には、SSC mode 2は、アンカーポイントのリロケーションが発生した場合、一度PDUセッションを削除してから、新たにPDUセッションを確立するモードである。
【０１４６】
さらに、SSC mode 2は、UPFのサービングエリア内でのみ、同じUPFをアンカーポイントとして維持され続けるサービスセッション継続のモードである。より詳細には、SSC mode 2は、UE_A10がUPFのサービングエリア内にいる限り、確立しているPDUセッションが用いるUPFを変更せずに、サービスセッション継続を実現するモードであってもよい。さらに、SSC mode 2は、UPFのサービングエリアから出るような、UE_A10のモビリティが発生した場合に、確立しているPDUセッションが用いるUPFを変更して、サービスセッション継続を実現するモードであってもよい。
【０１４７】
ここで、TUPFのサービングエリアとは、1つのUPFがサービスセッション継続機能を提供することができるエリアであってもよいし、UE_A10がネットワークに接続する際に用いるRATやセル等のアクセスネットワークのサブセットであってもよい。さらに、アクセスネットワークのサブセットとは、一又複数のRAT、及び/又はセルから構成されるネットワークであってもよいし、TAであってもよい。
【０１４８】
さらに、本実施形態におけるSSC mode 3は、UEとアンカーポイント間のPDUセッションを解放しないで、同じDNに対して新しいアンカーポイントとUE間でPDUセッションを確立することが出来るサービスセッション継続のモードである。
【０１４９】
さらに、SSC mode 3は、UE_A10とUPFとの間で確立されたPDUセッション、及び/又は通信路を切断する前に、同じDNに対して、新たなUPFを介した新たなPDUセッション、及び/又は通信路を確立することを許可するサービスセッション継続のモードである。さらに、SSC mode 3は、UE_A10がマルチホーミングになることを許可するサービスセッション継続のモードであってもよい。
【０１５０】
及び/又は、SSC mode 3は、複数のPDUセッション、及び/又はPDUセッションに対応づけられたUPFを用いたサービスセッション継続が許可されたモードであってもよい。言い換えると、SSC mode 3の場合、各装置は、複数のPDUセッションを用いてサービスセッション継続を実現してもよいし、複数のTUPFを用いてサービスセッション継続を実現してもよい。
【０１５１】
ここで、各装置が、新たなPDUセッション、及び/又は通信路を確立する場合、新たなUPFの選択は、ネットワークによって実施されてもよいし、新たなUPFは、UE_A10がネットワークに接続した場所に最適なUPFであってもよい。さらに、複数のPDUセッション、及び/又はPDUセッションが用いるUPFが有効である場合、UE_A10は、アプリケーション、及び/又はフローの通信の新たに確立されたPDUセッションへの対応づけを、即座に実施してもよいし、通信の完了に基づいて実施してもよい。
【０１５２】
multi home PDUセッションとは、複数のIPv6 prefixが関連付けられているPDUセッションを示す。言い換えると、multi homed PDUセッションは、1つ以上法アンカーポイントを介したDNへのアクセス、ルート、ユーザデータパスを提供する。
【０１５３】
PDUセッションタイプとは、PDUセッションで提供する、接続の種類を示す情報であり、IPv4, IPv6, Ethernet Type またはnon-IP Typeを示す。
【０１５４】
デフォルトルートとは、特定のトラヒックに対して対応付けられたルートがない場合、選択可能な通信路である。より具体的には、特定のトラヒックに対して対応付けられたルートがない場合、UEがユーザデータを送信するデフォルトルータへの経路である。なお、UEとDN間で複数のPDUセッションまたは、複数のルートを含むPDUセッションが確立されている場合に、デフォルトで使用するルート又はPDUセッションに含まれるルートを示す。デフォルトルートはPDUセッションごとに1つであってもよいし、複数割り当てられてもよい。
【０１５５】
また、UEは複数のPDUセッションを確立してもよく、PDUセッション毎にデフォルトルートを確立してもよい。
【０１５６】
このように、UEは複数のデフォルトルートを確立してもよい。なお、UEは、デフォルトルートごとにデフォルトルータを対応付けて記憶してもよい。そのため、UEは、複数のデフォルトルータを記憶してもよい。もしくは、優先度の高いデフォルトルータを一つのみ管理してもよい。その際には、他のデフォルトルータ及び/又は、デフォルトルータに対応付けられたデフォルトルートは削除してもよい。
【０１５７】
本実施形態におけるNSI(Network Slice Instance)とは、コアネットワーク_B190内に1又は複数構成される、ネットワークスライス(Network Slice)の実体である。また、本実施形態におけるNSIはNST(Network Slice Template)を用いて生成された仮想的なNF(Network Function)により構成されてもよい。ここで、NSTとは、要求される通信サービスや能力(capability)を提供する為のリソース要求に関連付けられ、1又は複数のNF(Network Function)の論理的表現である。
【０１５８】
つまり、NSIとは、複数のNFにより構成されたコアネットワーク_B190内の集合体でよい。また、NSIはサービス等によって配送されるユーザデータを分ける為に構成された論理的なネットワークでよい。ネットワークスライスには、少なくとも1つ以上のNFが構成されてよい。ネットワークスライスに構成されるNFは、他のネットワークスライスと共有される装置であってもよいし、そうでなくてもよい。
【０１５９】
UEは、UE usage type及び/又は、1又は複数のネットワークスライスタイプID及び/又は、1又は複数のNS ID等の登録情報及び/又はAPNに基づいて、1または複数のネットワークスライスに割り当てられることができる。
【０１６０】
次に、本実施形態における識別情報について説明する。
【０１６１】
本実施形態における第1の識別情報は、ネットワークにルートのPreference情報をUEへ通知させるか否かを示す情報である。具体的には、第1の識別情報は、アンカーポイントとなるUPF及び/又はアンカーポイントとなるUPFに構成されるRTR(ルーター)またはSMFに、ルートのPreference情報をUEへ通知させるか否かを示す情報である。第1の識別情報は、UEがデフォルトルート決定する事を示す情報であってもよい。または、第1の識別情報はUEがデフォルトルートを決定する機能を備えている事を示すCapability情報であってもよい。
【０１６２】
また、第1の識別情報は、UEが要求するSSC modeを示す情報であってよい。具体的にはUEが要求するSSC modeがSSC mode 2及び/又はSSC mode 3の場合、UネットワークはUEにPreference情報を通知してよい。一方で、UEが要求するSSC modeがSSC mode 1の場合、ネットワークはUEにPreference情報を通知しなくてよい。第1の識別情報は第2の識別情報であってよい。
【０１６３】
また、第1の識別情報はDNNであってよい。具体的には、DNNがMECのDNを示す情報である場合、ネットワークはUEにPreference情報を通知してよい。
【０１６４】
また、第1の識別情報は、UEがmulti homed PDUセッションの確立をサポートするか否かを示す情報であってもよい。具体的には、UEがmulti homed PDUセッションの確立をサポートする場合、または要求する場合、ネットワークはUEにPreference情報を通知してもよい。第1の識別情報は第3の識別情報であってよい。
【０１６５】
なお、ネットワークが、UEへPreference情報を通知する場合、UPF及び/又はRTR又はSMFがPreference情報をRA(Router Advertisement)に含めて送信してもよいし、SMFがNASメッセージにPreference情報を含めて送信してもよい。
【０１６６】
本実施形態における、第2の識別情報は、UEが要求するSSC modeを示す情報である。第2の情報は、SSC mode 1又はSSC mode 2又はSSC mode 3を示す情報であってよい。第2の情報は、PDUセッションタイプ、またはアプリケーションに基づき、UEにより決定されてよい。または、第2の情報は、PDUセッションのタイプを示す情報、またはアプリケーションを示す情報であってよい。
【０１６７】
なお、第2の識別情報がSSC mode 3を示す情報である場合、第1の識別情報と第2の識別情報は、それぞれの意味を有する一つの識別情報として構成されてよい。本実施形態で第1の識別情報と、SSC mode 3を示す第2の識別情報とを単一の制御メッセージに含めて送受信すると説明する場合には、それぞれの意味を有する一つの識別情報として構成された識別情報が送受信されてよい。
【０１６８】
本実施形態における、第3の識別情報は、multi homed PDUセッションの確立を要求することを示す情報である。第3の識別情報は、UEがmulti homed PDUセッションの確立機能をサポートする事を示すCapability情報であってもよい。言い換えれば、第3の識別情報は、UEがmulti homed PDUセッションの確立をサポートする事を示す情報であってよい。
【０１６９】
なお、第1の識別情報と第3の識別情報は、それぞれの意味を有する一つの識別情報として構成されてよい。本実施形態で第1の識別情報と、第3の識別情報とを単一の制御メッセージに含めて送受信すると説明する場合には、それぞれの意味を有する一つの識別情報として構成された識別情報が送受信されてよい。
【０１７０】
本実施形態における、第4の識別情報は、ネットワークスライスを識別する情報である。第4の識別情報は、S-NSSAI(Single Network Slice Selection Assistance information)であってよい。第4の識別情報は、第5の識別情報と関連付けられた情報であってよい。第4の識別情報は、UEが要求するネットワークスライスのタイプ、アプリケーションのタイプを示す情報であってもよい。
【０１７１】
本実施形態における、第5の識別情報は、UEが要求するDNを示す情報である。第5の識別情報はDNN(Data Network Name)であってよい。
【０１７２】
本実施形態における、第6の識別情報は接続を要求するPDUセッションを示す情報である。第6の識別情報はPDUセッションIDであってよい。第6の識別情報は、UEが管理する情報であってよい。第6の識別情報は、確立するPDUセッションが新規のPDUセッションであることを示す情報であってもよい。第6の識別情報は、一度解放したPDUセッションを示す情報であってよい。
【０１７３】
本実施形態における、第7の識別情報は、要求の種類を示す情報である。第7の識別情報は、要求タイプ(Request type)であってよい。第7の識別情報は、第6の識別情報と関連づけられており、第6の識別情報で示されるPDUセッションIDにより識別されるPDUセッションは既にnon-3GPPで確立されていることを示す情報であってもよいし、3GPPで確立されているPDN接続に対応する事を示す情報であってもよい。
【０１７４】
本実施形態における、第11の識別情報は、確立したPDUセッションに含まれるルートのプリファレンス情報（Route Preference: Prf）である。第11の識別情報は、ルートの優先度のレベルを示す情報であってよく、例えば、"High", "Medium", "Low"で表現されてよい。もしくは、同じ3段階を”高”、”中”、”低”で表現されてもよい。なお、デフォルトを示す情報として"Medium"又は"中"が用いられてもよい。または、更に高い粒度で表現されてもよい。または更に低い粒度で表現されてもよい。第11の識別情報は、オペレータポリシー、UEの位置情報、RAT type、S-NSSAI、またはUPFの混雑状況に基づき決定されてもよく、またはこれら複数の情報のうち２つ以上の情報に基づき決定されてもよい。
【０１７５】
更に、第11の識別情報は、デフォルトルートを選択するための情報であってもよい。より具体的には、デフォルトルータを選択するための情報であってよい。例えば、PDUセッション毎にデフォルトルータとPreference情報が記憶されている場合、優先レベルが高いPreference情報に対応づけられたデフォルトルータを選択してデータを送信してもよい。このように、デフォルトルータを選択することによい、デフォルトルートを選択してもよい。
【０１７６】
なお、プリファレンス情報は、デフォルトルータ、及び/又はデフォルトルート、及び/又はIPv6ネットワークプレフィックスに対応づけられた情報であってよい。したがって、デフォルトルータ毎、及び/又はデフォルトルート毎、及び/又はIPv6ネットワークプレフィックス毎に異なる優先度が設定されてよい。
【０１７７】
本実施形態における、第12の識別情報は、確立したPDUセッションのアンカーポイントがサポートするSSC modeである。第12の識別情報は、SMFが選択して決定した情報であってもよい。第12の識別情報は、UEの登録情報に基づき決定されてもよい。
【０１７８】
本実施形態における第13の識別情報は、multi homed PDUセッションの確立をサポートする事を示すcapability情報である。言い換えると、第13の情報は、ネットワークがmulti homed PDUセッションの確立をサポートしている事を示す情報であってもよいし、許可することを示す情報であってよい。
【０１７９】
本実施形態における、第14の識別情報は、PDUセッションタイプを示す情報である。第14の識別情報は、アドレスを示す情報であってもよい。より具体的にはIPv6ネットワークプレフィックスであってよい。さらに、第14の識別情報には、本手続きによって確立又は変更されるPDUセッションのPDUセッションタイプが本識別情報で示されるPDUセッションタイプになったことを示す情報がされに含まれてもよいし、本手続きによって確立又は変更されるPDUセッションに対応づけられるアドレスが本識別情報で示されるアドレス、及び/又は本実施形態で示されるPDUセッションタイプのアドレスになったことを示す情報であってもよい。
【０１８０】
さらに、第14の識別情報は、DNに対して行われるユーザデータ通信で用いられるアドレスのPDUセッションタイプが本識別情報で示されるPDUセッションタイプになったことを示す情報であってもよいし、DNに対して行われるユーザデータ通信で用いられるアドレスが本識別情報で示されるアドレス、及び/又は本実施形態で示されるPDUセッションタイプのアドレスになったことを示す情報であってもよい。
【０１８１】
さらに、第14の識別情報は、PDUセッションタイプ、及び/又はアドレスを示す情報を複数含んでもよいし、各PDUセッションタイプがDNに対して行われるユーザデータ通信で用いられるPDUセッションタイプであるか否かを示す情報を含んでもよいし、各アドレスがDNに対して行われるユーザデータ通信で用いられるアドレスあるか否かを示す情報を含んでもよい。
【０１８２】
さらに、第14の識別情報は、DNに接続するPDUセッションを確立されたことを示す情報であってもよいし、PDUセッションの接続先をDNに変更されたことを示す情報であってもよいし、本手続きによって確立又は変更されるPDUセッションを第2のDNに対して行われるユーザデータ通信で用いられるPDUセッションになったことを示す情報であってもよい。
【０１８３】
本実施形態における第15の識別情報は、理由(cause)を示す情報である。第15の識別情報は、PDUセッションの確立を拒絶したことを示す情報であってよい。
【０１８４】
第15の識別情報は、UEが要求するSSC modeをサポートする、アンカーポイントを構成するPDUセッションを確立できない事を示す情報であってよい。言い換えれば、ネットワークがUEが要求するSSC modeをサポートしない事を示す情報であってよい。
【０１８５】
第15の識別情報は、multi homed PDU セッションの確立をサポートしない事を示す情報であってよい。言い換えれば、第15の識別情報は、ネットワークはmulti home PDUセッションの確立をサポートしない事を示す情報であってもよいし、許可しない事を示す情報であってよい。
【０１８６】
なお、第15の識別情報は複数の理由を示す情報であってもよいし、それぞれ理由毎に独立した情報として扱われてもよい。
【０１８７】
本実施形態における、第21の識別情報は、ネットワークが解放されるPDUセッションに関する情報の記憶を一時的に維持している事を示す情報である。更に、第21の情報は、ネットワークが一時的に記憶するPDUセッションに関する情報と関連付けられたTemporary情報であってよい。言い換えれば、一時的に記憶されたPDUセッションに関する情報は、第21の識別情報と関連づけて、AMF及び/又はSMFが記憶してもよい。Temporary情報は解放されるPDUセッションを識別するPDU session IDであってよい。
【０１８８】
また、第21の情報は、ネットワークが解放されるPDUセッションと同じDNに対して、再度PDUセッションを確立する事を要求することを示す情報であってよい。言い換えれば、第21の識別情報は、UEがPUDセッションの再確立手続きを開始させるための情報であってよい。
【０１８９】
ここで、ネットワークが一時的にPDUセッションに関する情報を記憶するということは、AMFが解放されるPDUセッションを識別するPDUセッションIDに対応付けられたSMFを識別するSMF IDを記憶することであってもよいし、更に/又はSMFがPDUセッションに対応づけられたUPFを識別するUPF IDを記憶することであってもよい。
【０１９０】
また、SMFはPDUセッションに対応づけられたUPFを、PDUセッションの再確立時に禁止するUPFとして管理し、UPF IDを記憶してもよい。または、SMFは予めリロケーション先のUPFを決定し、リロケーション先のUPFを識別するUPF IDを記憶してもよい。
【０１９１】
第21の情報はSSC modeを示す情報であってよい。具体的には、第21の識別情報がSSC mode 2を示す情報の場合、ネットワークが解放されるPDUセッションに関する情報の記憶を一時的に維持している事を示してもよい。または、第21の識別情報は第22の識別情報であってもよい。
【０１９２】
本実施形態における、第22の識別情報は、ネットワークが削除又はリリースするPDUセッションと同じDNに対して、再度PDUセッションの確立する事を要求することを示す情報であってよい。もしくは、ネットワークが削除又はリリースするPDUセッションと同じDNに対して、再度PDUセッションを確立する事が必要であることを示す情報であってよい。言い換えれば、第22の識別情報は、UEにPDUセッションの再確立手続きを開始させるための情報であってよい。第22の識別情報は、理由を示す情報であってもよい。
【０１９３】
本実施形態における、第31の識別情報は、ネットワークからの要求に基づきPDUセッションの確立を要求している事を示す情報である。言い換えれば、第31の識別情報は、UEがネットワークからの要求に基づき、PDUセッションの確立手続きを要求、及び開始している事を示してもよい。さらに、第31の識別情報は、UEが、アンカーポイントのリロケーションを目的としたPDUセッションの確立を要求、及び開始している事を示してもよい。
【０１９４】
本実施形態における、第32の識別情報は、確立を要求するPDUセッションに関する情報を示す情報である。第32の識別情報は、第21の識別情報と同じであってもよい。言い換えれば、第32の識別情報は、ネットワークが一時的に記憶するPDUセッションに関する情報に紐づけられた情報であってよい。第32の識別情報は、AMFがSMFを選択する為に用いる情報であってもよいし、さらにSMFがUPFを選択する為に用いる情報であってよい。
【０１９５】
第32の識別情報は、第33の識別情報であってもよい。
【０１９６】
本実施形態における、第33の識別情報は直前に解放したPDUセッション、つまり過去のPDUセッション(old PDU session)を識別するPDUセッション識別情報である。第33の識別情報は、UEがネットワークからの要求に基づき、PDUセッションの確立手続きを要求、及び開始している事を示してもよい。さらに、第31の識別情報は、UEが、アンカーポイントのリロケーションを目的としたPDUセッションの確立を要求、及び開始している事を示してもよい。
【０１９７】
本実施形態における、第41の識別情報は、Preference情報に基づきPDUセッションの解放を要求することを示す情報である。言い換えれば、第41の識別情報は、UEがPreference情報に基づき、解放するPDUセッションを決定し、PDUセッションの解放手続きを開始、または開始を要求することを示す情報である。また、第41の識別情報は、理由を示す情報であってよい。
【０１９８】
さらに、第41の識別情報は、PDUセッションの解放を要求することを示す情報であってよい。
【０１９９】
本実施形態における、第51の識別情報は、理由(cause)を示す情報である。第51の識別情報は、Preference情報が更新された事を示す情報であってよい。第51の識別情報は、UEの要求と、Preference情報が一致しない事を示す情報であってよい。
【０２００】
具体的には、ネットワークが第41の識別情報の受信に基づき、ネットワークが管理する各ルートのPreference情報を確認した結果、Preference情報が異なる場合、ネットワークは第51の識別情報をUEに送信する。言い換えれば、第51の識別情報は、UEが記憶するPreference情報がネットワークが記憶する情報と異なること、またはPreference情報が更新されたことを示す情報であってよい。
【０２０１】
本実施形態における、第61の識別情報は、理由(cause）を示す情報である。第61の識別情報は、PDUセッションのデフォルトルートの変更を要求することを示す情報であってよい。さらに、第61の識別情報は、デフォルトルートの変更を要求する為に、Preference情報の更新を要求する情報であってよい。言い換えれば、第61の識別情報は、ネットワークにPreference情報の更新と、更新したPreference情報の通知を要求する情報であってよい。
【０２０２】
また、第61の識別情報は、PDUセッションの変更のタイプを示す情報であってよく、PDUセッション変更タイプ(PDU session modification type)であってよい。
【０２０３】
本実施形態における、第62の識別情報はPreference情報の更新、変更を要求するルートを識別する情報である。第62の識別情報は、ルートを識別するルートIDであってもよいし、アンカーポイントを識別するUPF IDであってもよいし、IPアドレスであってもよい。さらに、第62の識別情報は、デフォルトルートを示す情報であってよい。言い換えれば、第62の識別情報は、UEがデフォルトルートに変更したいルートを示してよい。または、第62の識別情報は、UEがPreference情報を更新したいルートを示す情報であってもよい。
【０２０４】
本実施形態における、第71の識別情報は、理由(cause)を示す情報である。第71の識別情報は、Preference情報の更新、変更を示す情報であってよい。言い換えれば、第71の識別情報はネットワークがPreference情報を更新、変更したことを示す情報であってよい。さらに、第71の識別情報はUEの移動による、PDUセッションの更新、変更を示す情報であってよい。言い換えれば、第71の識別情報は、ネットワークがUE位置情報の更新に伴い、PDUセッションに関する情報の更新、変更をしたことを示す情報であってよい。
【０２０５】
本実施形態における、第72の識別情報は、更新、変更したPreference情報を示す情報である。第72の情報は、ネットワークがPDUセッションに含まれるルートまたはアンカーポイントのPreference情報の更新、または変更を通知する情報であってよい。第72の識別情報は、第11の識別情報と同じであってよい。
【０２０６】
本実施形態における、第81の識別情報は、理由を示す情報である。第81の識別情報は、Preference情報の更新をサポートしないことを示す情報であってよい。第81の識別情報はPreference情報の更新が、UEの要求を満たさない事を示す情報であってもよい。
【０２０７】
次に、本実施形態において、初期手続きを図13を用いて説明する。本実施形態では、各装置は初期手続きを実行することで、第1の状態に遷移し、UE_A10がコアネットワーク_B190を介した第1のPDUセッションを確立する。以下、本手続きは初期手続きを指し、各手続きには、レジストレーション手続き、PDUセッション確立手続きがある。各手続きの詳細は、後述する。
【０２０８】
本手続きにおいて、各装置は、まず、レジストレーション手続き(S1300)を実行し、UE_A10がネットワークに接続した状態に遷移する。次に、各装置は、PDUセッション確立手続き(S1302)を実行し、第1の状態に遷移する(S1304)。なお、各装置は、レジストレーション手続き及び/又はPDUセッション確立手続きにおいて、各装置の各種能力情報及び/又は各種要求情報を交換してもよい。
【０２０９】
なお、各装置は、各種情報の交換及び/又は各種要求の交渉をレジストレーション手続きで実施した場合、各種情報の交換及び/又は各種要求の交渉をPDUセッション確立手続きで実施しなくてもよい。逆に、各装置は、各種情報の交換及び/又は各種要求の交渉をレジストレーション手続きで実施しなかった場合、各種情報の交換及び/又は各種要求の交渉をPDUセッション確立手続きで実施してもよい。これに限らず、各装置は、各種情報の交換及び/又は各種要求の交渉をレジストレーション手続きで実施した場合でも、各種情報の交換及び/又は各種要求の交渉をPDUセッション確立手続きで実施してもよい。
【０２１０】
また、各装置は、PDUセッション確立手続きを、レジストレーション手続きの中で実行してもよく、レジストレーション手続きの完了後に実行してもよい。PDUセッション確立手続きがレジストレーション手続きの中で実行される場合、PDUセッション確立要求メッセージはレジストレーション要求メッセージに含まれて送受信されてよく、PDUセッション確立受諾メッセージはレジストレーション受諾メッセージに含まれて送受信されてよく、PDUセッション確立完了メッセージはレジストレーション完了メッセージに含まれて送受信されてよく、PDUセッション確立拒絶メッセージはレジストレーション拒絶メッセージに含まれて送受信されてよい。さらに、PDUセッション確立手続きがレジストレーション手続きの中で実行された場合、各装置は、レジストレーション手続きの完了に基づいてPDUセッションを確立してもよいし、第1の状態へ遷移してもよい。
【０２１１】
以上の手続きにより、各装置は、本手続きを完了する。なお、本手続きに関わる各装置は、本手続きで説明する各制御メッセージを送受信する事により、各制御メッセージに含まれる1又は複数の識別情報を送受信し、送受信した各識別情報をコンテキストとして記憶してもよい。さらに、各装置は、本手続きを完了に基づいて、第1の状態へ遷移してもよい。
【０２１２】
[1.3.1.レジストレーション手続きの概要]
まず、レジストレーション手続きの概要について説明する。レジストレーション手続きは、UE_A10が主導してネットワーク(アクセスネットワーク、及び/又はコアネットワーク_B190、及び/又はDN_A5)へ接続する為の手続きである。UE_A10は、ネットワークに接続していない状態であれば、端末電源投入時等の任意のタイミングで本手続きを実行する事ができる。言い換えると、UE_A10は、登録されていない状態(RM-DEREGISTERED)であれば任意のタイミングで本手続きを開始してもよい。また、各装置は、レジストレーション手続き完了に基づいて、登録状態(RM-REGISTERED)に遷移してもよい。
【０２１３】
さらに、本手続きは、ネットワークにおけるUE_A10の位置登録情報を更新する、及び/又は、UE_A10からネットワークへ定期的にUE_A10の状態を通知する、及び/又は、ネットワークにおけるUE_A10に関する特定のパラメータを更新する為の手続きであってもよい。
【０２１４】
UE_A10は、TAを跨ぐモビリティをした際に、本手続きを開始してもよい。言い換えると、UE_A10は、保持しているTAリストで示されるTAとは異なるTAに侵入した際に、本手続きを開始してもよい。さらに、UE_A10は、実行しているタイマが満了した際に本手続きを開始してもよい。さらに、UE_A10は、PDUセッション、及び/又はEPSベアラの切断や無効化が原因で各装置のコンテキストの更新が必要な際に本手続きを開始してもよい。さらに、UE_A10は、UE_A10のPDUセッション確立に関する、能力情報、及び/又はプリファレンスに変化が生じた場合、本手続きを開始してもよい。さらに、UE_A10は、定期的に本手続きを開始してもよい。なお、UE_A10は、これらに限らず、PDUセッションが確立された状態であれば、任意のタイミングで本手続きを実行する事ができる。
【０２１５】
[1.3.2.PDUセッション確立手続き及びレジストレーション手続きの概要]
以下、レジストレーション手続きの中でPDUセッション確立手続きを実行した場合を用いて説明する。
【０２１６】
以下、本手続きはPDUセッション確立手続き及びレジストレーション手続きを指す。本手続きは、各装置がPDUセッションを確立する為の手続きである。なお、各装置は、PDUセッション確立手続きを、レジストレーション手続きを完了した状態で実行してもよい。また、各装置は、登録状態でPDUセッション確立手続きを開始してもよいし、レジストレーション手続き後の任意のタイミングでPDUセッション確立手続きを開始してもよい。また、各装置は、本手続きの完了に基づいて、PDUセッションを確立してもよい。さらに、各装置は、レジストレーション手続きに含まれないPDUセッション確立手続きを複数回実行する事で、複数のPDUセッションを確立してもよい。
【０２１７】
[1.3.2.1. PDUセッション確立手続き例]
図15を用いて、PDUセッション確立手続きを実行する手順の例を説明する。以下、本手続きの各ステップについて説明する。まず、UE_A10は、AN node_A122とAMF_A240とを介してSMF_A230にPDUセッション確立要求(PDU session establishment request)メッセージを送信し(S1500) (S1502) (S1504)、PDUセッション確立手続きを開始する。
【０２１８】
なお、PDUセッション確立要求メッセージは、レジストレーション要求(Registration request)メッセージに含まれて送信されてもよい。例えば、レジストレーション要求メッセージに、SMメッセージとしてPDUセッション確立要求メッセージが含まれてもよいし、NASメッセージとしてPDUセッション確立要求メッセージが含まれてもよい。
【０２１９】
具体的には、UE_A10は、N1インターフェースを用いてAMF_A240にPDUセッション確立要求メッセージを送信し(S1500)、PDUセッション確立要求メッセージを受信したAMF_A240が、PDUセッション確立要求メッセージのルーティング先のNFとしてSMF_A230を選択し(S1502)、N11インターフェースを用いて選択したSMF_A230にPDUセッション確立要求メッセージを送信する(S1504)。ここで、AMF_A240は、PDUセッション確立要求メッセージに含まれる情報に基づき、ルーティング先のSMF_A230を選択してもよい。より詳細には、AMF_A240は、PDUセッション確立要求メッセージの受信に基づいて取得した各識別情報、及び/又は加入者情報、及び/又はネットワークの能力情報、及び/又はオペレータポリシー、及び/又はネットワークの状態、及び/又はAMF_A240が既に保持しているコンテキストに基づいて、ルーティング先のSMF_A230を選択してもよい。
【０２２０】
なお、PDUセッションがPDNコネクション(PDN connection)である場合、PDUセッション確立要求メッセージはPDN接続要求(PDN connectivity request)メッセージでよい。さらに、PDUセッション確立要求メッセージは、N1インターフェース、及びN11インターフェース上で送受信されるNASメッセージであってよいし、NASメッセージに含まれてもよい。また、PDUセッション確立要求メッセージは、これに限らず、PDUセッションの確立を要求するメッセージであればよい。
【０２２１】
ここで、UE_A10は、PDUセッション確立要求メッセージ及び／又はレジストレーション要求メッセージ及び／又はNASメッセージに、少なくとも第1から7の識別情報のうち1つ以上の識別情報を含めてもよいし、これらの識別情報を含める事で、UE_A10の要求を示してもよい。
【０２２２】
さらに、UE_A10は、第1から7の識別情報のうち1つ以上の識別情報を送信する事で、DN_A5に接続するPDUセッションの確立を要求してもよい。より詳細には、UE_A10は第5の識別情報を送信する、及び／又は第4の識別情報と第5の識別情報を対応づけて送信することで、DN_A5に接続するPDUセッションを確立する事を要求してよい。
【０２２３】
さらに、UE_A10は、第6の識別情報を送信する、及び/又は第5の識別情報と第6の識別情報とを対応づけて送信することで、第6の識別情報で示されるPDUセッションIDによって識別されるPDUセッションを確立することを要求してもよいし、確立されるPDUセッションの接続先をDN_A5にすることを要求してもよい。
【０２２４】
さらに、UE_A10は、第7の識別情報を送信する、及び/又は第6の識別情報と第7の識別情報とを対応づけて送信することで、第6の識別情報で識別されるPDUセッションIDにより識別されるPDUセッションが、第7の識別情報で示される、要求タイプであることを示してよい。
【０２２５】
さらにUE_A10は第1の識別情報を送信する、及び/又は第6の識別情報と第1の識別情報を対応づけて送信することで、第6の識別情報で示されるPDUセッション確立中または確立後にアンカーポイントからプリファレンス情報を送信することを要求してもよい。
【０２２６】
さらに、UE_A10は、第2の識別情報を送信する、及び/又は第6の識別情報と対応付けて第2の識別情報を送信することで、第6の識別情報で識別されるPDUセッションIDにより識別されるPDUセッションのSSC modeを要求してよい。
【０２２７】
さらに、UE_A10は、第3の識別情報を送信する、及び/又は第6の識別情報と対応付けて第3の識別情報を送信することで、multi homed PDUセッションの確立を要求してもよいし、第6の識別情報で識別されるPDUセッションIDにより識別されるPDUセッションに対して、アンカーポイントを追加または削除することによるルートの追加または削除手続きを要求してもよいし、multi homed PDUセッションに関わる手続きのサポートを要求してもよいし、multi homed PDUセッションに関わる手続きをサポートするアンカーポイントへの接続を要求してもよい。
【０２２８】
なお、UE_A10は、第1から7の識別情報のうち、どの識別情報をPDUセッション確立要求メッセージ及び／又はレジストレーション要求メッセージ及び／又はNASメッセージに入れるかを、UE_A10の能力情報、及び/又はUEポリシー等のポリシー、及び/又はUE_A10のプリファレンスに基づいて決定してもよい。なお、どの識別情報をPDUセッション確立要求メッセージ及び／又はレジストレーション要求メッセージ及び／又はNASメッセージに入れるかのUE_A10による決定はこれに限らない。
【０２２９】
例えば、UE_A10は、SSC mode 3を示す第2の識別情報を送信する場合、及び/又はSSC mode 3のPDUの確立を要求する場合、及び/又は、第3の識別情報を送信する場合、及び/又は、multi homed PDUセッションの確立を要求する場合には、第1の識別情報をPDUセッション確立要求メッセージ及び／又はレジストレーション要求メッセージ及び／又はNASメッセージに含めて送信してもよい。
【０２３０】
さらに、UE_A10は、PDU sessionのpreferenceを示す情報をRA(Router Advertizement)メッセージによって受信するか、PDUセッション受諾メッセージによって受信するかを示す情報を送信してもよい。なお、この情報は、上述した受信方法のいずれかを示す情報であってよい。なお、受信方法はUEのポリシーによって決定されてよい。このように、UE_A10はPDU sessionのpreferenceを示す情報の受信方法を要求してもよい。以下では、上述した識別情報のことを受信方法要求情報という名前を用いて説明する。なお、UE_10は、第1の識別情報、及び又はSSC mode 3を示す第2の識別情報、及び/又は第3の識別情報を、PDUセッション確立要求メッセージ及び／又はレジストレーション要求メッセージ及び／又はNASメッセージに含める場合に、その制御メッセージに受信方法要求情報を含めて送信してもよい。
【０２３１】
SMF_A230は、PDUセッション確立要求メッセージを受信し、第1の条件判別を実行する。第1の条件判別は、SMF_A230が、UE_A10の要求を受諾するか否かを判断する為のものである。第1の条件判別において、SMF_A230は第1の条件判別が真であるか偽であるかを判定する。SMF_A230は、第1の条件判別が真の場合は本手続き中の(A)の手続きを開始し、第1の条件判別が偽の場合は本手続き中の(B)の手続きを開始する。なお、第1の条件判別が偽の場合のステップは後述する。
【０２３２】
以下、第1の条件判別が真の場合のステップ、すなわち本手続き中の(A)の手続きの各ステップを説明する。SMF_A230は、PDUセッションの確立先のUPF_A235を選択し(S1505)、選択したUPF_A235にセッション確立要求(Session Establishment request)メッセージを送信し(S1506)、本手続き中の(A)の手続きを開始する。
【０２３３】
ここで、SMF_A230は、PDUセッション確立要求メッセージの受信に基づいて取得した各識別情報、及び/又はネットワークの能力情報、及び/又は加入者情報、及び/又はオペレータポリシー、及び/又はネットワークの状態、及び/又はSMF_A230が既に保持しているコンテキストに基づいて、一又は複数のUPF_A235を選択してもよい。なお、複数のUPF_A235が選択された場合、SMF_A230は、各々のUPF_A235に対してセッション確立要求メッセージを送信してもよい。
【０２３４】
UPF_A235は、セッション確立要求メッセージを受信し、PDUセッションのためのコンテキストを作成する。さらに、UPF_A235は、セッション確立要求メッセージを受信、及び/又はPDUセッションのためのコンテキストの作成に基づいて、SMF_A230にセッション確立応答(Session Establishment response)メッセージを送信する(S1508)。さらに、SMF_A230は、セッション確立応答メッセージを受信する。なお、セッション確立要求メッセージ及びセッション確立応答メッセージは、N4インターフェース上で送受信される制御メッセージであってもよい。さらに、セッション確立応答メッセージは、セッション確立要求メッセージに対する応答メッセージであってよい。
【０２３５】
さらに、SMF_A230は、PDUセッション確立要求メッセージの受信、及び/又はUPF_A235の選択、及び/又はセッション確立応答メッセージの受信に基づいて、UE_A10に割り当てるアドレスのアドレス割り当てを行ってよい。さらに、SMF_A230は、UE_A10に割り当てたアドレスとDN_A5への通信に用いるアドレスであることを示す情報とを対応づけてもよい。なお、SMF_A230は、UE_A10に割り当てるアドレスのアドレス割り当てをPDUセッション確立手続き中で行ってもよいし、PDUセッション確立手続きの完了後に行ってもよい。
【０２３６】
具体的には、SMF_A230は、DHCPv4を用いずにIPv4アドレスを割り当てる場合、PDUセッション確立手続き中に、アドレス割り当てを行ってもよいし、割り当てたアドレスをUE_A10に送信してもよい。さらに、SMF_A230は、DHCPv4又はDHCPv6又はSLAAC(Stateless Address Autoconfiguration)用いてIPv4アドレス、及び/又はIPv6アドレス、及び/又はIPv6プレフィックスを割り当てる場合、PDUセッション確立手続き後に、アドレス割り当てを行ってもよいし、割り当てたアドレスをRAメッセージに含めてUE_A10に送信してもよい。なお、SMF_A230が実施するアドレス割り当てはこれらに限らない。
【０２３７】
さらに、SMF_A230は、UE_A10に割り当てるアドレスのアドレス割り当ての完了に基づいて、割り当てたアドレスを第14の識別情報に含めてUE_A10に送信してもよいし、第14の識別情報に含めずに、割り当てたアドレスを示す情報と、割り当てたアドレスがDN_A5との間で行われるユーザデータ通信に用いることができるアドレスであるか否かを示す情報とを対応づけてUE_A10に送信してもよい。この場合、UE_A10は、SMF_A230が送信した、第14の識別情報、及び/又は割り当てたアドレスを示す情報、及び/又は割り当てたアドレスがDN_A5との間で行われるユーザデータ通信に用いることができるアドレスであるか否かを示す情報を受信してもよい。
【０２３８】
SMF_A230は、PDUセッション確立要求メッセージの受信、及び/又はUPF_A235の選択、及び/又はセッション確立応答メッセージの受信、及び/又はUE_A10に割り当てるアドレスのアドレス割り当ての完了に基づいて、AMF_A240を介してUE_A10にPDUセッション確立受諾(PDU session establishment accept)メッセージを送信する(S1510) (S1512)。
【０２３９】
なお、PDUセッション確立要求メッセージが、レジストレーション要求(Registration request)メッセージに含まれて送信された場合、PDUセッション確立受諾メッセージは、レジストレーション受諾(Registration accept)メッセージに含まれて送信されてもよい。例えば、レジストレーション受諾メッセージに、SMメッセージとしてPDUセッション確立受諾メッセージが含まれてもよいし、NASメッセージとしてPDUセッション確立受諾メッセージが含まれてもよい。
【０２４０】
具体的には、SMF_A230は、N11インターフェースを用いてAMF_A240にPDUセッション確立受諾メッセージを送信し(S1510)、PDUセッション確立要求メッセージを受信したAMF_A240が、N1インターフェースを用いてUE_A10にPDUセッション確立受諾メッセージを送信する(S1512)。
【０２４１】
なお、PDUセッションがPDNコネクションである場合、PDUセッション確立受諾メッセージはPDN接続受諾(PDN connectivity accept)メッセージでよい。さらに、PDUセッション確立受諾メッセージは、N11インターフェース、及びN1インターフェース上で送受信されるNASメッセージであってよいし、NASメッセージに含まれて送信されてよい。また、PDUセッション確立受諾メッセージは、これに限らず、PDUセッションの確立が受諾されたことを示すメッセージであればよい。
【０２４２】
ここで、SMF_A230及び/又はAMF_A240は、PDUセッション確立受諾メッセージ及び／又はレジストレーション受諾メッセージ及び／又はNASメッセージに、少なくとも第11から14の識別情報のうち1つ以上の識別情報を含めてもよいし、これらの識別情報を含める事で、UE_A10の要求が受諾された事を示してしてもよい。
【０２４３】
さらに、SMF_A230は、第11から14の識別情報のうち1つ以上の識別情報を送信する事で、ネットワークが、DN_A5に接続するPDUセッションの確立の要求を受諾したことを示してもよいし、DN_A5に接続するPDUセッションの確立を許可したことを示してもよい。
【０２４４】
より詳細には、SMF_A230及び/又はAMF_A240は、第11の識別情報を送信することで、及び/又は第14の識別情報と関連付けて第11の識別情報を送信することで、確立したPDUセッション及び/またはPDUセッションに含まれるルートのプリファレンス情報を通知してもよいし、第14の識別情報により示されるアドレスによるルートのプリファレンス情報を通知してもよい。
【０２４５】
さらに、SMF_A230及び/又はAMF_A240は、第12の識別情報を送信することで、確立したPDUセッション及び/またはPDUセッションに含まれるルートのSSC modeを通知してもよいし、UE_A10の要求するSSC modeが許可された事を示してもよい。
【０２４６】
さらに、SMF_A230及び/又はAMF_A240は、第13の識別情報を送信することで、確立したPDUセッションがmulti homed PDUセッションであることを示してもよいし、確立したPDUセッションにアンカーポイントを追加または削除する事ができる事を示してもよいし、UE_A10の要求が許可された事を示してもよい。
【０２４７】
更に、SMF_A230及び/又はAMF_A240は、第14の識別情報を送信することで、DN_A5に接続するPDUセッションが確立されることを示してもよいし、確立されるPDUセッションを用いてDN_A5に対して行われるユーザデータ通信で用いられるアドレスが、第14の識別情報で示されるPDUセッションタイプのアドレス、及び/又は第14の識別情報で示されるアドレスであることを示してもよい。
【０２４８】
なお、SMF_A230及び/又はAMF_A240は、第11から14の識別情報のうち、どの識別情報をPDUセッション確立受諾メッセージ及び／又はレジストレーション受諾メッセージ及び／又はNASメッセージに入れるかを、受信した識別情報、及び/又は、ネットワークの能力情報、及び/又はオペレータポリシー等のポリシー、及び/又はネットワークの状態に基づいて決定してもよい。なお、どの識別情報をPDUセッション確立受諾メッセージ及び／又はレジストレーション受諾メッセージ及び／又はNASメッセージに入れるかのSMF_A230及び/又はAMF_A240による決定はこれに限らない。
【０２４９】
UE_A10は、PDUセッション確立受諾メッセージを受信し、さらに、AMF_A240を介してSMF_A230にPDUセッション確立完了(PDU session establishment complete)メッセージを送信する(S1514)(S1516)。さらに、SMF_A230は、PDUセッション確立完了メッセージを受信し、第2の条件判別を実行する。
【０２５０】
具体的には、UE_A10は、N1インターフェースを用いてAMF_A240にPDUセッション確立完了メッセージを送信し(S1514)、PDUセッション確立完了メッセージを受信したAMF_A240が、N11インターフェースを用いてSMF_A230にPDUセッション確立完了メッセージを送信する(S1516)。
【０２５１】
なお、PDUセッションがPDNコネクションである場合、PDUセッション確立完了メッセージは、PDN接続完了(PDN Connectivity complete)メッセージでもよいし、デフォルトEPSベアラコンテキストアクティブ化受諾(Activate default EPS bearer context accept)メッセージでもよい。さらに、PDUセッション確立完了メッセージは、N1インターフェース、及びN11インターフェース上で送受信されるNASメッセージであってよい。また、PDUセッション確立完了メッセージは、PDUセッション確立受諾メッセージに対する応答メッセージであればよく、これに限らず、PDUセッション確立手続きが完了する事を示すメッセージであればよい。
【０２５２】
第2の条件判別は、送受信されるN4インターフェース上のメッセージの種類を決定する為ものである。第2の条件判別が真の場合、SMF_A230はUPF_A235にセッション変更要求メッセージ(Session Modification request)を送信し(S1518)、さらに、セッション変更要求メッセージを受信したUPF_A235が送信したセッション変更受諾(Session Modification response)メッセージを受信する(S1520)。また、第2の条件判別が偽の場合、SMF_A230はUPF_A235にセッション確立要求メッセージを送信し(S1518)、さらに、セッション確立要求メッセージを受信したUPF_A235が送信したセッション変更受諾メッセージを受信する(S1520)。各装置は、PDUセッション確立完了メッセージの送受信、及び/又はセッション変更応答メッセージの送受信、及び/又はセッション確立応答メッセージの送受信に基づいて、本手続き中の(A)の手続きを完了する。
【０２５３】
なお、本手続き中の(A)の手続き中で、UE_A10に割り当てられたアドレスがUE_A10へ通知されなかった場合、SMF_A230はアンカーポイントとなるUPF_A235を介してRAを送信してもよい(S1524)。ここで、RAには、PDUセッションに対応づけられたIPv6プレフィックス、デフォルトルータアドレスを含めて送信してもよい。なお、デフォルトルータアドレスは、UPF_A235のアドレスであってよい。さらに、RAを受信したUE_A10は、RAに含まれるIPv6ネットワークプレフィクスを用いてIPv6アドレスを生成してもよい。
【０２５４】
さらに、SMF_A230及び/又はUPF_A235は、RAに第11の識別情報と第14の識別情報のうち1つ以上の識別情報を送信する事で、DN_A5に対してPDUセッションが確立された事を通知してもよいし、UE_A10にアドレスが割り当てられたことを通知してもよい。ここで、第11の識別情報は、中位の優先レベルを示す情報を示し、例えば"Medium(中)"を示す情報であってよい。これにより、のちに確立されるPDUセッション及び/又はそのPDUセッションに対応づけられたIPv6プレフィックスの優先度が高い場合、UE_A10は優先度の高いPDUセッション及び/又はそのPDUセッションに対応づけられたIPv6プレフィックスを用いてユーザデータの送信を行うことができる。
【０２５５】
なお、SMF_A230は、条件に基づいて第11の識別情報をUE_A10に送信してもよい。例えば、第1の識別情報を受信した場合、及び/又はSSCモード3を示す第2の識別情報を受信した場合、及び/又は第3の識別情報を受信した場合には、第11の識別情報をUE_A10に対して送信してもよい。
【０２５６】
また、SMF_A230は、上述した条件が満たされない場合には、第11の識別情報を送らなくてもよい。もしくは、上述した条件が満たされない場合には、デフォルトを示す第11の識別情報を送信してもよい。なお、デフォルトを示す情報は、”中“を表す情報であってよい。例えば、SSC mode 1を示す第2の識別情報を受信した場合、及び/又は第1の識別情報を受信しなかった場合、及び/又は第3の識別情報を受信しなかった場合には、第11の識別情報を送らないと設定されてよい。もしくは、このような場合には、デフォルトを示す第11の識別情報を送信するよう設定されてもよい。
【０２５７】
また、SMF_A230は、第11の識別情報をRAに含めて送信するか、PDUセッション受諾メッセージに含めて送信するかを選択してもよい。 なお、SMF_A230は、UE_A10の送信する受信方法要求情報を基に、受信方法要求情報が示す方法を選択してもよい。
【０２５８】
次に、本手続き中の(B)の手続きの各ステップを説明する。SMF_A230は、AMF_A240を介してUE_A10にPDUセッション確立拒絶(PDU session establishment reject)メッセージを送信し(S1526) (S1528)、本手続き中の(B)の手続きを開始する。
【０２５９】
具体的には、SMF_A230は、N11インターフェースを用いてAMF_A240にPDUセッション確立拒絶メッセージを送信し(S1526)、PDUセッション確立要求メッセージを受信したAMF_A240が、N1インターフェースを用いてUE_A10にPDUセッション確立拒絶メッセージを送信する(S1528)。
【０２６０】
なお、PDUセッションがPDNコネクションである場合、PDUセッション確立拒絶メッセージはPDN接続拒絶(PDN connectivity reject)メッセージでよい。さらに、PDUセッション確立拒絶メッセージは、N11インターフェース、及びN1インターフェース上で送受信されるNASメッセージであってよいし、NASメッセージに含まれて送信されてよい。また、PDUセッション確立拒絶メッセージは、これに限らず、PDUセッションの確立が拒絶されたことを示すメッセージであればよい。
【０２６１】
ここで、SMF_A230及び/又はAMF_A240は、PDUセッション確立拒絶メッセージ及び／又はNASメッセージに、少なくとも第15の識別情報を含めてもよいし、これらの識別情報を含める事で、UE_A10の要求が拒絶された事を示してしてもよい。
【０２６２】
さらに、SMF_A230及び/又はAMF_A240は、第15の識別情報を送信する事で、ネットワークが、DN_A5に接続するPDUセッションの確立の要求を拒絶したことを示してもよいし、DN_A5に接続するPDUセッションの確立を許可しなかったことを示してもよい。さらに、SMF_A230は、第15の識別情報を送信することで、DN_A5に接続するPDUセッションが確立されかなったことを示してもよい。
【０２６３】
例えば、SMF_A230及び/又はAMF_A240は、第15の識別情報を送信することで、DN_A5への接続が拒絶された事を示してもよいし、拒絶された理由を示してもよいし、UE_A10の要求が拒絶された事を示してもよいし、要求するSSC modeをサポートする接続が確立できない事を示してもよいし、multi home PDUセッションの確立がサポートされない事を示してもよい。
【０２６４】
各装置は、本手続き中の(A)又は(B)の手続きの完了、又はS1524の送受信に基づいて、本手続きを完了する。なお、各装置は、本手続き中の(A)の手続きの完了に基づいて、PDUセッションが確立された状態に遷移してもよいし、本手続き中の(B)の手続きの完了に基づいて、本手続きが拒絶された事を認識してもよいし、PDUセッションが確立されていない状態に遷移してもよい。
【０２６５】
さらに、各装置は、本手続きの完了に基づいて、本手続きで送受信した識別情報に基づいた処理を実施してもよい。
【０２６６】
例えば、UE_A10は、第11から13の識別情報のうち、1つ以上の識別情報を受信した場合、確立したPDUセッションにアンカーポイントを追加または削除する手続きを実行してよい。具体的には、第11の識別情報の受信に基づき、UE_A10は、PDUセッションに含まれる他のルートのプリファレンス情報と比較し、アンカーポイントの削除手続きを開始してもよい。または、第11の識別情報の受信に基づき、アンカーポイントの追加手続きを開始してもよい。または第12の識別情報に示されるSSC modeがSSC mode 2またはSSC mode 3であること、更に第13の識別情報の受信に基づいて、UE_A10は、PDUセッションにアンカーポイントを追加または削除する手続きを開始及び/または実行してよい。
【０２６７】
さらに、UE_A10は、第11の識別情報を受信した場合、記憶部に第11の識別情報で示されるプリファレンス情報を記憶してよい。この場合、既に他のルートに対してプリファレンス情報が記憶されている場合は、追加して記憶してよく、同じルートに対するプリファレンス情報が記憶されている場合、第11の識別情報で示される情報に更新してもよい。
【０２６８】
さらに、UE_A10は第12の識別情報を受信した場合、第12の識別情報で示されるSSC modeに基づき、アンカーポイントのリロケーションの実行を制御してもよい。具体的には、第12の識別情報で示されるSSC modeがSSC mode 1の場合、アンカーポイントのリロケーションは実行しなくてもよいし、第12の識別情報で示されるSSC modeがSSC mode 2又はSSC mode 3の場合、示されるSSC modeを用いたアンカーポイントのリロケーションを実行してよい。
【０２６９】
さらに、SMF_A230及び/又はAMF_A240は、第1から3の識別情報のうち、1つ以上の識別情報を受信した場合、確立したPDUセッションにアンカーポイントを追加または削除する手続きを実行してよい。具体的には、第1の識別情報がプリファレンス情報の通知を要求する情報である場合、及び/又は第2の識別情報が示すSSC modeがSSC mode 2又はSSC mode 3の場合、及び/又は第3の識別情報がmulti home PDUセッションの確立を要求する場合、SMF_A230及び/又はAMF_A240は、PDUセッションにアンカーポイントを追加または削除する手続きを実行してよい。
【０２７０】
さらに、AMF_A240、及び/又はSMF_A230は、PDUセッション確立拒絶メッセージの送信、及び/又はPDUセッション確立拒絶メッセージに含まる各識別情報の送信に基づいて、UE_A10に対応づけられる状態を、PDUセッションが確立されていない状態へ遷移させてもよいし、異常状態へ遷移させてもよい。なお、本手続きの完了に基づいて、UE_A10に対応づけられる状態が遷移する状態はこれらに限らない。
【０２７１】
また、第1の条件判別は、PDUセッション確立要求メッセージ及び／又はレジストレーション要求メッセージ及び／又はNASメッセーに含まれる識別情報、及び/又はUDM_A50から取得した加入者情報、及び/又はオペレータポリシーに基づいて実行されてもよい。例えば、第1の条件判別は、UE_A10の要求をネットワークが許可する場合、真でよい。また、第1の条件判別は、UE_A10の要求をネットワークが許可しない場合、偽でよい。さらに、第1の条件判別は、UE_A10の接続先のネットワーク、及び/又はネットワーク内の装置が、UE_A10が要求する機能を、サポートしている場合は真でよく、サポートしていない場合は偽でよい。なお、第1の条件判別の真偽が決まる条件は前述した条件に限らなくてもよい。また、第2の条件判別は、PDUセッションのためのN4インターフェース上のセッションが確立されているか否かに基づいて実行されてもよい。例えば、第2の条件判別は、PDUセッションのためのN4インターフェース上のセッションが、確立されている場合は真であってよく、確立されていない場合は偽であってよい。なお、第2の条件判別の真偽が決まる条件は前述した条件に限らなくてもよい。
【０２７２】
[1.4.PDUセッションアンカーリロケーション手続きの概要]
本章では、PDUセッションアンカーリロケーション手続きの概要を説明する。
【０２７３】
[1.4.1.第1のPDUセッションアンカーリロケーション手続きの説明]
まず、第1のPDUセッションアンカーリロケーションについて図16を用いて説明する。本実施形態では、各装置は第1の状態に遷移している状態から開始する(S1600)。以下、本手続きは第1のPDUセッションアンカーリロケーション手続きを指し、各手続きは第1のPDUセッション解放手続き、第1のPDUセッション確立手続きがある。各手続きの詳細は後述する。
【０２７４】
ここで、PDUセッションアンカーリロケーションとは、確立済みのセッションのアンカーポイントを変更するための手続きである。
【０２７５】
なお、第1のPDUセッションアンカーリロケーションを実施する場合、UPF_A235はSSC mode 2が対応付けられてPDUセッションが確立されている状態であってよい。言い換えれば、第1の状態に遷移するための初期手続きにおいて、各装置はSSC mode 2とUPF_A235を対応付けてPDUセッションを確立した状態であってよいし、各装置はSSC mode 2とUPF_A235を対応付けて記憶している状態であってよい。具体的には、初期手続きにおいて、UE_A10がネットワークから第12の識別情報を受信し、更に第12の識別情報がSSC mode 2を示す情報である場合であってよい。
【０２７６】
本手続きにおいて、各装置は、まず第1のPDUセッション解放手続き(S1602)を実行し、第2の状態に遷移する(S1604)。次に、各装置は、第1のPDUセッション確立手続き(S1606)を実行し、第3の状態に遷移する(S1608)。
【０２７７】
なお、各装置は、第1のPDUセッション解放手続き及び/又は第1のPDUセッション確立手続きにおいて、各装置の各能力情報及び/又は各主要求情報を交換してよい。
【０２７８】
以上の手続きにより、各装置は、本手続きを完了する。なお、本手続きに関わる各装置は、本手続きで説明する各制御メッセージを送受信する事により、各制御メッセージに含まれる1又は複数の識別情報を送受信し、送受信した各識別情報をコンテキストとして記憶してもよい。さらに、各装置は、本手続きを完了に基づいて、第3の状態へ遷移してもよい。
【０２７９】
[1.4.1.1.第1のPDUセッション解放手続き例]
まず、第1のPDUセッション解放手続き(PDU session release procedure)の概要について説明する。以下、本手続きは、第1のPDUセッション解放手続きを指す。本手続きは、各装置が、SSC mode 2に対応づけられたアンカー(UPF_A235)を用いたPDUセッションに関して、PDUセッションアンカーリロケーションを実行する為にPDUセッションを解放する為の手続きである。なお、PDUセッションには1又は複数のルートが含まれてもよい。言い換えれば、PDUセッションには1又は複数のアンカーポイントが割り当てられていてもよい。
【０２８０】
また、各装置は第1の状態に遷移後、任意のタイミングでPDUセッション解放手続きを開始してもよい。
【０２８１】
以下、図17を用いて、第1のPDUセッション確立手続きを実行する手順の例を説明する。以下、本手続きの各ステップについて説明する。まず、SMF_A230は、アンカー(UPF)リロケーションの実行の開始を決定する(S1702)。SMF_A230は、アンカーのリロケーションが必要なことを決定してもよい。
【０２８２】
SMF_A230は、UPF_A235がオーバーフロー状態であることに基づいて、及び/又はUE_A10が移動したことに基づいて、及び/又はネットワークポリシーの変更に基づいて、及び/又は他のNFからの要求に基づき、アンカーのリロケーションを決定してよい。なお、アンカーのリロケーションの決定の要因はこれに限らない。
【０２８３】
次に、SMF_A230は、リロケーション元のUPF_A235にセッション解放要求(Session release request)メッセージを送信し(S1704)、SMF_A230とUPF_A235間のセッションの解放手続きを開始する。ここで、SMF_A230はUPFリロケーションの決定に基づいて、及び/又はSMF_A230が既に保持しているコンテキストに基づいて、1または複数のUPFを選択してもよい。なお、複数のUPF_A235が選択された場合、SMF_A230は、各々のUPF_A235に対してセッション解放要求メッセージを送信してもよい。
【０２８４】
UPF_A235は、セッション解放要求メッセージを受信し、PDUセッションのためのコンテキストを削除する。さらに、UPF_A235は、セッション解放要求メッセージを受信、及び/又はPDUセッションのためのコンテキストの削除に基づいて、SMF_A230にセッション解放応答(Session release response)メッセージを送信する(S1706)。さらに、SMF_A230は、セッション解放応答メッセージを受信する。なお、セッション解放要求メッセージ及びセッション解放応答メッセージは、N4インターフェース上で送受信される制御メッセージであってもよい。さらに、セッション解放応答メッセージは、セッション解放要求メッセージに対する応答メッセージであってよい。
【０２８５】
つぎに、SMF_A230は、PDUセッション解放応答メッセージの受信、及び/又はPDUセッションアンカーリロケーションの決定に基づいて、AMF_A240を介してUE_A10へPDUセッション解放コマンド(PDU session release command; PDUセッションリリースコマンド)メッセージを送信する(S1708)。
【０２８６】
具体的には、SMF_A230は、AMF_A240へPDUセッション解放コマンドメッセージを送信し(S1708)、PDUセッション解放コマンドメッセージを受信したAMF_A240はUE_A10へPDUセッション解放コマンドメッセージを送信する(S1710)。
【０２８７】
なお、PDUセッションがPDNコネクションである場合、PDUセッション解放コマンドメッセージはEPSベアラ無効化要求(Deactivate EPS bearer context request)メッセージでよい。さらに、PDUセッション解放コマンドメッセージは、N11インターフェース、及びN1インターフェース上で送受信されるNASメッセージであってよいし、NASメッセージに含まれて送信されてよい。また、PDUセッション解放コマンドメッセージは、これに限らず、PDUセッションの解放がネットワークから要求されたこと、及び/又はPDUセッションの解放をネットワークが決定したことを示すメッセージであればよい。
【０２８８】
ここで、SMF_A230及び/又はAMF_A240は、PDUセッション解放コマンドメッセージ及び／又はNASメッセージに、少なくとも第21から22の識別情報のうち1つ以上の識別情報を含めてもよいし、これらの識別情報を含める事で、PDUセッションの解放の要求を示してもよい。
【０２８９】
さらに、SMF_A230及び/又はAMF_A240は、第21から22の識別情報のうち1つ以上の識別情報を送信する事で、ネットワークが、DN_A5に接続するPDUセッションの確立の要求を受諾したことを示してもよいし、DN_A5に接続するPDUセッションの確立を許可したことを示してもよい。
【０２９０】
より詳細には、SMF_A230及び/又はAMF_A240は、第21の識別情報を送信することで、PDUセッションが解放された後、一定期間解放されたPDUセッションに関する情報を維持する事を示してもよい。具体的には、SMF_A230はPDUセッションに関連付けられたUPF_A235に関する情報を、第21の識別情報と関連付けて記憶してもよいし、AMF_A240はSMF_A230を識別する情報、例えばSMF ID、を第21の識別情報と関連付けて記憶してよい。
【０２９１】
さらに、SMF_A230及び/又はAMF_A240は、第22の識別情報を送信することで、PDUセッションの解放が、PDUセッションアンカーリロケーションの為に実行する事を示してもよい。
【０２９２】
なお、SMF_A230及び/又はAMF_A240は、第21から22の識別情報のうち、どの識別情報をPDUセッション解放コマンドメッセージ及び／又はNASメッセージに入れるかを、受信した識別情報、及び/又は、ネットワークの能力情報、及び/又はオペレータポリシー等のポリシー、及び/又はネットワークの状態に基づいて決定してもよい。なお、どの識別情報をPDUセッション解放コマンドメッセージ及び／又はNASメッセージに入れるかのSMF_A230及び/又はAMF_A240による決定はこれに限らない。
【０２９３】
UE_A10は、PDUセッション解放コマンドメッセージを受信し、さらに、AMF_A240を介してSMF_A230にPDUセッション解放受諾(PDU session release accept)メッセージを送信する(S1712) (S1714)。
【０２９４】
具体的には、UE_A10は、N1インターフェースを用いてAMF_A240にPDUセッション解放受諾メッセージを送信し(S1712)、PDUセッション解放受諾メッセージを受信したAMF_A240が、N11インターフェースを用いてSMF_A230にPDUセッション解放受諾メッセージを送信する(S1714)。
【０２９５】
なお、PDUセッションがPDNコネクションである場合、PDUセッション解放受諾メッセージは、EPSベアラコンテキスト無効化受諾(Deactivate EPS bearer context accept)メッセージでもよい。さらに、PDUセッション解放受諾メッセージは、N1インターフェース、及びN11インターフェース上で送受信されるNASメッセージであってよいし、NASメッセージに含まれて送受信されてよい。また、PDUセッション解放受諾メッセージは、PDUセッション解放コマンドメッセージに対する応答メッセージであればよく、これに限らず、PDUセッション解放手続きが完了する事を示すメッセージであればよい。
【０２９６】
続けて、SMF_A230はAMF_A240にPDUセッション解放通知(PDU session release notification)メッセージを送信する(S1716)。SMF_A230はPDUセッション解放通知メッセージを送信することで、PDUセッションの解放の完了を通知してもよいし、PDUセッションを解放しているが、リロケーションの為に一部の情報の記憶を維持している状態であることを通知してもよい。なお、PDUセッション解放通知メッセージは、これに限らず、PDUセッションの解放を通知するメッセージであればよい。
【０２９７】
なお、AMF_A240は、PDUセッション解放受諾メッセージの受信に基づき、及び/又はPDUセッション解放通知メッセージの受信、及び/又はPDUセッション解放コマンドメッセージの送信に基づき、PDUセッションに関する情報の記憶を管理するタイマを用いたタイマのカウントを開始させてよい。さらに、AMF_A240は、第21の識別情報とPDUセッションに関する情報、例えばSMF_230を識別するSMF ID、を関連付けて記憶することを開始してよい。
【０２９８】
もしくは、AMF_A240は、さらに詳細な条件を基に上述した情報を記憶することを開始してもよい。例えば、第21の識別情報及び／又は第22の識別情報を含むPDUセッション解放通知メッセージの受信した場合、及び又はSSC mode 2のPDUセッションを解放する場合には、PDUセッション解放受諾メッセージの受信に基づき、及び/又はPDUセッション解放通知メッセージの受信、及び/又はPDUセッション解放コマンドメッセージの送信に基づいて、上述した情報を記憶することを開始してもよい。なお、このような詳細条件は、システムやオペレータのポリシー等によって決定されてよい。さらに、こうした条件に合致しない場合には、AMF_A240は上述した情報を記憶と、タイマのカウントを開始しなくてもよい。また、PDUセッションに関する情報の記憶を管理するタイマは、AMF_A240がプリコンフィグで記憶していてもよいし、受信した識別情報、及び/又は、ネットワークの能力情報、及び/又はオペレータポリシー等のポリシー、及び/又はネットワークの状態に基づいて決定してもよい。
【０２９９】
さらに、PDUセッションに関する情報の記憶を管理するタイマを用いたタイマのカウントが満了(expire)した場合、AMF_A240はPDUセッションに関する情報、及び/又はコンテキストを解放してよい。
【０３００】
SMF_A230は、PDUセッション解放受諾メッセージの受信に基づき、及び/又はPDUセッション解放通知メッセージの送信、及び/又はPDUセッション解放コマンドメッセージの受信に基づき、PDUセッションに関する情報の記憶を管理するタイマを用いたタイマのカウントを開始させてよい。さらに、SMF_A230は、第21の識別情報とPDUセッションに関する情報を関連付けて記憶することを開始してよい。
【０３０１】
もしくは、SMF_A230は、さらに詳細な条件を基に上述した情報を記憶することを開始してもよい。例えば、第21の識別情報及び／又は第22の識別情報を含むPDUセッション解放受諾メッセージを受信した場合、及び／又は、第21の識別情報及び／又は第22の識別情報を含むPDUセッション解放通知メッセージの送信した場合、及び又はSSC mode 2のPDUセッションを解放する場合には、PDUセッション解放受諾メッセージの受信に基づき、及び/又はPDUセッション解放通知メッセージの送信、及び/又はPDUセッション解放コマンドメッセージの受信に基づいて、上述したタイマのカウントと、第21の識別情報とPDUセッションに関する情報を関連付けて記憶することを開始してよい。
【０３０２】
なお、このような詳細条件は、システムやオペレータのポリシー等によって決定されてよい。さらに、こうした条件に合致しない場合には、SMF_A230は上述した情報を記憶と、タイマのカウントを開始しなくてもよい。ここで、PDUセッションに関する情報とは、リロケーション元のUPF_A235を識別するUPF IDであってもよく、この場合、SMF_A230は第1のPDUセッション確立手続き中にリロケーション先のUFP_B236を選択する。
【０３０３】
または、PDUセッションに関する情報は、リロケーション先のUPF_B236を識別するUPF IDであってもよく、この場合、SMF_A230は、PDUセッション解放応答メッセージの受信、及び/又はPDUセッションアンカーリロケーションの決定に基づいて、リロケーション先のUPF_B236を選択してもよい。
【０３０４】
ここで、PDUセッションに関する情報の記憶を管理するタイマは、SMF_A230がプリコンフィグで記憶していてもよいし、受信した識別情報、及び/又は、ネットワークの能力情報、及び/又はオペレータポリシー等のポリシー、及び/又はネットワークの状態に基づいて決定してもよい。
【０３０５】
さらに、PDUセッションに関する情報の記憶を管理するタイマを用いたタイマのカウントが満了(expire)した場合、SMF_A230はPDUセッションに関する情報、及び/又はコンテキストを解放してよい。
【０３０６】
各装置は、S1716の送受信に基づいて、本手続きを完了する。なお、各装置は、本手続き完了に基づいて、第1のPDUセッションが解放された状態に遷移してもよい。更に、各装置は、本手続きの完了に基づいて、本手続きで送受信した識別情報に基づいた処理を実施してもよい。
【０３０７】
例えば、UE_A10が第21から22の識別情報のうち、1つ以上の識別情報を受信した場合、即座に第1のPDUセッション確立手続きを開始してもよい。
【０３０８】
さらに、UE_A10が第21から22の識別情報のうち、1つ以上の識別情報を受信した場合、PDUセッションに関する情報を一時的に解放しなくてもよいし、即座に解放してもよい。
【０３０９】
なお、本手続例では、図17を基にSMF_A230が主導してPDUセッションを解放する手続きを説明したが、これに限らず他の手続きであってもよい。例えば、SMF_A230はS1702においてUPFリロケーションの決定処理を実行後、第21の識別情報及び又は第22の識別情報を含むNASメッセージを、AMF_A240を介してUE_A10に送信してもよい。なお、このNASメッセージは、解放するPDUセッションIDを含む制御メッセージであってよく、さらに、UE主導のPDUセッション解放手続きの開始をUE_A10に要求すること、又はUE主導のPDUセッション解放手続きの開始するよう通知することを示す制御情報であってよい。
【０３１０】
上述したNASメッセージの受信に基づいて、UE_A10はPDUセッション解放要求メッセージをAMF_A240に送信してもよい。さらに、AMF_A240は受信したPDUセッション解放要求メッセージをSMF_A230に送信してもよい。ここで、UE_A10はPDUセッション解放要求メッセージに、上述したNASメッセージを基に受信したPDUセッションID、及び/又は第21の識別情報を含めてもよい。なお、SMF_A230がPDUセッション解放要求メッセージを受信した後の手続きは、図17を用いて説明したS1704以降の手続きであってよい。
【０３１１】
[1.4.1.2．第1のPDUセッション確立手続きの説明]
以下、本手続きは第1のPDUセッション確立手続を指す。本手続きは、第2の状態の各装置が第2のPDUセッションを確立する為の手続きである。なお、各装置は、第1のPDUセッション確立手続きを、第1のPDUセッション解放手続きが完了した状態から実行してよい。また、各装置は、登録状態で第1のPDUセッション確立手続きを開始してもよい。また、各装置は、本手続きの完了に基づいて、第2のPDUセッションを確立してもよい。
【０３１２】
第1のPDUセッション確立手続きを図15を用いて説明する。以下、本手続きの各ステップについて説明する。まず、UE_A10は、AN node_A122とAMF_A240とを介してSMF_A230にPDUセッション確立要求メッセージを送信し(S1500) (S1502) (S1504)、PDUセッション確立手続きを開始する。
【０３１３】
具体的には、UE_A10は、N1インターフェースを用いてAMF_A240にPDUセッション確立要求メッセージを送信し(S1500)、PDUセッション確立要求メッセージを受信したAMF_A240が、PDUセッション確立要求メッセージのルーティング先のNFとしてSMF_A230を選択し(S1502)、N11インターフェースを用いて選択したSMF_A230にPDUセッション確立要求メッセージを送信する(S1504)。
【０３１４】
なお、PDUセッションがPDNコネクションである場合、PDUセッション確立要求メッセージはPDN接続要求メッセージでよい。さらに、PDUセッション確立要求メッセージは、N1インターフェース、及びN11インターフェース上で送受信されるNASメッセージであってよいし、NASメッセージに含まれてもよい。また、PDUセッション確立要求メッセージは、これに限らず、PDUセッションアンカーリロケーションによりネットワークから要求されたPDUセッションの確立を要求するメッセージであればよい。
【０３１５】
ここで、UE_A10は、PDUセッション確立要求メッセージ及び／又はNASメッセージに、少なくとも第1から7の識別情報の識別情報のうち1つ以上の識別情報を含めてもよいし、更に、第31から33の識別情報のうち1つ以上の識別情報を含めてもよいし、これらの識別情報を含める事で、UE_A10の要求を示してもよい。
【０３１６】
さらに、UE_A10は、第31から33の識別情報のうち1つ以上の識別情報を送信する事で、DN_A5に接続するPDUセッションの確立を要求してもよい。
【０３１７】
具体的には、UE_A10は第31の識別情報を送信することで、ネットワークからの要求に基づき、PDUセッションの確立を要求することをしめしてもよいし、PDUセッションアンカーリロケーションによりPDUセッションの確立を要求することを示してもよい。
【０３１８】
さらに、UE_A10は第32の識別情報を送信することで、UE_A10が確立を要求するPDUセッションを示してもよいし、ネットワークが一時的に記憶するPDUセッションに関する情報を示してもよい。
【０３１９】
さらに、UE_A10は第33の識別情報を送信することで、PDUセッションアンカーリロケーション元のPDUセッションを示してもよい。
【０３２０】
なお、UE_A10は、第31から33の識別情報のうち、どの識別情報をPDUセッション確立要求メッセージ及び／又はNASメッセージに入れるかを、UE_A10の能力情報、及び/又はUEポリシー等のポリシー、及び/又はUE_A10のプリファレンスに基づいて決定してもよい。なお、どの識別情報をPDUセッション確立要求メッセージ及び／又はNASメッセージに入れるかのUE_A10による決定はこれに限らない。
【０３２１】
なお、AMF_A240及び/又はSMF_A230は、第1のPDUセッション解放手続きにおいて開始したPDUセッションに関する情報の記憶を管理するタイマを実行中の場合、PDUセッションに関する情報の記憶を管理するタイマを停止してよい。
【０３２２】
なお、AMF_A240は、PDUセッション確立要求メッセージに含まれる情報に基づいて、PDUセッション確立要求メッセージを送信するSMF_A230を選択してもよい。より詳細には、AMF_A240は、PDUセッション確立要求メッセージの受信に基づいて取得した各識別情報、例えば第31の識別情報、及び/又は加入者情報、及び/又はネットワークの能力情報、及び/又はオペレータポリシー、及び/又はネットワークの状態、及び/又はAMF_A240が既に保持しているコンテキストに基づいて、ルーティング先のSMF_A230を選択してもよい。
【０３２３】
さらに具体的には、AMF_A240は、第31から33の識別情報のうちの一つ以上の識別情報を基にPDUセッションを解放した際に記憶した情報からSMF_A230を選択してもよい。より詳細には、第31から33の識別情報のうちの一つ以上の識別情報を基に事前に解放されたPDUセッションIDを特定し、さらに特定したPDUセッションIDに対応づけられた記憶情報からSMF IDを特定することにより、SMF_A230を選択してもよい。
【０３２４】
なお、AMF_A240は、第1のPDUセッション解放手続きにおいて開始したPDUセッションに関する情報の記憶を管理するタイマを実行中の場合、PDUセッション確立要求メッセージの受信、及び/又は、PDUセッション確立要求に第31から33の識別情報のいずれか一つ以上が含まれていること、及び/又は、後述するPDUセッション確立受諾メッセージの送信、及び/又は後述するPDUセッション確立完了メッセージの受信、及び/又は上述したSMF_A230の選択の完了、及び/又はPDUセッション確立要求の送信に基づいて、PDUセッションに関する情報の削除と、PDUセッションに関する情報記憶を管理するタイマの停止を実行してもよい。
【０３２５】
SMF_A230は、PDUセッション確立要求メッセージを受信し、第1の条件判別を実行する。第1の条件判別は、SMF_A230が、UE_A10の要求を受諾するか否かを判断する為のものである。第1の条件判別において、SMF_A230は第1の条件判別が真であるか偽であるかを判定する。SMF_A230は、第1の条件判別が真の場合は本手続き中の(A)の手続きを開始し、第1の条件判別が偽の場合は本手続き中の(B)の手続きを開始する。なお、第1の条件判別が偽の場合のステップは後述する。
【０３２６】
以下、第1の条件判別が真の場合のステップ、すなわち本手続き中の(A)の手続きの各ステップを説明する。SMF_A230は、PDUセッションの確立先のUPF_B236を選択し(S1505)、選択したUPF_B236にセッション確立要求(Session Establishment request)メッセージを送信し(S1506)、本手続き中の(A)の手続きを開始する。
【０３２７】
ここで、SMF_A230は、PDUセッション確立要求メッセージの受信に基づいて取得した各識別情報、例えば第31の識別情報、及び/又はネットワークの能力情報、及び/又は加入者情報、及び/又はオペレータポリシー、及び/又はネットワークの状態、及び/又はSMF_A230が既に保持しているコンテキストに基づいて、一又は複数のUPFを選択してもよい。なお、複数のUPFが選択された場合、SMF_A230は、各々のUPFに対してセッション確立要求メッセージを送信してもよい。
【０３２８】
以下では、SMF_A230はUPF選択処理により、UPF_B236を選択した場合を説明する。なお、他のUPFが選択された場合には、以下で説明するUPF_B236を選択したUPFに置き換えて手続きを実行することでPDUセッションを確立することができる。
【０３２９】
なお、SMF_A230はUPF選択処理により、UPF_B236を選択する具体的な手法として、SMF_A230は、第31から33の識別情報のうちの一つ以上の識別情報を基にPDUセッションを解放した際に記憶した情報からUPF_B236を選択してもよい。より詳細には、第31から33の識別情報のうちの一つ以上の識別情報を基に事前に解放されたPDUセッションIDを特定し、さらに特定したPDUセッションIDに対応づけられた記憶情報からリロケーション先のUPFとしてUPF_B236を特定することにより、UPF_B236を選択してもよい。
【０３３０】
なお、SMF_A230は、第1のPDUセッション解放手続きにおいて開始したPDUセッションに関する情報の記憶を管理するタイマを実行中の場合、PDUセッション確立要求メッセージの受信、及び/又は、PDUセッション確立要求に第31から33の識別情報のいずれか一つ以上が含まれていること、及び/又は、後述するPDUセッション確立受諾メッセージの送信、及び/又は後述するPDUセッション確立完了メッセージの受信、及び/又は上述したUPF_B236の選択の完了、及び/又はセッション確立要求の送信に基づいて、リロケーション先の情報を含むPDUセッションに関する情報の削除と、記憶情報を管理するタイマの停止を実行してもよい。
【０３３１】
UPF_B236は、セッション確立要求メッセージを受信し、PDUセッションのためのコンテキストを作成する。さらに、UPF_B236は、セッション確立要求メッセージを受信、及び/又はPDUセッションのためのコンテキストの作成に基づいて、SMF_A230にセッション確立応答(Session Establishment response)メッセージを送信する(S1508)。さらに、SMF_A230は、セッション確立応答メッセージを受信する。なお、セッション確立要求メッセージ及びセッション確立応答メッセージは、N4インターフェース上で送受信される制御メッセージであってもよい。さらに、セッション確立応答メッセージは、セッション確立要求メッセージに対する応答メッセージであってよい。
【０３３２】
さらに、SMF_A230は、PDUセッション確立要求メッセージの受信、及び/又はUPF_B236の選択、及び/又はセッション確立応答メッセージの受信に基づいて、UE_A10に割り当てるアドレスのアドレス割り当てを行ってよい。さらに、SMF_A230は、UE_A10に割り当てたアドレスとDN_A5への通信に用いるアドレスであることを示す情報とを対応づけてもよい。なお、SMF_A230は、UE_A10に割り当てるアドレスのアドレス割り当てをPDUセッション確立手続き中で行ってもよいし、PDUセッション確立手続きの完了後に行ってもよい。
【０３３３】
具体的には、SMF_A230は、DHCPv4を用いずにIPv4アドレスを割り当てる場合、PDUセッション確立手続き中に、アドレス割り当てを行ってもよいし、割り当てたアドレスをUE_A10に送信してもよい。さらに、SMF_A230は、DHCPv4又はDHCPv6又はSLAAC(Stateless Address Autoconfiguration)用いてIPv4アドレス、及び/又はIPv6アドレス、及び/又はIPv6プレフィックスを割り当てる場合、PDUセッション確立手続き後に、アドレス割り当てを行ってもよいし、割り当てたアドレスをRAを用いてUE_A10に送信してもよい。なお、SMF_A230が実施するアドレス割り当てはこれらに限らない。
【０３３４】
さらに、SMF_A230は、UE_A10に割り当てるアドレスのアドレス割り当ての完了に基づいて、割り当てたアドレスを第14の識別情報に含めてUE_A10に送信してもよいし、第14の識別情報に含めずに、割り当てたアドレスを示す情報と、割り当てたアドレスがDN_A5との間で行われるユーザデータ通信に用いることができるアドレスであるか否かを示す情報とを対応づけてUE_A10に送信してもよい。この場合、UE_A10は、SMF_A230が送信した、第14の識別情報、及び/又は割り当てたアドレスを示す情報、及び/又は割り当てたアドレスがDN_A5との間で行われるユーザデータ通信に用いることができるアドレスであるか否かを示す情報を受信してもよい。
【０３３５】
SMF_A230は、PDUセッション確立要求メッセージの受信、及び/又はUPF_B236の選択、及び/又はセッション確立応答メッセージの受信、及び/又はUE_A10に割り当てるアドレスのアドレス割り当ての完了に基づいて、AMF_A240を介してUE_A10にPDUセッション確立受諾(PDU session establishment accept)メッセージを送信する(S1510) (S1512)。
【０３３６】
なお、PDUセッション確立要求メッセージが、レジストレーション要求(Registration request)メッセージに含まれて送信された場合、PDUセッション確立受諾メッセージは、レジストレーション受諾(Registration accept)メッセージに含まれて送信されてもよい。例えば、レジストレーション受諾メッセージに、SMメッセージとしてPDUセッション確立受諾メッセージが含まれてもよいし、NASメッセージとしてPDUセッション確立受諾メッセージが含まれてもよい。
【０３３７】
具体的には、SMF_A230は、N11インターフェースを用いてAMF_A240にPDUセッション確立受諾メッセージを送信し(S1510)、PDUセッション確立要求メッセージを受信したAMF_A240が、N1インターフェースを用いてUE_A10にPDUセッション確立受諾メッセージを送信する(S1512)。
【０３３８】
なお、PDUセッションがPDNコネクションである場合、PDUセッション確立受諾メッセージはPDN接続受諾(PDN connectivity accept)メッセージでよい。さらに、PDUセッション確立受諾メッセージは、N11インターフェース、及びN1インターフェース上で送受信されるNASメッセージであってよいし、NASメッセージに含まれて送信されてよい。また、PDUセッション確立受諾メッセージは、これに限らず、PDUセッションの確立が受諾されたことを示すメッセージであればよい。
【０３３９】
ここで、SMF_A230及び/又はAMF_A240は、PDUセッション確立受諾メッセージ及び／又はレジストレーション受諾メッセージ及び／又はNASメッセージに、少なくとも第11から14の識別情報のうち1つ以上の識別情報を含めてもよいし、これらの識別情報を含める事で、UE_A10の要求が受諾された事を示してしてもよい。
【０３４０】
さらに、SMF_A230は、第11から14の識別情報のうち1つ以上の識別情報を送信する事で、ネットワークが、DN_A5に接続するPDUセッションの確立の要求を受諾したことを示してもよいし、DN_A5に接続するPDUセッションの確立を許可したことを示してもよい。
【０３４１】
なお、SMF_A230及び/又はAMF_A240は、第11から14の識別情報のうち、どの識別情報をPDUセッション確立受諾メッセージ及び／又はレジストレーション受諾メッセージ及び／又はNASメッセージに入れるかを、受信した識別情報、及び/又は、ネットワークの能力情報、及び/又はオペレータポリシー等のポリシー、及び/又はネットワークの状態に基づいて決定してもよい。なお、どの識別情報をPDUセッション確立受諾メッセージ及び／又はレジストレーション受諾メッセージ及び／又はNASメッセージに入れるかのSMF_A230及び/又はAMF_A240による決定はこれに限らない。
【０３４２】
UE_A10は、PDUセッション確立受諾メッセージを受信し、さらに、AMF_A240を介してSMF_A230にPDUセッション確立完了(PDU session establishment complete)メッセージを送信する(S1514)(S1516)。さらに、SMF_A230は、PDUセッション確立完了メッセージを受信し、第2の条件判別を実行する。
【０３４３】
具体的には、UE_A10は、N1インターフェースを用いてAMF_A240にPDUセッション確立完了メッセージを送信し(S1514)、PDUセッション確立完了メッセージを受信したAMF_A240が、N11インターフェースを用いてSMF_A230にPDUセッション確立完了メッセージを送信する(S1516)。
【０３４４】
なお、PDUセッションがPDNコネクションである場合、PDUセッション確立完了メッセージは、PDN接続完了(PDN Connectivity complete)メッセージでもよいし、デフォルトEPSベアラコンテキストアクティブ化受諾(Activate default EPS bearer context accept)メッセージでもよい。さらに、PDUセッション確立完了メッセージは、N1インターフェース、及びN11インターフェース上で送受信されるNASメッセージであってよい。また、PDUセッション確立完了メッセージは、PDUセッション確立受諾メッセージに対する応答メッセージであればよく、これに限らず、PDUセッション確立手続きが完了する事を示すメッセージであればよい。
【０３４５】
第2の条件判別は、送受信されるN4インターフェース上のメッセージの種類を決定する為ものである。第2の条件判別が真の場合、SMF_A230はUPF_B236にセッション変更要求メッセージ(Session Modification request)を送信し(S1518)、さらに、セッション変更要求メッセージを受信したUPF_B236が送信したセッション変更受諾(Session Modification response)メッセージを受信する(S1520)。また、第2の条件判別が偽の場合、SMF_A230はUPF_B236にセッション確立要求メッセージを送信し(S1518)、さらに、セッション確立要求メッセージを受信したUPF_B236が送信したセッション変更受諾メッセージを受信する(S1520)。各装置は、PDUセッション確立完了メッセージの送受信、及び/又はセッション変更応答メッセージの送受信、及び/又はセッション確立応答メッセージの送受信に基づいて、本手続き中の(A)の手続きを完了する。
【０３４６】
なお、本手続き中の(A)の手続き中で、UE_A10に割り当てられたアドレスがUE_A10へ通知されなかった場合、SMF_A230はアンカーポイントとなるUPF_B236を介してRAを送信してもよい(S1524)。
【０３４７】
SMF_A230及び/又はUPF_B236は、RAに第11の識別情報と第14の識別情報のうち1つ以上の識別情報を送信する事で、DN_A5に対してPDUセッションが確立された事を通知してもよいし、UE_A10にアドレスが割り当てられたことを通知してもよい。
【０３４８】
次に、本手続き中の(B)の手続きの各ステップを説明する。SMF_A230は、AMF_A240を介してUE_A10にPDUセッション確立拒絶(PDU session establishment reject)メッセージを送信し(S1526) (S1528)、本手続き中の(B)の手続きを開始する。
【０３４９】
具体的には、SMF_A230は、N11インターフェースを用いてAMF_A240にPDUセッション確立拒絶メッセージを送信し(S1526)、PDUセッション確立要求メッセージを受信したAMF_A240が、N1インターフェースを用いてUE_A10にPDUセッション確立拒絶メッセージを送信する(S1528)。
【０３５０】
なお、PDUセッションがPDNコネクションである場合、PDUセッション確立拒絶メッセージはPDN接続拒絶(PDN connectivity reject)メッセージでよい。さらに、PDUセッション確立拒絶メッセージは、N11インターフェース、及びN1インターフェース上で送受信されるNASメッセージであってよいし、NASメッセージに含まれて送信されてよい。また、PDUセッション確立拒絶メッセージは、これに限らず、PDUセッションの確立が拒絶されたことを示すメッセージであればよい。
【０３５１】
ここで、SMF_A230及び/又はAMF_A240は、PDUセッション確立拒絶メッセージ及び／又はNASメッセージに、少なくとも第15の識別情報を含めてもよいし、これらの識別情報を含める事で、UE_A10の要求が拒絶された事を示してしてもよい。
【０３５２】
さらに、SMF_A230及び/又はAMF_A240は、第15の識別情報を送信する事で、ネットワークが、DN_A5に接続するPDUセッションの確立の要求を拒絶したことを示してもよいし、DN_A5に接続するPDUセッションの確立を許可しなかったことを示してもよい。さらに、SMF_A230は、第15の識別情報を送信することで、DN_A5に接続するPDUセッションが確立されかなったことを示してもよい。
【０３５３】
例えば、SMF_A230及び/又はAMF_A240は、第15の識別情報を送信することで、DN_A5への接続が拒絶された事を示してもよいし、拒絶された理由を示してもよいし、UE_A10の要求が拒絶された事を示してもよいし、要求するSSC modeをサポートする接続が確立できない事を示してもよいし、multi home PDUセッションの確立がサポートされない事を示してもよい。
【０３５４】
各装置は、本手続き中の(A)又は(B)の手続きの完了、又はS1524の送受信に基づいて、本手続きを完了する。なお、各装置は、本手続き中の(A)の手続きの完了に基づいて、PDUセッションが確立された状態に遷移してもよいし、本手続き中の(B)の手続きの完了に基づいて、本手続きが拒絶された事を認識してもよいし、PDUセッションが確立されていない状態に遷移してもよい。
【０３５５】
さらに、各装置は、本手続きの完了に基づいて、本手続きで送受信した識別情報に基づいた処理を実施してもよい。
【０３５６】
また、第1の条件判別は、PDUセッション確立要求メッセージ及び／又はレジストレーション要求メッセージ及び／又はNASメッセーに含まれる識別情報、及び/又はUDM_A50から取得した加入者情報、及び/又はオペレータポリシーに基づいて実行されてもよい。例えば、第1の条件判別は、UE_A10の要求をネットワークが許可する場合、真でよい。また、第1の条件判別は、UE_A10の要求をネットワークが許可しない場合、偽でよい。さらに、第1の条件判別は、UE_A10の接続先のネットワーク、及び/又はネットワーク内の装置が、UE_A10が要求する機能を、サポートしている場合は真でよく、サポートしていない場合は偽でよい。なお、第1の条件判別の真偽が決まる条件は前述した条件に限らなくてもよい。また、第2の条件判別は、PDUセッションのためのN4インターフェース上のセッションが確立されているか否かに基づいて実行されてもよい。例えば、第2の条件判別は、PDUセッションのためのN4インターフェース上のセッションが、確立されている場合は真であってよく、確立されていない場合は偽であってよい。なお、第2の条件判別の真偽が決まる条件は前述した条件に限らなくてもよい。
【０３５７】
[1.4.2.第2のPDUセッションアンカーリロケーション手続きの説明]
次に、第2のPDUセッションアンカーリロケーションについて図18を用いて説明する。本実施形態では、1.4.1章で説明した第1のPDUセッションアンカーリロケーション手続きと同様に、各装置は第1の状態に遷移している状態から開始する(S1800)。以下、本手続きは第2のPDUセッションアンカーリロケーション手続きを指し、各手続きは第2のPDUセッション解放手続き、第2のPDUセッション確立手続きがある。各手続きの詳細は後述する。
【０３５８】
ここで、PDUセッションアンカーリロケーションとは、確立済みのセッションのアンカーポイントを変更するための手続きである。
【０３５９】
なお、第2のPDUセッションアンカーリロケーションを実施する場合、UPF_A235はSSC mode 3が対応付けられてPDUセッションが確立されている状態であってよい。言い換えれば、第1の状態に遷移するための初期手続きにおいて、各装置はSSC mode 3とUPF_A235を対応付けてPDUセッションを確立した状態であってよいし、各装置はSSC mode 3とUPF_A235を対応付けて記憶している状態であってよい。具体的には、初期手続きにおいて、UE_A10がネットワークから第12の識別情報を受信し、更に第12の識別情報がSSC mode 3を示す情報である場合であってよい。
【０３６０】
本手続きにおいて、各装置は、まず第2のPDUセッション確立手続き(S1802)を実行し、第4の状態に遷移する(S1804)。次に、各装置は、第2のPDUセッション解放手続き(S1806)を実行し、第3の状態に遷移する(S1808)。
【０３６１】
なお、各装置は、第2のPDUセッション解放手続き及び/又は第1のPDUセッション確立手続きにおいて、各装置の各能力情報及び/又は各主要求情報を交換してよい。
【０３６２】
以上の手続きにより、各装置は、本手続きを完了する。なお、本手続きに関わる各装置は、本手続きで説明する各制御メッセージを送受信する事により、各制御メッセージに含まれる1又は複数の識別情報を送受信し、送受信した各識別情報をコンテキストとして記憶してもよい。さらに、各装置は、本手続きを完了に基づいて、第3の状態へ遷移してもよい。
【０３６３】
[1.4.2.1．第2のPDUセッション確立手続きの説明]
以下、本手続きは第2のPDUセッション確立手続を指す。本手続きは、第1の状態の各装置が第2のPDUセッションを確立する為の手続きである。なお、各装置は、1.4.1章で説明した第1のPDUセッションアンカーリロケーション手続きとは異なり、PDUセッション解放手続きを実行することなく第2のPDUセッション確立手続きを開始してもよい。また、各装置は、登録状態で第2のPDUセッション確立手続きを開始してもよい。
【０３６４】
なお、UE_A10は、任意のタイミングで第2のPDUセッション確立手続きを開始してもよい。もしくは、UE_A10の移動に伴って在圏するTAもしくはエリアが変化したことや、第2のPDUセッション確立手続きを実行可能なTAもしくはエリアに入ったことを検出したことや、第2のPDUセッション確立手続きを実行可能なTAもしくはエリアに入ったことを示す通知をコアネットワークから受信したことや、第2のPDUセッション確立手続きを実行可能であることを示す通知をコアネットワークから受信するなどをトリガーとして、第2のPDUセッション確立手続きを開始してもよい。
【０３６５】
より具体的には、第1の状態において、UE_A10はUFP_A235との間にPDUセッションを確立しており、確立したPDUセッションはSMF_A230によって管理されている。その状態において、SMF_A230はUPFのリロケーションを決定してもよい。なお、決定における具体的な処理は、1.4.1.1章のS1702で説明したUPFリロケーション処理と同様でよい。SMF_A230は、リロケーションの決定後NASメッセージを、AMF_A240を介してUE_A10に送信してもよい。
【０３６６】
SMF_A230はこのNASメッセージにより、PDUセッションが一定時間経過後リリースされることを通知してもよい。さらに、UE_A10に対してUE主導のPDUセッション確立手続きを開始することを要求してもよい。ここで、SMF_A230はPDUセッションがリリースされるまでの時間を示す情報をNASメッセージに含めてもよい。さらに、リリースされるPDUセッションの識別情報を含めてもよい。なお、UE_A10に対して確立を要求するPDUセッションに対するDNとリリースされるPDUセッションが接続するDNは同一であってよい。つまり、リリースするPDUセッションが接続するDNに対して、PDUセッションを確立することを要求してもよい。したがって、SMF_A230は、NASメッセージに接続を要求するDNを識別するDNNを含めて送信してもよい。
【０３６７】
このように、UE_A10はSMF_A230が送信するNASメッセージを受信することで、UE主導のPDUセッション確立手続きを開始してもよい。
【０３６８】
なお、SMF_A230はUPFのリロケーションを決定処理において、UPF_B236にアンカー装置を変更することを決定し、UPF_B236の識別情報とPDUセッションの識別情報とを対応付けて記憶してもよい。
【０３６９】
以下、UE主導のPDUセッション確立手続きとして、第2のPDUセッション確立手続きを、図15を用いて説明する。以下、本手続きの各ステップについて説明する。まず、UE_A10は、AN node_A122とAMF_A240とを介してSMF_A230にPDUセッション確立要求メッセージを送信し(S1500) (S1502) (S1504)、PDUセッション確立手続きを開始する。
【０３７０】
具体的には、UE_A10は、N1インターフェースを用いてAMF_A240にPDUセッション確立要求メッセージを送信し(S1500)、PDUセッション確立要求メッセージを受信したAMF_A240が、PDUセッション確立要求メッセージのルーティング先のNFとしてSMF_A230を選択し(S1502)、N11インターフェースを用いて選択したSMF_A230にPDUセッション確立要求メッセージを送信する(S1504)。
【０３７１】
なお、PDUセッションがPDNコネクションである場合、PDUセッション確立要求メッセージはPDN接続要求メッセージでよい。さらに、PDUセッション確立要求メッセージは、N1インターフェース、及びN11インターフェース上で送受信されるNASメッセージであってよいし、NASメッセージに含まれてもよい。また、PDUセッション確立要求メッセージは、これに限らず、PDUセッションアンカーリロケーションによりネットワークから要求されたPDUセッションの確立を要求するメッセージであればよい。
【０３７２】
ここで、UE_A10は、PDUセッション確立要求メッセージ及び／又はNASメッセージに、少なくとも第1から7の識別情報の識別情報のうち1つ以上の識別情報を含めてもよいし、更に、第31から33の識別情報のうち1つ以上の識別情報を含めてもよいし、これらの識別情報を含める事で、UE_A10の要求を示してもよい。
【０３７３】
さらに、UE_A10は、第31から33の識別情報のうち1つ以上の識別情報を送信する事で、DN_A5に接続するPDUセッションの確立を要求してもよい。
【０３７４】
具体的には、UE_A10は第31の識別情報を送信することで、ネットワークからの要求に基づき、PDUセッションの確立を要求することをしめしてもよいし、PDUセッションアンカーリロケーションによりPDUセッションの確立を要求することを示してもよい。
【０３７５】
さらに、UE_A10は第32の識別情報を送信することで、UE_A10が確立を要求するPDUセッションを示してもよいし、ネットワークが一時的に記憶するPDUセッションに関する情報を示してもよい。
【０３７６】
さらに、UE_A10は第33の識別情報を送信することで、PDUセッションアンカーリロケーション元のPDUセッションを示してもよい。
【０３７７】
なお、UE_A10は、第31から33の識別情報のうち、どの識別情報をPDUセッション確立要求メッセージ及び／又はNASメッセージに入れるかを、UE_A10の能力情報、及び/又はUEポリシー等のポリシー、及び/又はUE_A10のプリファレンスに基づいて決定してもよい。なお、どの識別情報をPDUセッション確立要求メッセージ及び／又はNASメッセージに入れるかのUE_A10による決定はこれに限らない。
【０３７８】
なお、AMF_A240は、PDUセッション確立要求メッセージに含まれる情報に基づいて、PDUセッション確立要求メッセージを送信するSMF_A230を選択してもよい。より詳細には、AMF_A240は、PDUセッション確立要求メッセージの受信に基づいて取得した各識別情報、例えば第31の識別情報、及び/又は加入者情報、及び/又はネットワークの能力情報、及び/又はオペレータポリシー、及び/又はネットワークの状態、及び/又はAMF_A240が既に保持しているコンテキストに基づいて、ルーティング先のSMF_A230を選択してもよい。
【０３７９】
さらに具体的には、AMF_A240は、第31から33の識別情報のうちの一つ以上の識別情報を基にPDUセッションを解放した際に記憶した情報からSMF_A230を選択してもよい。より詳細には、第31から33の識別情報のうちの一つ以上の識別情報を基に事前に解放されたPDUセッションIDを特定し、さらに特定したPDUセッションIDに対応づけられた記憶情報からSMF IDを特定することにより、SMF_A230を選択してもよい。
【０３８０】
SMF_A230は、PDUセッション確立要求メッセージを受信し、第1の条件判別を実行する。第1の条件判別は、SMF_A230が、UE_A10の要求を受諾するか否かを判断する為のものである。第1の条件判別において、SMF_A230は第1の条件判別が真であるか偽であるかを判定する。SMF_A230は、第1の条件判別が真の場合は本手続き中の(A)の手続きを開始し、第1の条件判別が偽の場合は本手続き中の(B)の手続きを開始する。なお、第1の条件判別が偽の場合のステップは後述する。
【０３８１】
以下、第1の条件判別が真の場合のステップ、すなわち本手続き中の(A)の手続きの各ステップを説明する。SMF_A230は、PDUセッションの確立先のUPF_B236を選択し(S1505)、選択したUPF_B236にセッション確立要求(Session Establishment request)メッセージを送信し(S1506)、本手続き中の(A)の手続きを開始する。
【０３８２】
ここで、SMF_A230は、PDUセッション確立要求メッセージの受信に基づいて取得した各識別情報、例えば第31の識別情報、及び/又はネットワークの能力情報、及び/又は加入者情報、及び/又はオペレータポリシー、及び/又はネットワークの状態、及び/又はSMF_A230が既に保持しているコンテキストに基づいて、一又は複数のUPFを選択してもよい。なお、複数のUPFが選択された場合、SMF_A230は、各々のUPFに対してセッション確立要求メッセージを送信してもよい。
【０３８３】
もしくは、本手続き冒頭のSMF_A230はUPFのリロケーションを決定処理において、UPF_B236にアンカー装置を変更することを決定し多彩に記憶する、UPF_B236の識別情報とPDUセッションの識別情報とを対応付けた情報を基に、UPF_B236を選択してもよい。
【０３８４】
以下では、SMF_A230はUPF選択処理により、UPF_B236を選択した場合を説明する。なお、他のUPFが選択された場合には、以下で説明するUPF_B236を選択したUPFに置き換えて手続きを実行することでPDUセッションを確立することができる。
【０３８５】
UPF_B236は、セッション確立要求メッセージを受信し、PDUセッションのためのコンテキストを作成する。さらに、UPF_B236は、セッション確立要求メッセージを受信、及び/又はPDUセッションのためのコンテキストの作成に基づいて、SMF_A230にセッション確立応答(Session Establishment response)メッセージを送信する(S1508)。さらに、SMF_A230は、セッション確立応答メッセージを受信する。なお、セッション確立要求メッセージ及びセッション確立応答メッセージは、N4インターフェース上で送受信される制御メッセージであってもよい。さらに、セッション確立応答メッセージは、セッション確立要求メッセージに対する応答メッセージであってよい。
【０３８６】
さらに、SMF_A230は、PDUセッション確立要求メッセージの受信、及び/又はUPF_B236の選択、及び/又はセッション確立応答メッセージの受信に基づいて、UE_A10に割り当てるアドレスのアドレス割り当てを行ってよい。さらに、SMF_A230は、UE_A10に割り当てたアドレスとDN_A5への通信に用いるアドレスであることを示す情報とを対応づけてもよい。なお、SMF_A230は、UE_A10に割り当てるアドレスのアドレス割り当てをPDUセッション確立手続き中で行ってもよいし、PDUセッション確立手続きの完了後に行ってもよい。
【０３８７】
具体的には、SMF_A230は、DHCPv4を用いずにIPv4アドレスを割り当てる場合、PDUセッション確立手続き中に、アドレス割り当てを行ってもよいし、割り当てたアドレスをUE_A10に送信してもよい。さらに、SMF_A230は、DHCPv4又はDHCPv6又はSLAAC(Stateless Address Autoconfiguration)用いてIPv4アドレス、及び/又はIPv6アドレス、及び/又はIPv6プレフィックスを割り当てる場合、PDUセッション確立手続き後に、アドレス割り当てを行ってもよいし、割り当てたアドレスをRAを用いてUE_A10に送信してもよい。なお、SMF_A230が実施するアドレス割り当てはこれらに限らない。
【０３８８】
さらに、SMF_A230は、UE_A10に割り当てるアドレスのアドレス割り当ての完了に基づいて、割り当てたアドレスを第14の識別情報に含めてUE_A10に送信してもよいし、第14の識別情報に含めずに、割り当てたアドレスを示す情報と、割り当てたアドレスがDN_A5との間で行われるユーザデータ通信に用いることができるアドレスであるか否かを示す情報とを対応づけてUE_A10に送信してもよい。この場合、UE_A10は、SMF_A230が送信した、第14の識別情報、及び/又は割り当てたアドレスを示す情報、及び/又は割り当てたアドレスがDN_A5との間で行われるユーザデータ通信に用いることができるアドレスであるか否かを示す情報を受信してもよい。
【０３８９】
SMF_A230は、PDUセッション確立要求メッセージの受信、及び/又はUPF_B236の選択、及び/又はセッション確立応答メッセージの受信、及び/又はUE_A10に割り当てるアドレスのアドレス割り当ての完了に基づいて、AMF_A240を介してUE_A10にPDUセッション確立受諾(PDU session establishment accept)メッセージを送信する(S1510) (S1512)。
【０３９０】
なお、PDUセッション確立要求メッセージが、レジストレーション要求(Registration request)メッセージに含まれて送信された場合、PDUセッション確立受諾メッセージは、レジストレーション受諾(Registration accept)メッセージに含まれて送信されてもよい。例えば、レジストレーション受諾メッセージに、SMメッセージとしてPDUセッション確立受諾メッセージが含まれてもよいし、NASメッセージとしてPDUセッション確立受諾メッセージが含まれてもよい。
【０３９１】
具体的には、SMF_A230は、N11インターフェースを用いてAMF_A240にPDUセッション確立受諾メッセージを送信し(S1510)、PDUセッション確立要求メッセージを受信したAMF_A240が、N1インターフェースを用いてUE_A10にPDUセッション確立受諾メッセージを送信する(S1512)。
【０３９２】
なお、PDUセッションがPDNコネクションである場合、PDUセッション確立受諾メッセージはPDN接続受諾(PDN connectivity accept)メッセージでよい。さらに、PDUセッション確立受諾メッセージは、N11インターフェース、及びN1インターフェース上で送受信されるNASメッセージであってよいし、NASメッセージに含まれて送信されてよい。また、PDUセッション確立受諾メッセージは、これに限らず、PDUセッションの確立が受諾されたことを示すメッセージであればよい。
【０３９３】
ここで、SMF_A230及び/又はAMF_A240は、PDUセッション確立受諾メッセージ及び／又はレジストレーション受諾メッセージ及び／又はNASメッセージに、少なくとも第11から14の識別情報のうち1つ以上の識別情報を含めてもよいし、これらの識別情報を含める事で、UE_A10の要求が受諾された事を示してしてもよい。
【０３９４】
さらに、SMF_A230は、第11から14の識別情報のうち1つ以上の識別情報を送信する事で、ネットワークが、DN_A5に接続するPDUセッションの確立の要求を受諾したことを示してもよいし、DN_A5に接続するPDUセッションの確立を許可したことを示してもよい。
【０３９５】
なお、SMF_A230及び/又はAMF_A240は、第11から14の識別情報のうち、どの識別情報をPDUセッション確立受諾メッセージ及び／又はレジストレーション受諾メッセージ及び／又はNASメッセージに入れるかを、受信した識別情報、及び/又は、ネットワークの能力情報、及び/又はオペレータポリシー等のポリシー、及び/又はネットワークの状態に基づいて決定してもよい。なお、どの識別情報をPDUセッション確立受諾メッセージ及び／又はレジストレーション受諾メッセージ及び／又はNASメッセージに入れるかのSMF_A230及び/又はAMF_A240による決定はこれに限らない。
【０３９６】
なお、SMF_A230は、第11の識別情報、及び/又は第14の識別情報をPDUセッション受諾メッセージに含めるか否かを、UE_A10の要求に基づいて決定してもよい。言い換えると、UE_A10は、SMF_A230が第11の識別情報をPDUセッション受諾メッセージに含めて送信することを示す情報、及び/又はSMF_A230が第14の識別情報をPDUセッション受諾メッセージに含めて送信することを示す情報を、AMF_A240を介してSMF_A230に送信してもよい。なお、こうした要求情報は、第2のPDUセッションを確立する際のPDUセッション確立要求メッセージ、第1のPDUセッションを確立する際のPDUセッション確立要求メッセージ及び/又はレジストレーション要求メッセージに含めて送信してもよい。
【０３９７】
さらに、SMF_A230は、第1の識別情報、及び又はSSC mode 3を示す第2の識別情報、及び/又は第3の識別情報を、第2のPDUセッションを確立する際のPDUセッション確立要求メッセージ、第1のPDUセッションを確立する際のPDUセッション確立要求メッセージ及び/又はレジストレーション要求メッセージによって受信している場合には、第11の識別情報を送信してもよい。
【０３９８】
また、SMF_A230は、第11の識別情報及び/又は第14の識別情報を含める条件と同様の条件に基づいて、デフォルトルータアドレスをPDUセッション受諾メッセージに含めて送信してもよい。なお、デフォルトルータアドレスは、UPF_B236を示すアドレス、又は識別情報であってよい。
【０３９９】
ここで、第11の識別情報は、高い優先レベルを示す情報を示し、例えば"High(高)"を示す情報であってよい。これにより、第1のPDUセッション及び/又は第1のPDUセッションに対応づけられたIPv6プレフィックスに対して、第２のPDUセッション及び/又は第２のPDUセッションに対応づけられたIPv6プレフィックスの優先度が高いことをUE_A10に通知してもよい。
【０４００】
UE_A10は、PDUセッション確立受諾メッセージを受信し、さらに、AMF_A240を介してSMF_A230にPDUセッション確立完了(PDU session establishment complete)メッセージを送信する(S1514)(S1516)。さらに、SMF_A230は、PDUセッション確立完了メッセージを受信し、第2の条件判別を実行する。
【０４０１】
具体的には、UE_A10は、N1インターフェースを用いてAMF_A240にPDUセッション確立完了メッセージを送信し(S1514)、PDUセッション確立完了メッセージを受信したAMF_A240が、N11インターフェースを用いてSMF_A230にPDUセッション確立完了メッセージを送信する(S1516)。
【０４０２】
なお、PDUセッションがPDNコネクションである場合、PDUセッション確立完了メッセージは、PDN接続完了(PDN Connectivity complete)メッセージでもよいし、デフォルトEPSベアラコンテキストアクティブ化受諾(Activate default EPS bearer context accept)メッセージでもよい。さらに、PDUセッション確立完了メッセージは、N1インターフェース、及びN11インターフェース上で送受信されるNASメッセージであってよい。また、PDUセッション確立完了メッセージは、PDUセッション確立受諾メッセージに対する応答メッセージであればよく、これに限らず、PDUセッション確立手続きが完了する事を示すメッセージであればよい。
【０４０３】
第2の条件判別は、送受信されるN4インターフェース上のメッセージの種類を決定する為ものである。第2の条件判別が真の場合、SMF_A230はUPF_B236にセッション変更要求メッセージ(Session Modification request)を送信し(S1518)、さらに、セッション変更要求メッセージを受信したUPF_B236が送信したセッション変更受諾(Session Modification response)メッセージを受信する(S1520)。また、第2の条件判別が偽の場合、SMF_A230はUPF_B236にセッション確立要求メッセージを送信し(S1518)、さらに、セッション確立要求メッセージを受信したUPF_B236が送信したセッション変更受諾メッセージを受信する(S1520)。各装置は、PDUセッション確立完了メッセージの送受信、及び/又はセッション変更応答メッセージの送受信、及び/又はセッション確立応答メッセージの送受信に基づいて、本手続き中の(A)の手続きを完了する。
【０４０４】
なお、本手続き中の(A)の手続き中で、UE_A10に割り当てられたアドレスがUE_A10へ通知されなかった場合、SMF_A230はアンカーポイントとなるUPF_B236を介してRAを送信してもよい(S1524)。ここで、RAには、PDUセッションに対応づけられたIPv6プレフィックス、デフォルトルータアドレスを含めて送信してもよい。なお、デフォルトルータアドレスは、UPF_B236のアドレスであってよい。さらに、RAを受信したUE_A10は、RAに含まれるIPv6ネットワークプレフィクスを用いてIPv6アドレスを生成してもよい。ここで、IPv6ネットワークプレフィックスは、第1のPDUセッションに対応づけられたものとは異なる情報であってよい。
【０４０５】
SMF_A230及び/又はUPF_B236は、RAに第11の識別情報と第14の識別情報のうち1つ以上の識別情報を送信する事で、DN_A5に対してPDUセッションが確立された事を通知してもよいし、UE_A10にアドレスが割り当てられたことを通知してもよい。
【０４０６】
なお、SMF_A230は、第11の識別情報、及び/又は第14の識別情報をRAメッセージに含めるか否かを、UE_A10の要求に基づいて決定してもよい。言い換えると、UE_A10は、SMF_A230が第11の識別情報をPDUセッション受諾メッセージに含めて送信することを示す情報、及び/又はSMF_A230が第14の識別情報をPDUセッション受諾メッセージに含めて送信することを示す情報を、AMF_A240を介してSMF_A230に送信してもよい。なお、こうした要求情報は、第2のPDUセッションを確立する際のPDUセッション確立要求メッセージ、第1のPDUセッションを確立する際のPDUセッション確立要求メッセージ及び/又はレジストレーション要求メッセージに含めて送信してもよい。
【０４０７】
さらに、SMF_A230は、第1の識別情報、及び又はSSC mode 3を示す第2の識別情報、及び/又は第3の識別情報を、第2のPDUセッションを確立する際のPDUセッション確立要求メッセージ、第1のPDUセッションを確立する際のPDUセッション確立要求メッセージ及び/又はレジストレーション要求メッセージによって受信している場合には、第11の識別情報を送信してもよい。
【０４０８】
また、SMF_A230は、第11の識別情報及び/又は第14の識別情報を含める条件と同様の条件に基づいて、デフォルトルータアドレスをRAメッセージに含めて送信してもよい。なお、デフォルトルータアドレスは、UPF_B236を示すアドレス、又は識別情報であってよい。
【０４０９】
ここで、第11の識別情報は、高い優先レベルを示す情報を示し、例えば"High(高)"を示す情報であってよい。これにより、第1のPDUセッション及び/又は第1のPDUセッションに対応づけられたIPv6プレフィックスに対して、第２のPDUセッション及び/又は第２のPDUセッションに対応づけられたIPv6プレフィックスの優先度が高いことをUE_A10に通知してもよい。
【０４１０】
次に、本手続き中の(B)の手続きの各ステップを説明する。SMF_A230は、AMF_A240を介してUE_A10にPDUセッション確立拒絶(PDU session establishment reject)メッセージを送信し(S1526) (S1528)、本手続き中の(B)の手続きを開始する。
【０４１１】
具体的には、SMF_A230は、N11インターフェースを用いてAMF_A240にPDUセッション確立拒絶メッセージを送信し(S1526)、PDUセッション確立要求メッセージを受信したAMF_A240が、N1インターフェースを用いてUE_A10にPDUセッション確立拒絶メッセージを送信する(S1528)。
【０４１２】
なお、PDUセッションがPDNコネクションである場合、PDUセッション確立拒絶メッセージはPDN接続拒絶(PDN connectivity reject)メッセージでよい。さらに、PDUセッション確立拒絶メッセージは、N11インターフェース、及びN1インターフェース上で送受信されるNASメッセージであってよいし、NASメッセージに含まれて送信されてよい。また、PDUセッション確立拒絶メッセージは、これに限らず、PDUセッションの確立が拒絶されたことを示すメッセージであればよい。
【０４１３】
ここで、SMF_A230及び/又はAMF_A240は、PDUセッション確立拒絶メッセージ及び／又はNASメッセージに、少なくとも第15の識別情報を含めてもよいし、これらの識別情報を含める事で、UE_A10の要求が拒絶された事を示してしてもよい。
【０４１４】
さらに、SMF_A230及び/又はAMF_A240は、第15の識別情報を送信する事で、ネットワークが、DN_A5に接続するPDUセッションの確立の要求を拒絶したことを示してもよいし、DN_A5に接続するPDUセッションの確立を許可しなかったことを示してもよい。さらに、SMF_A230は、第15の識別情報を送信することで、DN_A5に接続するPDUセッションが確立されかなったことを示してもよい。
【０４１５】
例えば、SMF_A230及び/又はAMF_A240は、第15の識別情報を送信することで、DN_A5への接続が拒絶された事を示してもよいし、拒絶された理由を示してもよいし、UE_A10の要求が拒絶された事を示してもよいし、要求するSSC modeをサポートする接続が確立できない事を示してもよいし、multi home PDUセッションの確立がサポートされない事を示してもよい。
【０４１６】
各装置は、本手続き中の(A)又は(B)の手続きの完了、又はS1524の送受信に基づいて、本手続きを完了する。なお、各装置は、本手続き中の(A)の手続きの完了に基づいて、PDUセッションが確立された状態に遷移してもよいし、本手続き中の(B)の手続きの完了に基づいて、本手続きが拒絶された事を認識してもよいし、PDUセッションが確立されていない状態に遷移してもよい。
【０４１７】
さらに、各装置は、本手続きの完了に基づいて、本手続きで送受信した識別情報に基づいた処理を実施してもよい。
【０４１８】
また、第1の条件判別は、PDUセッション確立要求メッセージ及び／又はレジストレーション要求メッセージ及び／又はNASメッセーに含まれる識別情報、及び/又はUDM_A50から取得した加入者情報、及び/又はオペレータポリシーに基づいて実行されてもよい。例えば、第1の条件判別は、UE_A10の要求をネットワークが許可する場合、真でよい。また、第1の条件判別は、UE_A10の要求をネットワークが許可しない場合、偽でよい。さらに、第1の条件判別は、UE_A10の接続先のネットワーク、及び/又はネットワーク内の装置が、UE_A10が要求する機能を、サポートしている場合は真でよく、サポートしていない場合は偽でよい。なお、第1の条件判別の真偽が決まる条件は前述した条件に限らなくてもよい。また、第2の条件判別は、PDUセッションのためのN4インターフェース上のセッションが確立されているか否かに基づいて実行されてもよい。例えば、第2の条件判別は、PDUセッションのためのN4インターフェース上のセッションが、確立されている場合は真であってよく、確立されていない場合は偽であってよい。なお、第2の条件判別の真偽が決まる条件は前述した条件に限らなくてもよい。
【０４１９】
以上により、UE_A10はUPF_B236をアンカーポイントとするPDUセッションを確立する。結果、UE_A10はUPF_A235を安価ポイントとするPDUセッションと、UPF_B236をアンカーポイントとするPDUセッションを同時に確立した状態となる。なお、これらのPDUセッションは、同一のDNに対して確立したPDUセッションであってよい。
【０４２０】
これにより、UE_A10は複数の通信路を保持する状態となる。ユーザデータを送受信する際には、UE_A10は各PDUセッションに対応づけられたルートプリファレンス情報を基に、ルートを選択してもよい。つまり、プリファレンスの高いPDUセッションを用いてユーザデータの送受信を行ってもよい。その際には、プリファレンスの高いPDUセッションに対応付けられた、IPv6プレフィックス、及び/又はデフォルトルート、及び/又はデフォルトルータを選択してユーザデータを送信してもよい。
【０４２１】
[1.4.2.2.第2のPDUセッション解放手続きの説明]
UE_A10は、第2のPDUセッション確立手続きを完了後、第2のPDUセッション解放手続きを実行してもよい。なお、第2のPDUセッション解放手続きは、UPF_A235をアンカーポイントとするPDUセッションを解放するための手続きである。
【０４２２】
以下、図19を用いて、第1のPDUセッション確立手続きを実行する手順の例を説明する。以下、本手続きの各ステップについて説明する。
【０４２３】
まず、UE_A10はPDUセッションリリース解放要求メッセージをAMF_A240に送信し、PDUセッションリリース解放手続きを開始する(S1900)。UE_A10は、PDUセッションリリース解放要求メッセージにUPF_A235をアンカーポイントとするPDUセッションを識別する情報、及び/又はUPF_A235がアンカーポイントであることを示す情報、及び/又はDNNを含めて送信してもよい。
【０４２４】
UPF_A235をアンカーポイントとするPDUセッションを識別する情報は、例えば、第1のPDUセッションを識別するPDUセッションIDと、1.4.2.1章で説明した手続きを基に確立した第2のPDUセッションを識別するPDUセッションIDとが異なるIDである場合、第1のPDUセッションを識別するPDUセッションIDであってよい。
【０４２５】
又は、UPF_A235をアンカーポイントとするPDUセッションを識別する情報は、古いPDUセッションを示す情報、及び/又はルートプリファレンスの低いPDUセッションを示す情報であってよい。これを含めることにより、UE_A10は、古いPDUセッションをリリースすること、及び/又はルートプリファレンスの低いPDUセッションをリリースすることを要求してもよい。
【０４２６】
又は、UPF_A235をアンカーポイントとするPDUセッションを識別する情報は、SSC mode 3を示す情報であってよい。これを含めることにより、UE_A10は古いPDUセッションをリリースすること、及び/又はルートプリファレンスの低いPDUセッションをリリースすることを要求してもよい。
【０４２７】
又は、UPF_A235をアンカーポイントとするPDUセッションを識別する情報は、SSC mode 3を示す情報であってよ。これを含めることにより、UE_A10は古いPDUセッションをリリースすること、及び/又はルートプリファレンスの低いPDUセッションをリリースすることを要求してもよい。
【０４２８】
又は、UPF_A235をアンカーポイントとするPDUセッションを識別する情報は、IPv6プレフィックスを示す情報であってよい。これを含めることにより、UE_A10はIPv6プレフィックスに対応するPDUセッションをリリースすることを要求してもよい。
【０４２９】
又は、上述した情報のうち一つ以上を組み合わせた情報群であってもよい。
【０４３０】
次に、AMF_A240は、PDUセッション解放要求を受信し、受信したPDUセッション解放要求をSMF_A230へ送信する(S1902)。
【０４３１】
SMF_A230は、PDUセッション解放要求を受信し、PDUセッション解放要求を基に解放するPDUセッション及び/又は解放するPDUセッションのアンカーポイントとしてUPF_A235を検出する。
【０４３２】
SMF_A230は、UE_10が確立するPDUセッションに関する情報を、PDUセッションのアンカーポイントと対応付けて記憶しておき、PDUセッション解放要求メッセージに含まれるPDUセッション解放要求を基に、PDUセッションのアンカーポイントとしてUPF_A235を選択してもよい。ここで、PDUセッションに関する情報とは、PDUセッションID、及び/又はDNN、及び/又はPDUセッションのプリファレンス情報、及び/又はIPv6プレフィックス、及び/又はSSC mode 3を示す情報であってよい。
【０４３３】
又は、1.4.2.1章で説明した第2のPDUセッション確立手続きの冒頭のUPFのリロケーションを決定処理において、SMF_A230はリリースするPDUセッションの情報、及び/又はリリースするPDUセッションのアンカーポイントの情報を記憶してもよい。SMF_A230は、こうした情報を基に解放するPDUセッションのアンカーポイントとしてUPF_A235を選択してもよい。
【０４３４】
次に、SMF_A230はUPF_A235にセッション解放要求(Session release request)メッセージを送信し(S1906)、SMF_A230とUPF_A235間のセッションの解放手続きを開始する。
【０４３５】
UPF_A235は、セッション解放要求メッセージを受信し、PDUセッションのためのコンテキストを削除する。さらに、UPF_A235は、セッション解放要求メッセージを受信、及び/又はPDUセッションのためのコンテキストの削除に基づいて、SMF_A230にセッション解放応答(Session release response)メッセージを送信する(S1908)。さらに、SMF_A230は、セッション解放応答メッセージを受信する。なお、セッション解放要求メッセージ及びセッション解放応答メッセージは、N4インターフェース上で送受信される制御メッセージであってもよい。さらに、セッション解放応答メッセージは、セッション解放要求メッセージに対する応答メッセージであってよい。
【０４３６】
つぎに、SMF_A230は、PDUセッション解放応答メッセージの受信、及び/又はPDUセッションアンカーリロケーションの決定に基づいて、AMF_A240を介してUE_A10へPDUセッション解放コマンド(PDU session release command)メッセージを送信する(S1910)。
【０４３７】
具体的には、SMF_A230は、AMF_A240へPDUセッション解放コマンドメッセージを送信し(S1910)、PDUセッション解放コマンドメッセージを受信したAMF_A240はUE_A10へPDUセッション解放コマンドメッセージを送信する(S1912)。
【０４３８】
なお、PDUセッションがPDNコネクションである場合、PDUセッション解放コマンドメッセージはEPSベアラ無効化要求(Deactivate EPS bearer context request)メッセージでよい。さらに、PDUセッション解放コマンドメッセージは、N11インターフェース、及びN1インターフェース上で送受信されるNASメッセージであってよいし、NASメッセージに含まれて送信されてよい。また、PDUセッション解放コマンドメッセージは、これに限らず、PDUセッションの解放がネットワークから要求されたこと、及び/又はPDUセッションの解放をネットワークが決定したことを示すメッセージであればよい。
【０４３９】
ここで、SMF_A230及び/又はAMF_A240は、PDUセッション解放コマンドメッセージ及び／又はNASメッセージに、少なくとも第21から22の識別情報のうち1つ以上の識別情報を含めてもよいし、これらの識別情報を含める事で、PDUセッションの解放の要求を示してもよい。
【０４４０】
さらに、SMF_A230及び/又はAMF_A240は、第21から22の識別情報のうち1つ以上の識別情報を送信する事で、ネットワークが、DN_A5に接続するPDUセッションの確立の要求を受諾したことを示してもよいし、DN_A5に接続するPDUセッションの確立を許可したことを示してもよい。
【０４４１】
より詳細には、SMF_A230及び/又はAMF_A240は、第21の識別情報を送信することで、PDUセッションが解放された後、一定期間解放されたPDUセッションに関する情報を維持する事を示してもよい。具体的には、SMF_A230はPDUセッションに関連付けられたUPF_A235に関する情報を、第21の識別情報と関連付けて記憶してもよいし、AMF_A240はSMF_A230を識別する情報、例えばSMF ID、を第21の識別情報と関連付けて記憶してよい。
【０４４２】
さらに、SMF_A230及び/又はAMF_A240は、第22の識別情報を送信することで、PDUセッションの解放が、PDUセッションアンカーリロケーションの為に実行する事を示してもよい。
【０４４３】
なお、SMF_A230及び/又はAMF_A240は、第21から22の識別情報のうち、どの識別情報をPDUセッション解放コマンドメッセージ及び／又はNASメッセージに入れるかを、受信した識別情報、及び/又は、ネットワークの能力情報、及び/又はオペレータポリシー等のポリシー、及び/又はネットワークの状態に基づいて決定してもよい。なお、どの識別情報をPDUセッション解放コマンドメッセージ及び／又はNASメッセージに入れるかのSMF_A230及び/又はAMF_A240による決定はこれに限らない。
【０４４４】
UE_A10は、PDUセッション解放コマンドメッセージを受信し、さらに、AMF_A240を介してSMF_A230にPDUセッション解放受諾(PDU session release accept)メッセージを送信する(S1914) (S1916)。
【０４４５】
具体的には、UE_A10は、N1インターフェースを用いてAMF_A240にPDUセッション解放受諾メッセージを送信し(S1914)、PDUセッション解放受諾メッセージを受信したAMF_A240が、N11インターフェースを用いてSMF_A230にPDUセッション解放受諾メッセージを送信する(S1916)。
【０４４６】
なお、PDUセッションがPDNコネクションである場合、PDUセッション解放受諾メッセージは、EPSベアラコンテキスト無効化受諾(Deactivate EPS bearer context accept)メッセージでもよい。さらに、PDUセッション解放受諾メッセージは、N1インターフェース、及びN11インターフェース上で送受信されるNASメッセージであってよいし、NASメッセージに含まれて送受信されてよい。また、PDUセッション解放受諾メッセージは、PDUセッション解放コマンドメッセージに対する応答メッセージであればよく、これに限らず、PDUセッション解放手続きが完了する事を示すメッセージであればよい。
【０４４７】
続けて、SMF_A230はAMF_A240にPDUセッション解放通知(PDU session release notification)メッセージを送信する(S1918)。SMF_A230はPDUセッション解放通知メッセージを送信することで、PDUセッションの解放の完了を通知してもよいし、PDUセッションを解放しているが、リロケーションの為に一部の情報の記憶を維持している状態であることを通知してもよい。なお、PDUセッション解放通知メッセージは、これに限らず、PDUセッションの解放を通知するメッセージであればよい。
【０４４８】
なお、AMF_A240は、PDUセッション解放受諾メッセージの受信に基づき、及び/又はPDUセッション解放通知メッセージの受信、及び/又はPDUセッション解放コマンドメッセージの送信に基づき、PDUセッションに関する情報の記憶を管理するタイマを用いたタイマのカウントを開始させてよい。さらに、AMF_A240は、第21の識別情報とPDUセッションに関する情報、例えばSMF_230を識別するSMF ID、を関連付けて記憶することを開始してよい。
【０４４９】
もしくは、AMF_A240は、さらに詳細な条件を基に上述した情報を記憶することを開始してもよい。例えば、第21の識別情報及び／又は第22の識別情報を含むPDUセッション解放通知メッセージの受信した場合、及び又はSSC mode 2のPDUセッションを解放する場合には、PDUセッション解放受諾メッセージの受信に基づき、及び/又はPDUセッション解放通知メッセージの受信、及び/又はPDUセッション解放コマンドメッセージの送信に基づいて、上述した情報を記憶することを開始してもよい。なお、このような詳細条件は、システムやオペレータのポリシー等によって決定されてよい。さらに、こうした条件に合致しない場合には、AMF_A240は上述した情報を記憶と、タイマのカウントを開始しなくてもよい。また、PDUセッションに関する情報の記憶を管理するタイマは、AMF_A240がプリコンフィグで記憶していてもよいし、受信した識別情報、及び/又は、ネットワークの能力情報、及び/又はオペレータポリシー等のポリシー、及び/又はネットワークの状態に基づいて決定してもよい。
【０４５０】
さらに、PDUセッションに関する情報の記憶を管理するタイマを用いたタイマのカウントが満了(expire)した場合、AMF_A240はPDUセッションに関する情報、及び/又はコンテキストを解放してよい。
【０４５１】
SMF_A230は、PDUセッション解放受諾メッセージの受信に基づき、及び/又はPDUセッション解放通知メッセージの送信、及び/又はPDUセッション解放コマンドメッセージの受信に基づき、PDUセッションに関する情報の記憶を管理するタイマを用いたタイマのカウントを開始させてよい。さらに、SMF_A230は、第21の識別情報とPDUセッションに関する情報を関連付けて記憶することを開始してよい。
【０４５２】
もしくは、SMF_A230は、さらに詳細な条件を基に上述した情報を記憶することを開始してもよい。例えば、第21の識別情報及び／又は第22の識別情報を含むPDUセッション解放受諾メッセージを受信した場合、及び／又は、第21の識別情報及び／又は第22の識別情報を含むPDUセッション解放通知メッセージの送信した場合、及び又はSSC mode 2のPDUセッションを解放する場合には、PDUセッション解放受諾メッセージの受信に基づき、及び/又はPDUセッション解放通知メッセージの送信、及び/又はPDUセッション解放コマンドメッセージの受信に基づいて、上述したタイマのカウントと、第21の識別情報とPDUセッションに関する情報を関連付けて記憶することを開始してよい。
【０４５３】
なお、このような詳細条件は、システムやオペレータのポリシー等によって決定されてよい。さらに、こうした条件に合致しない場合には、SMF_A230は上述した情報を記憶と、タイマのカウントを開始しなくてもよい。ここで、PDUセッションに関する情報とは、リロケーション元のUPF_A235を識別するUPF IDであってもよく、この場合、SMF_A230は第1のPDUセッション確立手続き中にリロケーション先のUFP_B236を選択する。
【０４５４】
または、PDUセッションに関する情報は、リロケーション先のUPF_B236を識別するUPF IDであってもよく、この場合、SMF_A230は、PDUセッション解放応答メッセージの受信、及び/又はPDUセッションアンカーリロケーションの決定に基づいて、リロケーション先のUPF_B236を選択してもよい。
【０４５５】
ここで、PDUセッションに関する情報の記憶を管理するタイマは、SMF_A230がプリコンフィグで記憶していてもよいし、受信した識別情報、及び/又は、ネットワークの能力情報、及び/又はオペレータポリシー等のポリシー、及び/又はネットワークの状態に基づいて決定してもよい。さらに、PDUセッションに関する情報の記憶を管理するタイマを用いたタイマのカウントが満了(expire)した場合、SMF_A230はPDUセッションに関する情報、及び/又はコンテキストを解放してよい。
【０４５６】
各装置は、S1716の送受信に基づいて、本手続きを完了する。なお、各装置は、本手続き完了に基づいて、第1のPDUセッションが解放された状態に遷移してもよい。
【０４５７】
なお、本手続例では、図19を基にSMF_A230が主導してPDUセッションを解放する手続きを説明したが、これに限らず他の手続きであってもよい。例えば、ネットワークが主導してPDUセッションを解放する手続きを実施してもよい。その際には、これまで説明したPDUセッション解放手続きのうち、UE_A10が主導して手続きを開始する部分にあたるS1900とS1902のステップを省いた手続きを実行すればよい。これにより、SMF_A230が主導して開始するPDUセッション解放手続きを実行することができる。
【０４５８】
[1.5.PDUセッション変更手続きの概要]
次に、PDUセッション変更手続きの概要について説明する。以下、本手続きはPDUセッション変更手続きを指す。本手続きは、各装置がPDUセッションの状態を更新する為の手続きである。なお、各装置は、本手続きを、PDUセッション確立手続きを完了した状態で実行してもよいし、PDUセッション確立手続きの中で実行してもよい。また、各装置は、登録状態で本手続きを開始してもよいし、PDUセッション確立手続き後の任意のタイミングで本手続きを開始してもよい。また、各装置は、PDUセッション変更手続きの完了に基づいて、PDUセッションの状態を更新してもよい。さらに、各装置は、複数のPDUセッションを確立している場合、本手続きを複数回実行する事で、各PDUセッションの状態を更新してもよい。
【０４５９】
[1.5.1.PDUセッション変更手続き例]
図14を用いて、PDUセッション変更手続きを実行する手順の例を説明する。以下、本手続きの各ステップについて説明する。まず、UE_A10は、AMF_A240を介しSMF_A230へPDUセッション変更要求(PDU session modification request)メッセージを送信する(S1400) (S1402)。具体的には、UE_A10は、N1インターフェースを用いてAMF_A240にPDUセッション変更要求メッセージを送信すし(S1400)、PDUセッション変更要求メッセージを受信したAMF_A240はN11インターフェースを用いてSMF_A230へPDUセッション変更要求メッセージを送信する(S1402)。
【０４６０】
なお、UE_A10がPDUセッション変更要求メッセージを送信するトリガーは、UE_A10が移動したことであってもよいし、デフォルトルートの変更の要求が発生したことであってもよいし、UE_A10のポリシーが変化したことであってもよい。
【０４６１】
ここで、UE_A10は、PDUセッション変更要求メッセージに、少なくとも第61から62の識別情報のうち1つ以上の識別情報を含めてもよいし、これらの識別情報を含める事で、UE_A10の要求を示してもよい。
【０４６２】
さらに、UE_A10は、第61から62の識別情報のうち1つ以上の識別情報を送信する事で、PDUセッションの接続先の変更を要求してもよいし、接続に関する情報を変更する事を要求してもよい。
【０４６３】
より詳細には、UE_A10は第61の識別情報を送信する、及び/又は第62の識別情報と対応づけて第61の識別情報を送信することで、第62の識別情報で示されるルートのプリファレンス情報の更新又は第62の識別情報で示されるルートが含まれるPDUセッションに関する情報の更新を要求してもよいし、ルートをデフォルトルートに変更する事を要求してもよい。
【０４６４】
さらに、UE_A10は第62の識別情報を送信することで、プリファレンス情報の更新を要求するルートを示してもよい。
【０４６５】
次に、SMF_A230は、PDUセッションの変更を決定する(S1406)。SMF_A230は、PDUセッションの変更を、PUDセッション変更要求メッセージの受信に基づき決定してもよいし、オペレータポリシー、ネットワークポリシー、UE_A10の移動、加入者情報に基づいて決定してもよい。
【０４６６】
つまり、SMF_A230は、UE_A10からのPDUセッション変更要求を受信せずに、PDUセッション変更手続きを開始してもよい。言い換えれば、PDUセッション変更手続きは、UEから開始される手続きであってもよいし、ネットワークから開始される手続きであってもよい。
【０４６７】
SMF_A230がPDUセッション変更要求メッセージを受信した場合、SMF_A230は第1の条件判別を実行する。第1の条件判別は、SMF_A230が、UE_A10の要求を受諾するか否かを判断する為のものである。第1の条件判別において、SMF_A230は第1の条件判別が真であるか偽であるかを判定する。SMF_A230は、第1の条件判別が真の場合は本手続き中の(A)の手続きを開始し、第1の条件判別が偽の場合は本手続き中の(B)の手続きを開始する。なお、第1の条件判別が偽の場合のステップは後述する。
【０４６８】
なお、SMF_A230がPDUセッション変更要求メッセージを受信しない場合、SMF_A230は第1の条件判別を実行せずに、本手続き中の(A)の手続きを開始してもよい。
【０４６９】
以下、本手続き中の(A)の手続きの各ステップを説明する。SMF_A230は、AMF_A240を介してUE_A10にPDUセッション変更コマンド(PDU session modification command)メッセージを送信する(S1408) (S1410)。具体的には、SMF_A230は、N11インターフェースを用いてAMF_A240にPDUセッション変更コマンドメッセージを送信し(S1408)、PDUセッション変更コマンドメッセージを受信したAMF_A240が、N1インターフェースを用いてUE_A10にPDUセッション変更コマンドメッセージを送信する(S1410)。
【０４７０】
なお、SMF_A230がPDUセッション変更コマンドメッセージを送信するトリガーは、AMF_A240から送信される状態変化通知メッセージの受信であってもよいし、AFからの要求メッセージの受信であってもよいし、SMF_A230自身の状態変化の検知であってもよい。
【０４７１】
さらに、PDUセッション変更コマンドメッセージは、N11インターフェース、及びN1インターフェース上で送受信されるNASメッセージであってよいし、NASメッセージに含まれて送受信されてもよい。また、PDUセッション変更コマンドメッセージは、これに限らず、PDUセッションの変更が決定された事を示すメッセージであればよい。
【０４７２】
さらに、状態変化通知メッセージは、N11インターフェースを用いてAMF_A240がSMF_A230に送信するメッセージであってよく、UE_A10のモビリティ等によって、UE_A10の状態が変化したことを示す情報であってもよい。さらに、状態変化通知メッセージは、加入者情報、及び/又はオペレータポリシー、及び/又はUE_A10のポリシーが変化したことが原因で、UE_A10、及び/又はネットワーク装置の状態が変化したことを示す情報であってもよい。さらに、AFからの要求メッセージは、AFから送信された要求メッセージであってもよいし、別のネットワーク装置が代理で送信した要求メッセージであってもよい。
【０４７３】
ここで、SMF_A230は、PDUセッション変更コマンドメッセージに、少なくとも第71から72の識別情報のうち1つ以上の識別情報を含めてもよいし、これらの識別情報を含める事で、SMF_A230の要求を示してもよい。
【０４７４】
さらに、SMF_A230は、第71から72の識別情報のうち1つ以上の識別情報を送信する事で、PDUセッションの接続先、PDUセッションに関する情報の変更を要求してもよい。より詳細には、SMF_A230は第71の識別情報を送信、及び/又は第72の識別情報と関連付けて第71の識別情報を送信することにより、プリファレンス情報の更新を要求してもよいし、デフォルトルートの変更を要求してもよいし、モビリティの変更を通知してもよい。
【０４７５】
さらに、SMF_A230は、第72の識別情報を送信することで、プリファレンス情報の更新を通知してもよいし、更新したプリファレンス情報を通知してもよい。
【０４７６】
なお、SMF_A230は、第71から72の識別情報のうち、どの識別情報をPDUセッション変更要求メッセージに入れるかを、ネットワークの能力情報、及び/又はオペレータポリシー等のポリシー、及び/又はネットワークの状態に基づいて決定してもよい。なお、どの識別情報をPDUセッション変更要求メッセージに入れるかのSMF_A230による決定はこれに限らない。
【０４７７】
PDUセッション変更コマンドメッセージを受信したUE_A10は、AMF_A240を介してSMF_A230にPDUセッション変更受諾(PDU session establishment accept)メッセージを送信する(S1412) (S1414)。
【０４７８】
具体的には、UE_A10は、N1インターフェースを用いてAMF_A240にPDUセッション変更受諾メッセージを送信し(S1412)、PDUセッション変更要求メッセージを受信したAMF_A240が、N11インターフェースを用いてSMF_A230にPDUセッション変更受諾メッセージを送信する(S1414)。
【０４７９】
なお、PDUセッション変更受諾メッセージは、N1インターフェース、及びN11インターフェース上で送受信されるNASメッセージであってよいし、NASメッセージに含まれ送受信されてよい。また、PDUセッション変更受諾メッセージは、これに限らず、PDUセッションの確立が受諾されたことを示すメッセージであればよい。
【０４８０】
SMF_A230は、PDUセッション変更受諾メッセージを受信し、UPF_A235にセッション変更要求メッセージ(Session Modification request)を送信し(S1416)、さらに、セッション変更要求メッセージを受信したUPF_A235が送信したセッション変更受諾(Session Modification response)メッセージを受信する(S1418)。各装置は、PDUセッション変更受諾メッセージの送受信、及び/又はセッション変更応答メッセージの送受信に基づいて、本手続き中の(A)の手続きを完了する。
【０４８１】
なお、本手続き中の(A)の手続き中で、UE_A10に割り当てられたアドレスがUE_A10へ通知されなかった場合、SMF_A230はアンカーポイントとなるUPF_A235又はUEPF_B236を介してRAを送信してもよい(S1420)。
【０４８２】
SMF_A230及び/又はUPF_A235は、RAに第72の識別情報を送信する事で、プリファレンス情報が変更された事を通知してもよいし、UE_A10にアドレスが変更された事を通知してもよい。
【０４８３】
次に、本手続き中の(B)の手続きの各ステップを説明する。SMF_A230は、AMF_A240を介してPDUセッション変更拒絶(PDU session establishment reject)メッセージを送信し(S1422) (S1424)、本手続き中の(B)の手続きを開始する。
【０４８４】
具体的には、SMF_A230は、N11インターフェースを用いてAMF_A240にPDUセッション変更拒絶メッセージを送信し(S1422)、PDUセッション変更拒絶メッセージを受信したAMF_A240が、N1インターフェースを用いてUE_A10にPDUセッション変更拒絶メッセージを送信する(S1424)。
【０４８５】
さらに、PDUセッション変更拒絶メッセージは、N11インターフェース、及びN1インターフェース上で送受信されるNASメッセージであってよいし、NASメッセージに含まれて送受信されてもよい。また、PDUセッション変更拒絶メッセージは、これに限らず、PDUセッションの変更が拒絶された事を示すメッセージであればよい。
【０４８６】
ここで、SMF_A230は、PDUセッション変更拒絶メッセージに、少なくとも第81の識別情報を含めてもよいし、これらの識別情報を含める事で、要求の拒絶を通知してもよい。
【０４８７】
さらに、SMF_A230は、第81の識別情報を送信することで、PDUセッションに関する情報の変更を拒絶してもよい。具体的には、SMF_A230は第81の識別情報を送信することで、UE_A10の要求を拒絶する事を示してもよいし、プリファレンス情報の変更ができない事を示してもよいし、プリファレンス情報が要求に満たせない事を示してもよい。
【０４８８】
さらに、AMF_A240、及び/又はSMF_A230及び/又は、PDUセッション変更拒絶メッセージの送信、及び/又はPDUセッション変更拒絶メッセージに含まる各識別情報の送信に基づいて、UE_A10に対応づけられる状態を、PDUセッションが確立されていない状態へ遷移させてもよいし、異常状態へ遷移させてもよい。
【０４８９】
同様に、UE_A10は、PDUセッション変更拒絶メッセージの受信、及び/又はPDUセッション変更拒絶メッセージに含まる各識別情報の受信に基づいて、PDUセッションが確立されていない状態へ遷移させてもよいし、異常状態へ遷移させてもよい。なお、本手続きの完了に基づいて、UE_A10に対応づけられる状態が遷移する状態はこれらに限らない。
【０４９０】
また、第1の条件判別は、PDUセッション変更要求メッセージに含まれる識別情報、及び/又はUE_A10のプリファレンス、及び/又はUE_A10のポリシー、及び/又はUE_A10が保持しているコンテキストに基づいて実行されてもよい。なお、第1の条件判別の真偽が決まる条件は前述した条件に限らなくてもよい。
【０４９１】
[2.変形例]
本発明に関わる装置で動作するプログラムは、本発明に関わる実施形態の機能を実現するように、Central Processing Unit(CPU)等を制御してコンピュータを機能させるプログラムであっても良い。プログラムあるいはプログラムによって取り扱われる情報は、一時的にRandom Access Memory(RAM)等の揮発性メモリあるいはフラッシュメモリ等の不揮発性メモリやHard Disk Drive(HDD)、あるいはその他の記憶装置システムに格納される。
【０４９２】
尚、本発明に関わる実施形態の機能を実現する為のプログラムをコンピュータが読み取り可能な記録媒体に記録しても良い。この記録媒体に記録されたプログラムをコンピュータシステムに読み込ませ、実行する事によって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０４９３】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ(DSP)、特定用途向け集積回路(ASIC)、フィールドプログラマブルゲートアレイ(FPGA)、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサでもよいし、従来型のプロセッサ、コントローラ、マイクロコントローラ、またはステートマシンであっても良い。前述した電気回路は、デジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いる事も可能である。
【０４９４】
なお、本願発明は上述の実施形態に限定されるものではない。実施形態では、装置の1例を記載したが、本願発明は、これに限定されるものではなく、屋内外に設置される据え置き型、または非可動型の電子機器、たとえば、AV機器、キッチン機器、掃除・洗濯機器、空調機器、オフィス機器、自動販売機、その他生活機器等の端末装置もしくは通信装置に適用出来る。
【０４９５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０４９６】
1 移動通信システム
5 DN_A
10 UE_A
45 eNB_A
50 UDM_A
60 PCF_A
80 E-UTRAN_A
120 5G RAN_A
122 AN node_A
123 AN node_B
125 WLAN ANc
126 WAG_A
190 コアネットワーク_B
230 SMF_A
235 UPF_A
236 UPF_B
240 AMF_A
【図１】
2020113808.tif 000003
【図２】
2020113808.tif 000004
【図３】
2020113808.tif 000005
【図４】
2020113808.tif 000006
【図５】
2020113808.tif 000007
【図６】
2020113808.tif 000008
【図７】
2020113808.tif 000009
【図８】
2020113808.tif 000010
【図９】
2020113808.tif 000011
【図１０】
2020113808.tif 000012
【図１１】
2020113808.tif 000013
【図１２】
2020113808.tif 000014
【図１３】
2020113808.tif 000015
【図１４】
2020113808.tif 000016
【図１５】
2020113808.tif 000017
【図１６】
2020113808.tif 000018
【図１７】
2020113808.tif 000019
【図１８】
2020113808.tif 000020
【図１９】
2020113808.tif 000021